(57)【要約】【課題】記録管理領域のサイズが大きくなった場合、記録済み領域と未記録領域の境界検索に時間がかかるようになるため、その境界に隣接した記録済み領域に配置される最新の記録管理情報の取得に時間を要してしまうことを防ぎ、効率的に検索を行えるようにすることを目的とする。【解決手段】記録管理領域のサイズに応じて、記録済み領域と未記録領域の際に行う第１の振幅検査におけるブロックジャンプ数を変化させる。  記録管理領域のサイズに応じて転送サイズが変化するため、領域のサイズが大きい場合でも効率的に検索を行うことが可能になる。【選択図】図６
2005129116.tif 000002
【特許請求の範囲】
【請求項１】
追記型情報記録媒体の記録済み領域と未記録領域の境界位置を求める検索方法であって、
前記追記型情報記録媒体は、
記録再生の単位であるブロック単位に記録再生が行われ、
ユーザデータを記録するユーザデータ領域と、
前記ユーザデータ領域への記録状態を示す管理情報の記録を行う記録管理作業領域を少なくとも１つ割り付けることが出来る記録管理領域と
を備え、
前記記録管理領域は可変サイズの領域であって、
前記検索方法は、
（ａ）前記記録管理領域のサイズをもとに、ジャンプブロック数を算出するステップ
（ｂ）第１の振幅検査として、前記記録管理領域の先頭から前記ステップ（ａ）で求めたブロックおきに再生信号の振幅がなくなる位置まで検査を行うステップ
（ｃ）第２の振幅検査として、振幅があった位置から振幅がなかった位置の間で振幅がなくなる位置を検査するステップ
を備えることを特徴とする検索方法。
【請求項２】
前記ステップ（ａ）は、
前記記録管理領域のサイズに比例するように、前記ジャンプブロック数を算出するステップであること
を特徴とする、請求項１記載の検索方法。
【請求項３】
前記記録管理作業領域は、
前記記録管理領域のサイズを示す記録管理領域サイズ情報を含むＤＤＳ
を備え、
前記ＤＤＳは前記記録管理作業領域の所定の位置に配置され、
前記ステップ（ａ）は、
（ａ１）前記ＤＤＳから前記記録管理領域サイズを取得するステップ
（ａ２）前記ステップ（ａ１）で取得した前記記録管理領域サイズをもとに、ジャンプブロック数を算出するステップ
とを備えることを特徴とする、請求項１または請求項２記載の検索方法。
【請求項４】
追記型情報記録媒体の記録済み領域と未記録領域の境界位置を求める情報再生装置であって、
前記追記型情報記録媒体は、
記録再生の単位であるブロック単位に記録再生が行われ、
ユーザデータを記録するユーザデータ領域と、
前記ユーザデータ領域への記録状態を示す管理情報の記録を行う記録管理作業領域を少なくとも１つ割り付けることが出来る記録管理領域と
を備え、
前記記録管理領域は可変サイズの領域であって、
前記情報再生装置は、
（ａ）前記記録管理領域のサイズをもとに、ジャンプブロック数を算出する手段
（ｂ）第１の振幅検査として、前記記録管理領域の先頭から前記手段（ａ）で求めたブロックおきに再生信号の振幅がなくなる位置まで検査を行う手段
（ｃ）第２の振幅検査として、振幅があった位置から振幅がなかった位置の間で振幅がなくなる位置を検査する手段
を備えることを特徴とする情報再生装置。
【請求項５】
前記手段（ａ）は、
前記記録管理領域のサイズに比例するように、前記ジャンプブロック数を算出する手段であること
を特徴とする、請求項４記載の情報再生装置。
【請求項６】
前記記録管理作業領域は、
前記記録管理領域のサイズを示す記録管理領域サイズ情報を含むＤＤＳ
を備え、
前記ＤＤＳは前記記録管理作業領域の所定の位置に配置され、
前記手段（ａ）は、
（ａ１）前記ＤＤＳから前記記録管理領域サイズを取得する手段
（ａ２）前記手段（ａ１）で取得した前記記録管理領域サイズをもとに、ジャンプブロック数を算出する手段
とを備えることを特徴とする、請求項４または請求項５記載の情報再生装置。
【請求項７】
記録再生の単位であるブロック単位に記録再生を行う追記型情報記録媒体であって、
前記追記型情報記録媒体は、
ユーザデータを記録するユーザデータ領域と、
前記ユーザデータ領域への記録状態を示す管理情報の記録を行う記録管理作業領域を少なくとも１つ割り付けることが出来る記録管理領域と、
前記記録管理領域の記録進行度合いを表す使用度合い情報を含む使用進捗管理領域と
を備えることを特徴とする追記型情報記録媒体。
【請求項８】
前記使用進捗管理領域には、前記使用度合い情報として、
前記使用進捗管理領域における記録済み領域の割合と、前記記録管理領域における記録済み領域の割合と相関が取れるように記録済み領域が存在すること
を特徴とする請求項７記載の追記型情報記録媒体。
【請求項９】
前記使用度合い情報とは、
前記記録管理領域の記録済み領域の割合を示す記録済み領域割合情報であること
を特徴とする請求項７記載の追記型情報記録媒体。
【請求項１０】
前記使用度合い情報とは、
前記記録管理領域の最終記録位置に関する情報であること
を特徴とする請求項７記載の追記型情報記録媒体。
【請求項１１】
前記記録管理作業領域は
前記記録管理領域の先頭から末尾へ向かって順に割り付けられ、
前記ユーザデータ領域の記録状態を示す記録管理情報と、
前記記録管理情報の位置情報である記録管理情報位置情報を含むＤＤＳとから構成され、
前記記録管理作業領域の先頭から、前記記録管理情報、前記ＤＤＳの順番で配置されること
を特徴とする、請求項７または請求項８または請求項９または請求項１０記載の追記型情報記録媒体。
【請求項１２】
前記記録管理作業領域は
前記記録管理領域の末尾から先頭へ向かって順に割り付けられ、
前記ユーザデータ領域の記録状態を示す記録管理情報と、
前記記録管理情報の位置情報である記録管理情報位置情報を含むＤＤＳとから構成され、
前記記録管理作業領域の先頭から、前記ＤＤＳ、前記記録管理情報の順番で配置されること
を特徴とする、請求項７または請求項８または請求項９または請求項１０記載の追記型情記録媒体。
【請求項１３】
追記型情報記録媒体の記録済み領域と未記録領域の境界位置を求める検索方法であって、
前記追記型情報記録媒体は、
記録再生の単位であるブロック単位に記録再生が行われ、
ユーザデータを記録するユーザデータ領域と、
前記ユーザデータ領域への記録状態を示す管理情報の記録を行う記録管理作業領域を少なくとも１つ割り付けることが出来る記録管理領域と、
前記記録管理領域の記録進行度合いを表す使用度合い情報を含む使用進捗管理領域とを備え、
前記検索方法は、
（ａ）前記使用進捗管理領域から、前記使用度合い情報を取得するステップ
（ｂ）前記ステップ（ａ）で取得した前記使用度合い情報をもとに前記記録管理領域における検索開始位置を算出するステップ
（ｃ）前記ステップ（ｂ）で算出した前記検索開始位置を基準として、記録済み領域と未記録領域の境界探索を行うステップ
を備えることを特徴とする検索方法。
【請求項１４】
前記使用進捗管理領域には、前記使用度合い情報として、
前記使用進捗管理領域における記録済み領域の割合と、前記記録管理領域における記録済み領域の割合と相関が取れるように記録済み領域が存在し、
前記ステップ（ａ）は、
（ａ１）前記使用進捗管理領域における記録済みブロック数を求めるステップ
（ａ２）前記ステップ（ａ）で求めたブロック数と前記使用進捗管理領域の総ブロック数から、前記使用進捗管理領域における記録済み領域の割合を求めるステップ
をさらに備え、
前記ステップ（ｂ）は、
前記ステップ（ａ２）で求めた前記使用進捗管理領域の記録済み領域の割合から、前記記録管理領域の記録済み領域と未記録領域の境界が存在する位置を近似的に算出し、検索開始位置とするステップであること
を特徴とする請求項１３の検索方法。
【請求項１５】
前記使用進捗管理領域は、
前記記録管理領域中の記録済み領域の割合を示す記録済み領域割合情報を含み、
前記ステップ（ａ）は、
（ａ１）前記使用進捗管理領域に配置される最新の前記記録済み領域割合情報を取得するステップ
であり、
前記ステップ（ｂ）は、
前記ステップ（ａ１）で取得した前記記録済み領域割合情報から、前記記録管理領域の記録済み領域と未記録領域の境界が存在する位置を近似的に算出し、検索開始位置とするステップであること
を特徴とする請求項１３の検索方法。
【請求項１６】
前記使用進捗管理領域は、
前記記録管理領域中の記録済み領域と未記録領域の境界に関する情報である境界位置情報を含み、
前記ステップ（ａ）は、
前記使用進捗管理領域に配置される最新の前記境界位置情報を取得するステップであること
を特徴とする請求項１３の検索方法。
【請求項１７】
追記型情報記録媒体から情報を読み出す情報再生方法であって、
前記追記型情報記録媒体は、
記録再生の単位であるブロック単位に記録再生が行われ、
ユーザデータを記録するユーザデータ領域と、
前記ユーザデータ領域への記録状態を示す管理情報の記録を行う記録管理作業領域を少なくとも１つ割り付けることが出来る記録管理領域と、
前記記録管理領域の記録進行度合いを表す使用度合い情報を含む使用進捗管理領域とを備え、
前記情報再生方法は、
（ａ）前記使用進捗管理領域から、前記使用度合い情報を取得するステップ
（ｂ）前記ステップ（ａ）で取得した前記使用度合い情報をもとに前記記録管理領域における検索開始位置を算出するステップ
（ｃ）前記ステップ（ｂ）で算出した検索開始位置を基準として、記録済み領域と未記録領域の境界探索を行い、記録済み境界位置情報を取得するステップ
（ｄ）前記ステップ（ｃ）によって取得した前記記録済み境界位置情報の示す位置を基準に最新の前記管理情報を読み出すステップ
を備えることを特徴とする情報再生方法。
【請求項１８】
前記使用進捗管理領域には、前記使用度合い情報として、
前記使用進捗管理領域における記録済み領域の割合と、前記記録管理領域における記録済み領域の割合と相関が取れるように記録済み領域が存在し、
前記ステップ（ａ）は、
（ａ１）前記使用進捗管理領域における記録済みブロック数を求めるステップ
（ａ２）前記ステップ（ａ）で求めたブロック数と前記使用進捗管理領域の総ブロック数から、前記使用進捗管理領域における記録済み領域の割合を求めるステップ
をさらに備え、
前記ステップ（ｂ）は、
前記ステップ（ａ２）で求めた前記使用進捗管理領域の記録済み領域の割合から、前記記録管理領域の記録済み領域と未記録領域の境界が存在する位置を近似的に算出し、検索開始位置とするステップであること
を特徴とする請求項１７の情報再生方法。
【請求項１９】
前記使用進捗管理領域は、
前記記録管理領域中の記録済み領域の割合を示す記録済み領域割合情報を含み、
前記ステップ（ａ）は、
（ａ１）前記使用進捗管理領域に配置される最新の前記記録済み領域割合情報を取得するステップ
であり、
前記ステップ（ｂ）は、
前記ステップ（ａ１）で取得した前記記録済み領域割合情報から、前記記録管理領域の記録済み領域と未記録領域の境界が存在する位置を近似的に算出し、検索開始位置とするステップであること
を特徴とする請求項１７の情報再生方法。
【請求項２０】
前記使用進捗管理領域は、
前記記録管理領域中の記録済み領域と未記録領域の境界に関する情報である境界位置情報を含み、
前記ステップ（ａ）は、
前記使用進捗管理領域に配置される最新の前記境界位置情報を取得するステップであること
を特徴とする請求項１７の情報再生方法。
【請求項２１】
前記記録管理作業領域は
前記記録管理領域の先頭から末尾へ向かって順に割り付けられ、
前記ユーザデータ領域における記録状態を示す記録管理情報と、
前記記録管理情報の位置情報である記録管理情報位置情報を含むＤＤＳとから構成され、
前記記録管理作業領域の先頭から、前記記録管理情報、前記ＤＤＳの順番で配置され、
前記ステップ（ｄ）は、
（ｄ１）前記ステップ（ｃ）によって取得した前記記録済み境界位置情報である記録済み終端位置情報の示す位置を基準に最新の前記ＤＤＳを読み出すステップ
（ｄ２）前記ステップ（ｄ１）によって読み出した前記ＤＤＳから前記記録管理情報位置情報を取得するステップ
（ｄ３）前記ステップ（ｄ２）によって取得した前記記録管理情報位置情報の示す位置から最新の前記記録管理情報を読み出すステップ
をさらに備えることを特徴とする請求項１７または請求項１８または請求項１９または請求項２０記載の情報再生方法。
【請求項２２】
前記記録管理作業領域は
前記記録管理領域の末尾から先頭へ向かって順に割り付けられ、
前記ユーザデータ領域における記録状態を示す記録管理情報と、
前記記録管理情報の位置情報である記録管理情報位置情報を含むＤＤＳとから構成され、
前記記録管理作業領域の先頭から、前記ＤＤＳ、前記記録管理情報の順番で配置され、
前記ステップ（ｄ）は、
（ｄ１）前記ステップ（ｃ）によって取得した前記記録済み境界位置情報である記録済み先頭位置情報の示す位置を基準に最新の前記ＤＤＳを読み出すステップ
（ｄ２）前記ステップ（ｄ１）によって読み出した前記ＤＤＳから前記記録管理情報位置情報を取得するステップ
（ｄ３）前記ステップ（ｄ２）によって取得した前記記録管理情報位置情報の示す位置から最新の前記記録管理情報を読み出すステップ
をさらに備えることを特徴とする請求項１７または請求項１８または請求項１９または請求項２０記載の情報再生方法。
【請求項２３】
追記型情報記録媒体から情報を読み出す情報再生装置であって、
前記追記型情報記録媒体は、
記録再生の単位であるブロック単位に記録再生が行われ、
ユーザデータを記録するユーザデータ領域と、
前記ユーザデータ領域への記録状態を示す管理情報の記録を行う記録管理作業領域を少なくとも１つ割り付けることが出来る記録管理領域と、
前記記録管理領域の記録進行度合いを表す使用度合い情報を含む使用進捗管理領域とを備え、
前記情報再生装置は、
（ａ）前記使用進捗管理領域から、前記使用度合い情報を取得する手段
（ｂ）前記手段（ａ）で取得した前記使用度合い情報をもとに前記記録管理領域における検索開始位置を算出する手段
（ｃ）前記手段（ｂ）で算出した検索開始位置を基準として、記録済み領域と未記録領域の境界探索を行い、記録済み境界位置情報を取得する手段
（ｄ）前記手段（ｃ）によって取得した前記記録済み境界位置情報の示す位置を基準に最新の前記管理情報を読み出す手段
を備えることを特徴とする情報再生装置。
【請求項２４】
前記使用進捗管理領域には、前記使用度合い情報として、
前記使用進捗管理領域における記録済み領域の割合と、前記記録管理領域における記録済み領域の割合と相関が取れるように記録済み領域が存在し、
前記手段（ａ）は、
（ａ１）前記使用進捗管理領域における記録済みブロック数を求める手段
（ａ２）前記手段（ａ）で求めたブロック数と前記使用進捗管理領域の総ブロック数から、前記使用進捗管理領域における記録済み領域の割合を求める手段
をさらに備え、
前記手段（ｂ）は、
前記手段（ａ２）で求めた前記使用進捗管理領域の記録済み領域の割合から、前記記録管理領域の記録済み領域と未記録領域の境界が存在する位置を近似的に算出し、検索開始位置とする手段であること
を特徴とする請求項２３の情報再生装置。
【請求項２５】
前記使用進捗管理領域は、
前記記録管理領域中の記録済み領域の割合を示す記録済み領域割合情報を含み、
前記手段（ａ）は、
（ａ１）前記使用進捗管理領域に配置される最新の前記記録済み領域割合情報を取得する手段
であり、
前記手段（ｂ）は、
前記手段（ａ１）で取得した前記記録済み領域割合情報から、前記記録管理領域の記録済み領域と未記録領域の境界が存在する位置を近似的に算出し、検索開始位置とする手段であること
を特徴とする請求項２３の情報再生装置。
【請求項２６】
前記使用進捗管理領域は、
前記記録管理領域中の記録済み領域と未記録領域の境界に関する情報である境界位置情報を含み、
前記手段（ａ）は、
前記使用進捗管理領域に配置される最新の前記境界位置情報を取得する手段であること
を特徴とする請求項２３の情報再生装置。
【請求項２７】
前記記録管理作業領域は
前記記録管理領域の先頭から末尾へ向かって順に割り付けられ、
前記ユーザデータ領域における記録状態を示す記録管理情報と、
前記記録管理情報の位置情報である記録管理情報位置情報を含むＤＤＳとから構成され、
前記記録管理作業領域の先頭から、前記記録管理情報、前記ＤＤＳの順番で配置され、
前記手段（ｄ）は、
（ｄ１）前記手段（ｃ）によって取得した前記記録済み境界位置情報である記録済み終端位置情報の示す位置を基準に最新の前記ＤＤＳを読み出す手段
（ｄ２）前記手段（ｄ１）によって読み出した前記ＤＤＳから前記記録管理情報位置情報を取得する手段
（ｄ３）前記手段（ｄ２）によって取得した前記記録管理情報位置情報の示す位置から最新の前記記録管理情報を読み出す手段
をさらに備えることを特徴とする請求項２３または請求項２４または請求項２５または請求項２６記載の情報再生装置。
【請求項２８】
前記記録管理作業領域は
前記記録管理領域の末尾から先頭へ向かって順に割り付けられ、
前記ユーザデータ領域における記録状態を示す記録管理情報と、
前記記録管理情報の位置情報である記録管理情報位置情報を含むＤＤＳとから構成され、
前記記録管理作業領域の先頭から、前記ＤＤＳ、前記記録管理情報の順番で配置され、
前記手段（ｄ）は、
（ｄ１）前記手段（ｃ）によって取得した前記記録済み境界位置情報である記録済み先頭位置情報の示す位置を基準に最新の前記ＤＤＳを読み出す手段
（ｄ２）前記手段（ｄ１）によって読み出した前記ＤＤＳから前記記録管理情報位置情報を取得する手段
（ｄ３）前記手段（ｄ２）によって取得した前記記録管理情報位置情報の示す位置から最新の前記記録管理情報を読み出す手段
をさらに備えることを特徴とする請求項２３または請求項２４または請求項２５または請求項２６記載の情報再生装置。
【請求項２９】
追記型情報記録媒体へ情報を書き込む情報記録方法であって、
前記追記型情報記録媒体は、
記録再生の単位であるブロック単位に記録再生が行われ、
ユーザデータを記録するユーザデータ領域と、
前記ユーザデータ領域への記録状態を示す管理情報の記録を行う記録管理作業領域を少なくとも１つ割り付けることが出来る記録管理領域と、
前記記録管理領域の記録進行度合いを表す使用度合い情報を含む使用進捗管理領域とを備え、
前記情報記録方法は、
（ａ）前記記録管理領域の中で未記録である領域を記録管理作業領域として選択するステップ
（ｂ）前記ステップ（ａ）で選択した前記記録管理作業領域へ、前記管理情報を記録するステップ
（ｃ）前記記録管理領域の記録進行度合いをもとに前記使用度合い情報を算出するステップ
（ｄ）前記ステップ（ｃ）で求めた前記使用度合い情報に基づいて、前記使用進捗管理領域における未記録領域の先頭から記録を行うステップ
を備えることを特徴とする情報記録方法。
【請求項３０】
前記ステップ（ｃ）は、
（ｃ１）前記記録管理領域における記録済み領域の割合を算出するステップ
（ｃ２）前記ステップ（ｃ１）で求めた割合と前記使用管理進捗管理領域における記録済み領域の割合が相関が取れるように、前記使用進捗管理領域へ記録するブロック数を算出するステップ
とを備え、
前記ステップ（ｄ）は、
前記使用度合い情報として前記使用進捗管理領域における未記録領域の先頭から、前記ステップ（ｃ２）で求めたブロック数分の記録を行うステップであること
を特徴とする請求項２９記載の情報記録方法。
【請求項３１】
前記ステップ（ｃ）は、
（ｃ１）前記記録管理領域における記録済み領域の割合である記録済み領域割合情報を算出するステップ
であり、
前記ステップ（ｄ）は、
前記使用度合い情報として前記使用進捗管理領域における未記録領域の先頭から、前記ステップ（ｃ１）で求めた前記記録済み領域割合情報を記録するステップであること
を特徴とする請求項２９記載の情報記録方法。
【請求項３２】
前記ステップ（ｃ）は、
（ｃ１）前記記録管理領域における記録済み領域と未記録領域の境界に関する境界位置情報を算出するステップ
であり、
前記ステップ（ｄ）は、
前記使用度合い情報として前記使用進捗管理領域における未記録領域の先頭から、前記ステップ（ｃ１）で求めた前記境界位置情報を記録するステップであること
を特徴とする請求項２９記載の情報記録方法。
【請求項３３】
前記ステップ（ａ）は、
（ａ１）前記記録管理領域の中で未記録である領域の先頭を前記記録管理作業領域として選択するステップ
であり、
前記ステップ（ｂ）は、
（ｂ１）前記ステップ（ａ）で選択した前記記録管理作業領域を基準とした位置情報を、
前記ユーザデータ領域の記録状態を示す記録管理情報の位置情報である記録管理情報位置情報とするステップ
（ｂ２）前記ステップ（ａ）で選択した前記記録管理作業領域の先頭側から、前記記録管理情報の次に前記記録管理情報位置情報を含むＤＤＳを配置する形で記録するステップ
をさらに備えることを特徴とする請求項２９または請求項３０または請求項３１または請求項３２記載の情報記録方法。
【請求項３４】
前記ステップ（ａ）は、
（ａ１）前記記録管理領域の中で未記録である領域の先頭を前記記録管理作業領域として選択するステップ
であり、
前記ステップ（ｂ）は、
（ｂ１）前記ステップ（ａ１）で選択した前記記録管理作業領域を基準とした位置情報を、前記ユーザデータ領域の記録状態を示す記録管理情報の位置情報である記録管理情報位置情報とするステップ
（ｂ２）前記記録管理情報を前記記録管理情報位置情報の示す位置へ記録するステップ
（ｂ３）前記ステップ（ｂ２）で正常に記録できたかどうかを判断するステップ
（ｂ４）前記ステップ（ｂ３）で正常に記録できていないと判断された場合に、前記ステップ（ａ１）に戻るステップ
（ｂ５）前記ステップ（ｂ３）で正常に記録できたと判断された場合に、直前に記録した領域の次の領域に、前記記録管理情報位置情報を含むＤＤＳを記録するステップ
（ｂ６）前記ステップ（ｂ５）で正常に記録できたかどうかを判断するステップ
（ｂ７）前記ステップ（ｂ６）で正常に記録できていないと判断された場合に、前記ステップ（ｂ５）に戻るステップ
をさらに備えることを特徴とする請求項２９または請求項３０または請求項３１または請求項３２記載の情報記録方法。
【請求項３５】
前記ステップ（ａ）は、
（ａ１）前記記録管理領域の中で未記録である領域の末尾を前記記録管理作業領域として選択するステップ
であり、
前記ステップ（ｂ）は、
（ｂ１）前記ステップ（ａ１）で選択した前記記録管理作業領域を基準とした位置情報を、前記ユーザデータ領域の記録状態を示す記録管理情報の位置情報である記録管理情報位置情報とするステップ
（ｂ２）前記ステップ（ａ１）で選択した前記記録管理作業領域の先頭側から、前記記録管理情報位置情報を含むＤＤＳの次に前記記録管理情報を配置する形で記録するステップ
をさらに備えることを特徴とする請求項２９または請求項３０または請求項３１または請求項３２記載の情報記録方法。
【請求項３６】
前記ステップ（ａ）は、
（ａ１）前記記録管理領域の中で未記録である領域の末尾を前記記録管理作業領域として選択するステップ
であり、
前記ステップ（ｂ）は、
（ｂ１）前記ステップ（ａ１）で選択した前記記録管理作業領域を基準とした位置情報を、前記ユーザデータ領域の記録状態を示す記録管理情報の位置情報である記録管理情報位置情報とするステップ
（ｂ２）前記記録管理情報を前記記録管理情報位置情報の示す位置へ記録するステップ
（ｂ３）前記ステップ（ｂ２）で正常に記録できたかどうかを判断するステップ
（ｂ４）前記ステップ（ｂ３）で正常に記録できていないと判断された場合に、前記ステップ（ａ１）に戻るステップ
（ｂ５）前記ステップ（ｂ３）で正常に記録できたと判断された場合に、直前に記録した領域の前の領域に、前記記録管理情報位置情報を含むＤＤＳを記録するステップ
（ｂ６）前記ステップ（ｂ５）で正常に記録できたかどうかを判断するステップ
（ｂ７）前記ステップ（ｂ６）で正常に記録できていないと判断された場合に、前記ステップ（ｂ５）に戻るステップ
をさらに備えることを特徴とする請求項２９または請求項３０または請求項３１または請求項３２記載の情報記録方法。
【請求項３７】
追記型情報記録媒体へ情報を書き込む情報記録装置であって、
前記追記型情報記録媒体は、
記録再生の単位であるブロック単位に記録再生が行われ、
ユーザデータを記録するユーザデータ領域と、
前記ユーザデータ領域への記録状態を示す管理情報の記録を行う記録管理作業領域を少なくとも１つ割り付けることが出来る記録管理領域と、
前記記録管理領域の記録進行度合いを表す使用度合い情報を含む使用進捗管理領域とを備え、
前記情報記録装置は、
（ａ）前記記録管理領域の中で未記録である領域を記録管理作業領域として選択する手段
（ｂ）前記手段（ａ）で選択した前記記録管理作業領域へ、前記管理情報を記録する手段
（ｃ）前記記録管理領域の記録進行度合いをもとに前記使用度合い情報を算出する手段
（ｄ）前記手段（ｃ）で求めた前記使用度合い情報に基づいて、前記使用進捗管理領域における未記録領域の先頭から記録を行う手段
を備えることを特徴とする情報記録装置。
【請求項３８】
前記手段（ｃ）は、
（ｃ１）前記記録管理領域における記録済み領域の割合を算出する手段
（ｃ２）前記手段（ｃ１）で求めた割合と前記使用管理進捗管理領域における記録済み領域の割合が相関が取れるように、前記使用進捗管理領域へ記録するブロック数を算出する手段
とを備え、
前記手段（ｄ）は、
前記使用度合い情報として前記使用進捗管理領域における未記録領域の先頭から、前記手段（ｃ２）で求めたブロック数分の記録を行う手段であること
を特徴とする請求項３７記載の情報記録装置。
【請求項３９】
前記手段（ｃ）は、
（ｃ１）前記記録管理領域における記録済み領域の割合である記録済み領域割合情報を算出する手段
であり、
前記手段（ｄ）は、
前記使用度合い情報として前記使用進捗管理領域における未記録領域の先頭から、前記手段（ｃ１）で求めた前記記録済み領域割合情報を記録する手段であること
を特徴とする請求項３７記載の情報記録装置。
【請求項４０】
前記手段（ｃ）は、
（ｃ１）前記記録管理領域における記録済み領域と未記録領域の境界に関する境界位置情報を算出する手段
であり、
前記手段（ｄ）は、
前記使用度合い情報として前記使用進捗管理領域における未記録領域の先頭から、前記手段（ｃ１）で求めた前記境界位置情報を記録する手段であること
を特徴とする請求項３７記載の情報記録装置。
【請求項４１】
前記手段（ａ）は、
（ａ１）前記記録管理領域の中で未記録である領域の先頭を前記記録管理作業領域として選択する手段
であり、
前記手段（ｂ）は、
（ｂ１）前記手段（ａ）で選択した前記記録管理作業領域を基準とした位置情報を、前記ユーザデータ領域の記録状態を示す記録管理情報の位置情報である記録管理情報位置情報とする手段
（ｂ２）前記手段（ａ）で選択した前記記録管理作業領域の先頭側から、前記記録管理情報の次に前記記録管理情報位置情報を含むＤＤＳを配置する形で記録する手段
をさらに備えることを特徴とする請求項３７または請求項３８または請求項３９または請求項４０記載の情報記録装置。
【請求項４２】
前記手段（ａ）は、
（ａ１）前記記録管理領域の中で未記録である領域の先頭を前記記録管理作業領域として選択する手段
であり、
前記手段（ｂ）は、
（ｂ１）前記手段（ａ１）で選択した前記記録管理作業領域を基準とした位置情報を、前記ユーザデータ領域の記録状態を示す記録管理情報の位置情報である記録管理情報位置情報とする手段
（ｂ２）前記記録管理情報を前記記録管理情報位置情報の示す位置へ記録する手段
（ｂ３）前記手段（ｂ２）で正常に記録できたかどうかを判断する手段
（ｂ４）前記手段（ｂ３）で正常に記録できていないと判断された場合に、前記手段（ａ１）に戻る手段
（ｂ５）前記手段（ｂ３）で正常に記録できたと判断された場合に、直前に記録した領域の次の領域に、前記記録管理情報位置情報を含むＤＤＳを記録する手段
（ｂ６）前記手段（ｂ５）で正常に記録できたかどうかを判断する手段
（ｂ７）前記手段（ｂ６）で正常に記録できていないと判断された場合に、前記手段（ｂ５）に戻る手段
をさらに備えることを特徴とする請求項３７または請求項３８または請求項３９または請求項４０記載の情報記録装置。
【請求項４３】
前記手段（ａ）は、
（ａ１）前記記録管理領域の中で未記録である領域の末尾を前記記録管理作業領域として選択する手段
であり、
前記手段（ｂ）は、
（ｂ１）前記手段（ａ１）で選択した前記記録管理作業領域を基準とした位置情報を、前記ユーザデータ領域の記録状態を示す記録管理情報の位置情報である記録管理情報位置情報とする手段
（ｂ２）前記手段（ａ１）で選択した前記記録管理作業領域の先頭側から、前記記録管理情報位置情報を含むＤＤＳの次に前記記録管理情報を配置する形で記録する手段
をさらに備えることを特徴とする請求項３７または請求項３８または請求項３９または請求項４０記載の情報記録装置。
【請求項４４】
前記手段（ａ）は、
（ａ１）前記記録管理領域の中で未記録である領域の末尾を前記記録管理作業領域として選択する手段
であり、
前記手段（ｂ）は、
（ｂ１）前記手段（ａ１）で選択した前記記録管理作業領域を基準とした位置情報を、前記ユーザデータ領域の記録状態を示す記録管理情報の位置情報である記録管理情報位置情報とする手段
（ｂ２）前記記録管理情報を前記記録管理情報位置情報の示す位置へ記録する手段
（ｂ３）前記手段（ｂ２）で正常に記録できたかどうかを判断する手段
（ｂ４）前記手段（ｂ３）で正常に記録できていないと判断された場合に、前記手段（ａ１）に戻る手段
（ｂ５）前記手段（ｂ３）で正常に記録できたと判断された場合に、直前に記録した領域の前の領域に、前記記録管理情報位置情報を含むＤＤＳを記録する手段
（ｂ６）前記手段（ｂ５）で正常に記録できたかどうかを判断する手段
（ｂ７）前記手段（ｂ６）で正常に記録できていないと判断された場合に、前記手段（ｂ５）に戻る手段
をさらに備えることを特徴とする請求項３７または請求項３８または請求項３９または請求項４０記載の情報記録装置。
【請求項４５】
記録再生の単位であるブロック単位に記録再生を行う追記型情報記録媒体であって、
前記追記型情報記録媒体は、
ユーザデータを記録するユーザデータ領域と、
前記ユーザデータ領域への記録状態を示す管理情報の記録を行う記録管理作業領域を少なくとも１つ割り付けることが出来る少なくとも２つのゾーンからなる記録管理領域と
を備え、
少なくとも２つの前記ゾーンの中には、所定の位置に配置される基準となる１つの基準ゾーンを備え、
前記基準ゾーンには、１番目の前記記録管理作業領域、（Ｐ＋１）番目の前記記録管理領域、（Ｑ＋１）番目の前記記録管理領域、（Ｒ＋１）番目の前記記録管理領域・・・が配置され、
２番目の前記ゾーンには、２番目の前記記録管理作業領域、・・・、Ｐ番目の前記記録管理作業領域が配置され、
３番目の前記ゾーンには、（Ｐ＋２）番目の前記記録管理作業領域、・・・、Ｑ番目の前記記録管理作業領域が配置され、
４番目の前記ゾーンには、（Ｑ＋２）番目の前記記録管理作業領域、・・・、Ｒ番目の前記記録管理作業領域が配置され、・・・
（Ｐ、Ｑ、ＲはそれぞれＰ≦（Ｑ−２）、Ｑ≦（Ｒ−２）を満たす２以上の整数）
という上記関係を満たすように前記ゾーンに前記記録管理作業領域が配置されること
を特徴とする追記型情報記録媒体。
【請求項４６】
前記記録管理領域は、次回に前記管理情報を記録する位置情報である次の記録管理情報位置を含むＤＤＳ
を備えることを特徴とする請求項４５記載の追記型情報記録媒体。
【請求項４７】
前記ＤＤＳはさらに、
前記記録管理領域における前記記録管理情報の更新回数を示す更新カウンタ情報を含み、
（Ｐ−２）と（Ｑ−（Ｐ＋２））と（Ｒ−（Ｑ＋２））がそれぞれ等しいこと
を特徴とする、請求項４５または請求項４６記載の追記型情報記録媒体。
【請求項４８】
前記ゾーンはそれぞれ固定サイズであること
を特徴とする、請求項４５または請求項４６記載の追記型情報記録媒体。
【請求項４９】
前記記録管理作業領域は
前記ゾーンの先頭から末尾へ向かって順に割り付けられ、
前記ユーザデータ領域の記録状態を示す記録管理情報とＤＤＳとから構成され、
前記ＤＤＳは、
前記記録管理情報の位置情報である記録管理情報位置情報を含み、
前記記録管理作業領域の先頭から、前記記録管理情報、前記ＤＤＳの順番で配置されること
を特徴とする、請求項４５または請求項４６または請求項４７または請求項４８記載の追記型情報記録媒体。
【請求項５０】
前記記録管理作業領域は
前記ゾーンの末尾から先頭へ向かって順に割り付けられ、
前記ユーザデータ領域の記録状態を示す記録管理情報とＤＤＳとから構成され、
前記ＤＤＳは、
前記記録管理情報の位置情報である記録管理情報位置情報を含み、
前記記録管理作業領域の先頭から、前記ＤＤＳ、前記記録管理情報の順番で配置されること
を特徴とする、請求項４５または請求項４６または請求項４７または請求項４８記載の追記型情報記録媒体。
【請求項５１】
追記型情報記録媒体の記録済み領域と未記録領域の境界位置を求める検索方法であって、
前記追記型情報記録媒体は、
記録再生の単位であるブロック単位に記録再生が行われ、
ユーザデータを記録するユーザデータ領域と、
前記ユーザデータ領域への記録状態を示す管理情報の記録を行う記録管理作業領域を少なくとも１つ割り付けることが出来る少なくとも２つのゾーンからなる記録管理領域と
を備え、
少なくとも２つの前記ゾーンの中には、所定の位置に配置される基準となる１つの基準ゾーンを備え、
前記基準ゾーンには、１番目の前記記録管理作業領域、（Ｐ＋１）番目の前記記録管理領域、（Ｑ＋１）番目の前記記録管理領域、（Ｒ＋１）番目の前記記録管理領域・・・が配置され、
２番目の前記ゾーンには、２番目の前記記録管理作業領域、・・・、Ｐ番目の前記記録管理作業領域が配置され、
３番目の前記ゾーンには、（Ｐ＋２）番目の前記記録管理作業領域、・・・、Ｑ番目の前記記録管理作業領域が配置され、
４番目の前記ゾーンには、（Ｑ＋２）番目の前記記録管理作業領域、・・・、Ｒ番目の前記記録管理作業領域が配置され、・・・
（Ｐ、Ｑ、ＲはそれぞれＰ≦（Ｑ−２）、Ｑ≦（Ｒ−２）を満たす２以上の整数）
という上記関係を満たすように前記ゾーンに前記記録管理作業領域が配置され、
前記記録管理作業領域は、
次に前記管理情報の記録を行う前記記録管理作業領域の位置情報である次の記録管理情報位置情報を含むＤＤＳを備え、
前記ＤＤＳは前記記録管理作業領域の所定の位置に配置され、
前記検索方法は、
（ａ）前記基準ゾーンの記録済み領域と未記録領域の境界を検索し、その位置情報を取得するステップ
（ｂ）前記ステップ（ａ）で取得した前記位置情報の示す位置を基準に前記ＤＤＳを読み出すステップ
（ｃ）前記ステップ（ｂ）で読み出した前記ＤＤＳから、前記次の記録管理情報位置情報を取得するステップ
（ｄ）前記ステップ（ｃ）で取得した前記次の記録管理情報位置情報をもとに、検索対象ゾーンの検索開始位置を算出するステップ
（ｅ）前記ステップ（ｄ）で算出した前記検索開始位置を基準として、前記検索対象ゾーンにおける記録済み領域と未記録領域の境界探索を行うステップ
を備えることを特徴とする検索方法。
【請求項５２】
追記型情報記録媒体から情報を読み出す情報再生方法であって、
前記追記型情報記録媒体は、
記録再生の単位であるブロック単位に記録再生が行われ、
ユーザデータを記録するユーザデータ領域と、
前記ユーザデータ領域への記録状態を示す管理情報の記録を行う記録管理作業領域を少なくとも１つ割り付けることが出来る少なくとも２つのゾーンからなる記録管理領域と、
を備え、
少なくとも２つの前記ゾーンの中には、所定の位置に配置される基準となる１つの基準ゾーンを備え、
前記基準ゾーンには、１番目の前記記録管理作業領域、（Ｐ＋１）番目の前記記録管理領域、（Ｑ＋１）番目の前記記録管理領域、（Ｒ＋１）番目の前記記録管理領域・・・が配置され、
２番目の前記ゾーンには、２番目の前記記録管理作業領域、・・・、Ｐ番目の前記記録管理作業領域が配置され、
３番目の前記ゾーンには、（Ｐ＋２）番目の前記記録管理作業領域、・・・、Ｑ番目の前記記録管理作業領域が配置され、
４番目の前記ゾーンには、（Ｑ＋２）番目の前記記録管理作業領域、・・・、Ｒ番目の前記記録管理作業領域が配置され、・・・
（Ｐ、Ｑ、ＲはそれぞれＰ≦（Ｑ−２）、Ｑ≦（Ｒ−２）を満たす２以上の整数）
という上記関係を満たすように前記ゾーンに前記記録管理作業領域が配置され、
前記記録管理作業領域は、
前記ユーザデータ領域への記録状態を示す記録管理情報とＤＤＳとから構成され、
前記ＤＤＳは、
前記記録管理情報の位置情報である記録管理情報位置情報と、
次に前記前記管理情報の記録を行う前記記録管理作業領域の位置情報である次の記録管理情報位置情報と
を備え、
前記ＤＤＳは前記記録管理作業領域の所定の位置に配置され、
前記検索方法は、
（ａ）前記基準ゾーンの記録済み領域と未記録領域の境界を検索し、その位置情報を取得するステップ
（ｂ）前記ステップ（ａ）で取得した前記位置情報の示す位置を基準に前記ＤＤＳを読み出すステップ
（ｃ）前記ステップ（ｂ）で読み出した前記ＤＤＳから、前記次の記録管理情報位置情報を取得するステップ
（ｄ）前記ステップ（ｃ）で取得した前記次の記録管理情報位置情報をもとに、検索対象ゾーンの検索開始位置を算出するステップ
（ｅ）前記ステップ（ｄ）で算出した前記検索開始位置を基準として、前記検索対象ゾーンにおける記録済み領域と未記録領域の境界探索を行い、記録済み境界位置情報を取得するステップ
（ｆ）前記ステップ（ｅ）で検索した前記検索対象ゾーンが未記録状態であった場合に、前記ステップ（ａ）で求めた前記位置情報を前記記録済み境界位置情報とするステップ
（ｇ）前記ステップ（ｅ）または前記ステップ（ｆ）で求めた前記記録済み境界位置情報の示す位置を基準に前記ＤＤＳを読み出すステップ
（ｈ）前記ステップ（ｇ）で読み出した前記ＤＤＳから、前記記録管理情報位置情報を取得するステップ
（ｉ）前記ステップ（ｈ）で取得した前記記録管理情報位置情報の示す位置から最新の前記記録管理情報を読み出すステップ
を備えることを特徴とする情報再生方法。
【請求項５３】
前記記録管理作業領域は、
前記ゾーンの先頭から末尾へ向かって順に割り付けられ、
前記記録管理領域の先頭から、前記記録管理情報、前記ＤＤＳの順番で配置され、
前記ステップ（ａ）は、前記基準ゾーンの記録済み領域終端位置を検索し、その位置情報を取得するステップであり、
前記ステップ（ｅ）は、前記ステップ（ｄ）で算出した前記検索開始位置を基準として、前記検索対象ゾーンにおける記録済み領域終端位置を探索し、記録済み境界位置情報を取得するステップである
ことを特徴とする、請求項５２記載の情報再生方法。
【請求項５４】
前記記録管理作業領域は、
前記ゾーンの末尾から先頭へ向かって順に割り付けられ、
前記記録管理領域の先頭から、前記ＤＤＳ、前記記録管理情報の順番で配置され、
前記ステップ（ａ）は、前記基準ゾーンの記録済み領域先頭位置を検索し、その位置情報を取得するステップであり、
前記ステップ（ｅ）は、前記ステップ（ｄ）で算出した前記検索開始位置を基準として、前記検索対象ゾーンにおける記録済み領域先頭位置を探索し、記録済み境界位置情報を取得するステップである
ことを特徴とする、請求項５２記載の情報再生方法。
【請求項５５】
追記型情報記録媒体から情報を読み出す情報再生装置であって、
前記追記型情報記録媒体は、
記録再生の単位であるブロック単位に記録再生が行われ、
ユーザデータを記録するユーザデータ領域と、
前記ユーザデータ領域への記録状態を示す管理情報の記録を行う記録管理作業領域を少なくとも１つ割り付けることが出来る少なくとも２つのゾーンからなる記録管理領域と
を備え、
少なくとも２つの前記ゾーンの中には、所定の位置に配置される基準となる１つの基準ゾーンを備え、
前記基準ゾーンには、１番目の前記記録管理作業領域、（Ｐ＋１）番目の前記記録管理領域、（Ｑ＋１）番目の前記記録管理領域、（Ｒ＋１）番目の前記記録管理領域・・・が配置され、
２番目の前記ゾーンには、２番目の前記記録管理作業領域、・・・、Ｐ番目の前記記録管理作業領域が配置され、
３番目の前記ゾーンには、（Ｐ＋２）番目の前記記録管理作業領域、・・・、Ｑ番目の前記記録管理作業領域が配置され、
４番目の前記ゾーンには、（Ｑ＋２）番目の前記記録管理作業領域、・・・、Ｒ番目の前記記録管理作業領域が配置され、・・・
（Ｐ、Ｑ、ＲはそれぞれＰ≦（Ｑ−２）、Ｑ≦（Ｒ−２）を満たす２以上の整数）
という上記関係を満たすように前記ゾーンに前記記録管理作業領域が配置され、
前記記録管理作業領域は、
前記ユーザデータ領域への記録状態を示す記録管理情報とＤＤＳとから構成され、
前記ＤＤＳは、
前記記録管理情報の位置情報である記録管理情報位置情報と、
次に前記前記管理情報の記録を行う前記記録管理作業領域の位置情報である次の記録管理情報位置情報と
を備え、
前記ＤＤＳは前記記録管理作業領域の所定の位置に配置され、
前記検索装置は、
（ａ）前記基準ゾーンの記録済み領域と未記録領域の境界を検索し、その位置情報を取得する手段
（ｂ）前記手段（ａ）で取得した前記位置情報の示す位置を基準に前記ＤＤＳを読み出す手段
（ｃ）前記手段（ｂ）で読み出した前記ＤＤＳから、前記次の記録管理情報位置情報を取得する手段
（ｄ）前記手段（ｃ）で取得した前記次の記録管理情報位置情報をもとに、検索対象ゾーンの検索開始位置を算出する手段
（ｅ）前記手段（ｄ）で算出した前記検索開始位置を基準として、前記検索対象ゾーンにおける記録済み領域と未記録領域の境界探索を行い、記録済み境界位置情報を取得する手段
（ｆ）前記手段（ｅ）で検索した前記検索対象ゾーンが未記録状態であった場合に、前記手段（ａ）で求めた前記位置情報を前記記録済み境界位置情報とする手段
（ｇ）前記手段（ｅ）または前記手段（ｆ）で求めた前記記録済み境界位置情報の示す位置を基準に前記ＤＤＳを読み出す手段
（ｈ）前記手段（ｇ）で読み出した前記ＤＤＳから、前記記録管理情報位置情報を取得する手段
（ｉ）前記手段（ｈ）で取得した前記記録管理情報位置情報の示す位置から最新の前記記録管理情報を読み出す手段
を備えることを特徴とする情報再生装置。
【請求項５６】
前記記録管理作業領域は、
前記ゾーンの先頭から末尾へ向かって順に割り付けられ、
前記記録管理領域の先頭から、前記記録管理情報、前記ＤＤＳの順番で配置され、
前記手段（ａ）は、前記基準ゾーンの記録済み領域終端位置を検索し、その位置情報を取得する手段であり、
前記手段（ｅ）は、前記手段（ｄ）で算出した前記検索開始位置を基準として、前記検索対象ゾーンにおける記録済み領域終端位置を探索し、記録済み境界位置情報を取得する手段である
ことを特徴とする、請求項５５記載の情報再生装置。
【請求項５７】
前記記録管理作業領域は、
前記ゾーンの末尾から先頭へ向かって順に割り付けられ、
前記記録管理領域の先頭から、前記ＤＤＳ、前記記録管理情報の順番で配置され、
前記手段（ａ）は、前記基準ゾーンの記録済み領域先頭位置を検索し、その位置情報を取得する手段であり、
前記手段（ｅ）は、前記手段（ｄ）で算出した前記検索開始位置を基準として、前記検索対象ゾーンにおける記録済み領域先頭位置を探索し、記録済み境界位置情報を取得する手段である
ことを特徴とする、請求項５５記載の情報再生装置。
【請求項５８】
追記型情報記録媒体へ情報を書き込む情報記録方法であって、
前記追記型情報記録媒体は、
記録再生の単位であるブロック単位に記録再生が行われ、
ユーザデータを記録するユーザデータ領域と、
前記ユーザデータ領域への記録状態を示す管理情報の記録を行う記録管理作業領域を少なくとも１つ割り付けることが出来る少なくとも２つのゾーンからなる記録管理領域と、
を備え、
少なくとも２つの前記ゾーンの中には、所定の位置に配置される基準となる１つの基準ゾーンを備え、
前記基準ゾーンには、１番目の前記記録管理作業領域、（Ｐ＋１）番目の前記記録管理領域、（Ｑ＋１）番目の前記記録管理領域、（Ｒ＋１）番目の前記記録管理領域・・・が配置され、
２番目の前記ゾーンには、２番目の前記記録管理作業領域、・・・、Ｐ番目の前記記録管理作業領域が配置され、
３番目の前記ゾーンには、（Ｐ＋２）番目の前記記録管理作業領域、・・・、Ｑ番目の前記記録管理作業領域が配置され、
４番目の前記ゾーンには、（Ｑ＋２）番目の前記記録管理作業領域、・・・、Ｒ番目の前記記録管理作業領域が配置され、・・・
（Ｐ、Ｑ、ＲはそれぞれＰ≦（Ｑ−２）、Ｑ≦（Ｒ−２）を満たす２以上の整数）
という上記関係を満たすように前記ゾーンに前記記録管理作業領域が配置され、
前記情報記録方法は、
（ａ）前記管理情報の記録を行う記録対象ゾーンを算出するステップ
（ｂ）前記記録対象ゾーンの中で、未記録である領域を記録管理作業領域として選択するステップ
（ｃ）前記ステップ（ｂ）で選択した前記記録管理作業領域を基準とした位置情報を、
前記ユーザデータ領域への記録状態を示す記録管理情報の位置情報である記録管理情報位置情報とするステップ
（ｄ）前記ステップ（ｂ）で選択した前期記録管理作業領域の次に記録を行う前記記録管理作業領域の位置情報を次の記録管理情報位置情報とするステップ
（ｅ）前記ステップ（ｂ）で選択した前記記録管理作業領域に、前記記録管理情報と、前記記録管理情報の位置情報である記録管理情報位置情報と前記次の記録管理情報位置情報とを含むＤＤＳとを、前記記録管理作業領域の所定の位置に前記ＤＤＳを配置するように記録するステップ
を備えることを特徴とした情報記録方法。
【請求項５９】
前記記録管理作業領域は、
前記ゾーンの先頭から末尾へ向かって順に割り付けられ、
前記ステップ（ｅ）は、
前記ステップ（ｂ）で選択した前記記録管理作業領域の先頭側から、前記記録管理情報の次に、前記記録管理情報の位置情報である記録管理情報位置情報と前記次の記録管理情報位置情報とを含むＤＤＳを配置するように記録するステップであること
を特徴とする、請求項５８記載の情報記録方法。
【請求項６０】
前記記録管理作業領域は、
前記ゾーンの末尾から先頭へ向かって順に割り付けられ、
前記ステップ（ｅ）は、
前記ステップ（ｂ）で選択した前記記録管理作業領域の先頭側から、前記記録管理情報の位置情報である記録管理情報位置情報と前記次の記録管理情報位置情報とを含むＤＤＳの次に、前記記録管理情報を配置するように記録するステップであること
を特徴とする、請求項５８記載の情報記録方法。
【請求項６１】
追記型情報記録媒体へ情報を書き込む情報記録方法であって、
前記追記型情報記録媒体は、
記録再生の単位であるブロック単位に記録再生が行われ、
ユーザデータを記録するユーザデータ領域と、
前記ユーザデータ領域への記録状態を示す管理情報の記録を行う記録管理作業領域を少なくとも１つ割り付けることが出来る少なくとも２つのゾーンからなる記録管理領域と、
を備え、
少なくとも２つの前記ゾーンの中には、所定の位置に配置される基準となる１つの基準ゾーンを備え、
前記基準ゾーンには、１番目の前記記録管理作業領域、（Ｐ＋１）番目の前記記録管理領域、（Ｑ＋１）番目の前記記録管理領域、（Ｒ＋１）番目の前記記録管理領域・・・が配置され、
２番目の前記ゾーンには、２番目の前記記録管理作業領域、・・・、Ｐ番目の前記記録管理作業領域が配置され、
３番目の前記ゾーンには、（Ｐ＋２）番目の前記記録管理作業領域、・・・、Ｑ番目の前記記録管理作業領域が配置され、
４番目の前記ゾーンには、（Ｑ＋２）番目の前記記録管理作業領域、・・・、Ｒ番目の前記記録管理作業領域が配置され、・・・
（Ｐ、Ｑ、ＲはそれぞれＰ≦（Ｑ−２）、Ｑ≦（Ｒ−２）を満たす２以上の整数）
という上記関係を満たすように前記ゾーンに前記記録管理作業領域が配置され、
前記情報記録方法は、
（ａ）前記管理情報の記録を行う記録対象ゾーンを算出するステップ
（ｂ）前記記録対象ゾーンの中で、未記録である領域を記録管理作業領域として選択するステップ
（ｃ）前記ステップ（ｂ）で選択した前記記録管理作業領域を基準とした位置情報を、
前記ユーザデータ領域への記録状態を示す記録管理情報の位置情報である記録管理情報位置情報とするステップ
（ｄ）前記ステップ（ｂ）で選択した前期記録管理作業領域に前記記録管理情報を記録するステップ
（ｅ）前記ステップ（ｄ）で正常に記録できたかどうかを判断するステップ
（ｆ）前記ステップ（ｅ）で正常に記録できていないと判断された場合に、前記ステップ（ｃ）に戻るステップ
（ｇ）前記ステップ（ｅ）で正常に記録できたと判断された場合に、前記ステップ（ｂ）で選択した前期記録管理作業領域の次に記録を行う記録管理作業領域の位置情報を次の記録管理情報位置情報とするステップ
（ｈ）前記ステップ（ｂ）で選択した前期記録管理作業領域に、前記記録管理情報の位置情報である記録管理情報位置情報と前記次の記録管理情報位置情報とを含むＤＤＳを、前記記録管理作業領域の所定の位置に配置するように記録するステップ
（ｉ）前記ステップ（ｈ）で正常に記録できたかどうかを判断するステップ
（ｊ）前記ステップ（ｉ）で正常に記録できていないと判断された場合に、前記ステップ（ｇ）に戻るステップ
を備えることを特徴とした情報記録方法。
【請求項６２】
前記記録管理作業領域は、
前記ゾーンの先頭から末尾へ向かって順に割り付けられ、
前記ステップ（ｄ）は、
前記ステップ（ｂ）で選択した前期記録管理作業領域の先頭側に前記記録管理情報を配置するように記録するステップであり、
前記ステップ（ｈ）は、前記ステップ（ｂ）で選択した前期記録管理作業領域に、前記記録管理情報の位置情報である記録管理情報位置情報と前記次の記録管理情報位置情報とを含むＤＤＳを、前記記録管理作業領域において前記ステップ（ｄ）で記録した前記記録管理情報よりも末尾側の所定の位置に配置するように記録するステップであること
を特徴とする、請求項６１記載の情報記録方法。
【請求項６３】
前記記録管理作業領域は、
前記ゾーンの末尾から先頭へ向かって順に割り付けられ、
前記手段（ｄ）は、
前記手段（ｂ）で選択した前期記録管理作業領域の末尾側に前記記録管理情報を配置するように記録する手段であり、
前記手段（ｈ）は、前記手段（ｂ）で選択した前期記録管理作業領域に、前記記録管理情報の位置情報である記録管理情報位置情報と前記次の記録管理情報位置情報とを含むＤＤＳを、前記記録管理作業領域において前記手段（ｄ）で記録した前記記録管理情報よりも先頭側の所定の位置に配置するように記録する手段であること
を特徴とする、請求項６１記載の情報記録方法。
【請求項６４】
追記型情報記録媒体へ情報を書き込む情報記録装置であって、
前記追記型情報記録媒体は、
記録再生の単位であるブロック単位に記録再生が行われ、
ユーザデータを記録するユーザデータ領域と、
前記ユーザデータ領域への記録状態を示す管理情報の記録を行う記録管理作業領域を少なくとも１つ割り付けることが出来る少なくとも２つのゾーンからなる記録管理領域と、
を備え、
少なくとも２つの前記ゾーンの中には、所定の位置に配置される基準となる１つの基準ゾーンを備え、
前記基準ゾーンには、１番目の前記記録管理作業領域、（Ｐ＋１）番目の前記記録管理領域、（Ｑ＋１）番目の前記記録管理領域、（Ｒ＋１）番目の前記記録管理領域・・・が配置され、
２番目の前記ゾーンには、２番目の前記記録管理作業領域、・・・、Ｐ番目の前記記録管理作業領域が配置され、
３番目の前記ゾーンには、（Ｐ＋２）番目の前記記録管理作業領域、・・・、Ｑ番目の前記記録管理作業領域が配置され、
４番目の前記ゾーンには、（Ｑ＋２）番目の前記記録管理作業領域、・・・、Ｒ番目の前記記録管理作業領域が配置され、・・・
（Ｐ、Ｑ、ＲはそれぞれＰ≦（Ｑ−２）、Ｑ≦（Ｒ−２）を満たす２以上の整数）
という上記関係を満たすように前記ゾーンに前記記録管理作業領域が配置され、
前記情報記録装置は、
（ａ）前記管理情報の記録を行う記録対象ゾーンを算出する手段
（ｂ）前記記録対象ゾーンの中で、未記録である領域を記録管理作業領域として選択する手段
（ｃ）前記手段（ｂ）で選択した前記記録管理作業領域を基準とした位置情報を、
前記ユーザデータ領域への記録状態を示す記録管理情報の位置情報である記録管理情報位置情報とする手段
（ｄ）前記手段（ｂ）で選択した前期記録管理作業領域の次に記録を行う前記記録管理作業領域の位置情報を次の記録管理情報位置情報とする手段
（ｅ）前記手段（ｂ）で選択した前記記録管理作業領域に、前記記録管理情報と、前記記録管理情報の位置情報である記録管理情報位置情報と前記次の記録管理情報位置情報とを含むＤＤＳとを、前記記録管理作業領域の所定の位置に前記ＤＤＳを配置するように記録する手段
を備えることを特徴とした情報記録装置。
【請求項６５】
前記記録管理作業領域は、
前記ゾーンの先頭から末尾へ向かって順に割り付けられ、
前記手段（ｅ）は、
前記手段（ｂ）で選択した前記記録管理作業領域の先頭側から、前記記録管理情報の次に、前記記録管理情報の位置情報である記録管理情報位置情報と前記次の記録管理情報位置情報とを含むＤＤＳを配置するように記録する手段であること
を特徴とする、請求項６４記載の情報記録装置。
【請求項６６】
前記記録管理作業領域は、
前記ゾーンの末尾から先頭へ向かって順に割り付けられ、
前記手段（ｅ）は、
前記手段（ｂ）で選択した前記記録管理作業領域の先頭側から、前記記録管理情報の位置情報である記録管理情報位置情報と前記次の記録管理情報位置情報とを含むＤＤＳの次に、前記記録管理情報を配置するように記録する手段であること
を特徴とする、請求項６４記載の情報記録装置。
【請求項６７】
追記型情報記録媒体へ情報を書き込む情報記録装置であって、
前記追記型情報記録媒体は、
記録再生の単位であるブロック単位に記録再生が行われ、
ユーザデータを記録するユーザデータ領域と、
前記ユーザデータ領域への記録状態を示す管理情報の記録を行う記録管理作業領域を少なくとも１つ割り付けることが出来る少なくとも２つのゾーンからなる記録管理領域と、
を備え、
少なくとも２つの前記ゾーンの中には、所定の位置に配置される基準となる１つの基準ゾーンを備え、
前記基準ゾーンには、１番目の前記記録管理作業領域、（Ｐ＋１）番目の前記記録管理領域、（Ｑ＋１）番目の前記記録管理領域、（Ｒ＋１）番目の前記記録管理領域・・・が配置され、
２番目の前記ゾーンには、２番目の前記記録管理作業領域、・・・、Ｐ番目の前記記録管理作業領域が配置され、
３番目の前記ゾーンには、（Ｐ＋２）番目の前記記録管理作業領域、・・・、Ｑ番目の前記記録管理作業領域が配置され、
４番目の前記ゾーンには、（Ｑ＋２）番目の前記記録管理作業領域、・・・、Ｒ番目の前記記録管理作業領域が配置され、・・・
（Ｐ、Ｑ、ＲはそれぞれＰ≦（Ｑ−２）、Ｑ≦（Ｒ−２）を満たす２以上の整数）
という上記関係を満たすように前記ゾーンに前記記録管理作業領域が配置され、
前記情報記録装置は、
（ａ）前記管理情報の記録を行う記録対象ゾーンを算出する手段
（ｂ）前記記録対象ゾーンの中で、未記録である領域を記録管理作業領域として選択する手段
（ｃ）前記手段（ｂ）で選択した前記記録管理作業領域を基準とした位置情報を、
前記ユーザデータ領域への記録状態を示す記録管理情報の位置情報である記録管理情報位置情報とする手段
（ｄ）前記手段（ｂ）で選択した前期記録管理作業領域に前記記録管理情報を記録する手段
（ｅ）前記手段（ｄ）で正常に記録できたかどうかを判断する手段
（ｆ）前記手段（ｅ）で正常に記録できていないと判断された場合に、前記手段（ｃ）に戻る手段
（ｇ）前記手段（ｅ）で正常に記録できたと判断された場合に、前記手段（ｂ）で選択した前期記録管理作業領域の次に記録を行う記録管理作業領域の位置情報を次の記録管理情報位置情報とする手段
（ｈ）前記手段（ｂ）で選択した前期記録管理作業領域に、前記記録管理情報の位置情報である記録管理情報位置情報と前記次の記録管理情報位置情報とを含むＤＤＳを、前記記録管理作業領域の所定の位置に配置するように記録する手段
（ｉ）前記手段（ｈ）で正常に記録できたかどうかを判断する手段
（ｊ）前記手段（ｉ）で正常に記録できていないと判断された場合に、前記手段（ｇ）に戻る手段
を備えることを特徴とした情報記録装置。
【請求項６８】
前記記録管理作業領域は、
前記ゾーンの先頭から末尾へ向かって順に割り付けられ、
前記手段（ｄ）は、
前記手段（ｂ）で選択した前期記録管理作業領域の先頭側に前記記録管理情報を配置するように記録する手段であり、
前記手段（ｈ）は、前記手段（ｂ）で選択した前期記録管理作業領域に、前記記録管理情報の位置情報である記録管理情報位置情報と前記次の記録管理情報位置情報とを含むＤＤＳを、前記記録管理作業領域において前記手段（ｄ）で記録した前記記録管理情報よりも末尾側の所定の位置に配置するように記録する手段であること
を特徴とする、請求項６７記載の情報記録装置。
【請求項６９】
前記記録管理作業領域は、
前記ゾーンの末尾から先頭へ向かって順に割り付けられ、
前記手段（ｄ）は、
前記手段（ｂ）で選択した前期記録管理作業領域の末尾側に前記記録管理情報を配置するように記録する手段であり、
前記手段（ｈ）は、前記手段（ｂ）で選択した前期記録管理作業領域に、前記記録管理情報の位置情報である記録管理情報位置情報と前記次の記録管理情報位置情報とを含むＤＤＳを、前記記録管理作業領域において前記手段（ｄ）で記録した前記記録管理情報よりも先頭側の所定の位置に配置するように記録する手段であること
を特徴とする、請求項６７記載の情報記録装置。
【発明の詳細な説明】
【技術分野】
【０００１】
本発明は、追記型情報記録媒体、情報記録方法および情報再生方法、情報記録装置および情報再生装置に関する。
【背景技術】
【０００２】
情報記録媒体である光ディスクは、記録特性に応じて、いくつかの種類に分類される。
【０００３】
１回のみ記録可能なディスクとして、追記型ディスクがある。追記型ディスクは、一般的に再生専用ディスクとの互換性が高いことや、比較的安価なことなどから、近年著しく普及している。追記型ディスクの代表的なものとして、ＤＶＤ−ＲやＣＤ−Ｒが挙げられる。以下では、ＤＶＤ−Ｒを例に説明する（非特許文献１参照）。
【０００４】
図１は、一般的な追記型光ディスクの領域構成図である。円盤状の追記型光ディスク１には、スパイラル状に多数のトラック２が形成されており、各トラック２には細かく分けられた多数のブロック３が形成されている。ブロック３は、エラー訂正の単位であり、記録および再生動作が行われる最小の単位である。例えば、レーザとして赤色レーザを用いるＤＶＤ−ＲやＤＶＤ−ＲＡＭの場合には１ＥＣＣ（３２ＫＢｙｔｅ）サイズであり、レーザとして青色レーザを用いる大容量のＢＤ−ＷＯやＢＤ−ＲＥでは１クラスタ（６４ＫＢｙｔｅ）サイズである。
【０００５】
図２４は、ＤＶＤ−Ｒディスクのデータ構造を示す図である。
【０００６】
追記型光ディスク１であるＤＶＤ−Ｒディスクは、記録情報領域４と、情報領域５で構成される。
【０００７】
記録情報領域４は、記録管理領域（ＲＭＡ：Ｒｅｃｏｒｄｉｎｇ  Ｍａｎａｇｅｍｅｎｔ  Ａｒｅａ）で構成される。ＲＭＡ６は、後述のデータ領域８の記録状態等を管理するための固定サイズの領域である。
【０００８】
情報領域５は、リードイン領域７とデータ領域８とリードアウト領域９に大別される。ユーザデータの記録再生はデータ領域８に対して行われる。リードイン領域７とリードアウト領域９は、光ヘッド（図示せず）がデータ領域５の端へアクセスする場合に、光ヘッドがオーバーランしてもトラックに追随できるようにのりしろとしての役割を果たす領域であり、データ領域８にアクセスするのに必要なパラメータが格納される制御情報領域である。
【０００９】
またデータ領域８は、１つ以上のＲゾーン１０と呼ばれる記録区域に分割され、各Ｒゾーン１０の記録状態を示す情報はＲＭＡ６に記録される。
【００１０】
ＲＭＡ６は、複数の記録管理作業領域（ＴＲＭＡ：Ｔｅｍｐｏｒａｌｌｙ  Ｒｅｃｏｒｄｉｎｇ  Ｍａｎａｇｅｍｅｎｔ  Ａｒｅａ）１１から構成される。
【００１１】
ＴＲＭＡ１１は、Ｒゾーンの記録状態を示す情報である記録管理情報（ＲＭＤ：Ｒｅｃｏｒｄｉｎｇ  Ｍａｎａｇｅｍｅｎｔ  Ｄａｔａ）２１とディスク定義構造（ＤＤＳ：Ｄｉｓｃ  Ｄｉｆｉｎｉｔｉｏｎ  Ｓｔｒｕｃｔｕｒｅ）２０とから構成される。一般的に、新たなＲゾーン１０が生成された時や、記録装置からディスクが排出される時などにＲＭＤ２１およびＤＤＳ２０は更新される。
【００１２】
ＲＭＤ２１は可変サイズの情報であり、ＤＤＳ２０は固定サイズの情報である。つまり、ＴＲＭＡ１１は可変サイズの領域である。
【００１３】
図２５は、ＲＭＡ６においてＴＲＭＡ１１が追記されていく様子を説明した図である。
【００１４】
図中で黒く塗りつぶされたＴＲＭＡがＲＭＤおよびＤＤＳの記録が行われた領域であり、白く塗りつぶされたＴＲＭＡはまだ記録の行われていない未記録領域を示す。
【００１５】
図２５（ａ）は記録管理領域６に１回目のＲＭＤ２１およびＤＤＳ２０を記録した場合、図２５（ｂ）は記録管理領域６に２回目のＲＭＤ２１およびＤＤＳ２０を記録した場合、図２５（ｃ）は記録管理領域６に３回目のＲＭＤ２１およびＤＤＳ２０を記録した場合の例である。
【００１６】
この図に示すように、新たな記録管理情報が記録される場合は、記録管理領域６の先頭に配置されるＴＲＭＡ１１＃１から順に未記録領域の先頭に位置するＴＲＭＡへ記録される。従って、記録管理領域６における最新のＲＭＤ２１とＤＤＳ２０は、記録済み終端に隣接した記録済みのＴＲＭＡへ配置されることになる。
【００１７】
図２６は、ＲＭＤ２１のデータ構造を示す図である。
【００１８】
ＲＭＤ２１は、管理情報ヘッダと０個以上のＲゾーンエントリとを備える。
【００１９】
管理情報ヘッダは、ＲＭＤに含まれるＲゾーンエントリ数等の情報を含む。
【００２０】
Ｒゾーンエントリは、対象とするＲゾーン１０における開始位置であるＲゾーン開始位置３７と、そのＲゾーン１０における最終記録位置情報であるＲゾーン最終記録位置３８とから構成される。
【００２１】
図２４のようにデータ領域８上にＭ個（Ｍは１以上の整数）のＲゾーン１０が存在する場合、管理情報ヘッダにおけるＲゾーンエントリ数はＭであり、Ｍ個のＲゾーンエントリが配置される。なお、対応するＲゾーンが未記録状態の場合などには、Ｒゾーン最終記録位置３８として０が格納される。
【００２２】
ただし、ＲＭＡ６には、Ｒゾーン１０における記録終端位置が更新されるたびに最新のＲＭＤ２１が記録されるわけではなく、記録装置が予期せぬタイミングで電源切断された場合などは、読み出したＲＭＤ２１における対象Ｒゾーン１０のＲゾーンエントリにおけるＲゾーン最終記録位置３８と真の最終記録済み位置が一致しない場合が考えられる。そのため、記録済み領域と未記録領域の境界を探索することにより、真の最終記録済み位置を求める方法を取る。
【００２３】
図２７は従来の追記型光ディスクに対する光ディスク記録再生装置２００の構成図である。
【００２４】
光ディスク記録再生装置１００は、上位制御装置（図示せず）にＩ／Ｏバス１７０を介して接続されている。上位制御装置は、典型的には、ホストコンピュータである。
【００２５】
光ディスク記録再生装置１００は、上位制御装置からの命令を処理する命令処理部１１０と、光ディスク１への記録時の制御を行う記録制御部１２０と、光ディスク１からの再生時の制御を行う再生制御部１３０と、記録管理作業領域１１から再生したＲＭＤ２１やＤＤＳ２０の内容を格納する記録管理情報格納バッファ１４０と、記録及び再生データを一時的に格納するデータバッファ１５０と、ＲＭＤ２１やＤＤＳ２０に関する処理を行う記録管理情報処理部１６０とを機能的に備えている。
【００２６】
記録管理情報処理部１６０は、記録管理領域６の中で最後に記録された記録管理作業領域１１をサーチしてからその内容を記録管理情報格納バッファ１４０に読み出す記録管理情報読み出し部１６１と、Ｒゾーン１０における最終記録位置情報などが変化した場合に記録管理情報格納バッファ１４０の内容を更新して新規にＲＭＤ２１やＤＤＳ２０を作成する記録管理情報更新部１６４と、記録管理情報処理部１６０の動作制御状態を記憶する記録管理情報制御メモリ１６３と、記録管理情報更新部１６４によって更新された情報を利用可能な記録管理作業領域１１へ書き込む記録管理作業情報書き込み部１６２とを含む。
【００２７】
未記録領域の判定は、一般的に、再生信号の振幅が所定の値を超えるかどうかで判断し、所定の値を超えた場合は記録済み領域であると判断し、所定の値を超えない場合は未記録領域であると判断する。
【００２８】
図２９は、従来例における追記型光ディスクの記録管理領域６における記録済み終端位置の検索処理説明図であり、図２８はその処理のフロー図である。
【００２９】
なお、以下では、振幅があるとは再生信号の振幅が所定の値を超える場合、振幅がないとは再生信号の振幅が所定の値を超えない場合と同じ意味で用いる。
【００３０】
まず記録管理情報読み出し部１６１は、第１の振幅検査として記録管理領域６の先頭から所定ブロックおきに再生信号の振幅がなくなるまで検査を行う（ステップ２８０１）。ここで再生信号の振幅検査は、ディスクの種類・状態等に関わらず、常に一定ブロックおきに行う。
【００３１】
次に第２の振幅検査として、振幅があった位置から振幅がなかった位置の間で振幅がなくなる位置を検査する（ステップ２８０２）。
【００３２】
そして検査により求まった記録済み終端の記録管理領域６の位置を、記録済み終端位置として取得する（ステップ２８０３）。
【非特許文献１】”８０ｍｍ（１，２３Ｇｂｙｔｅｓ  ｐｅｒ  ｓｉｄｅ）  ａｎｄ  １２０ｍｍ  （３，９５Ｇｂｙｔｅｓ  ｐｅｒ  ｓｉｄｅ）  ＤＶＤ−Ｒｅｃｏｒｄａｂｌｅ  Ｄｉｓｋ  （ＤＶＤ−Ｒ）”，Ｓｔａｎｄａｒｄ  ＥＣＭＡ−２７９，Ｄｅｃｅｍｂｅｒ  １９９８
【発明の開示】
【発明が解決しようとする課題】
【００３３】
しかしながら、記録媒体自体の容量が更に大容量になった場合、記録管理作業領域のサイズもそれに伴って大きくなるため、記録管理領域のサイズも大きくなる。この場合、記録管理領域の先頭から順に未記録領域の検索を行うことで最新のディスク定義構造・記録管理情報を検索するという従来の検索方法では、記録管理領域のサイズが大きくなるに伴って検索時間も増加するため、効率が悪いという問題があった。
【００３４】
そこで、記録管理領域のサイズが大きくなった場合でも、最新のディスク定義構造・記録管理情報の検索を短時間で効率的に行うことが可能な追記型光ディスク、およびその検索方法が望まれている。
【課題を解決するための手段】
【００３５】
この課題を解決するため、本発明の請求項１の検索方法は、追記型情報記録媒体の記録済み領域と未記録領域の境界位置を求める検索方法であって、前記追記型情報記録媒体は、記録再生の単位であるブロック単位に記録再生が行われ、ユーザデータを記録するユーザデータ領域と、前記ユーザデータ領域への記録状態を示す管理情報の記録を行う記録管理作業領域を少なくとも１つ割り付けることが出来る記録管理領域とを備え、前記記録管理領域は可変サイズの領域であって、前記検索方法は、（ａ）前記記録管理領域のサイズをもとに、ジャンプブロック数を算出するステップ（ｂ）第１の振幅検査として、前記記録管理領域の先頭から前記ステップ（ａ）で求めたブロックおきに再生信号の振幅がなくなる位置まで検査を行うステップ（ｃ）第２の振幅検査として、振幅があった位置から振幅がなかった位置の間で振幅がなくなる位置を検査するステップを備えることを特徴としている。
【００３６】
この課題を解決するため、本発明の請求項２の検索方法は、本発明の請求項１の特徴に加えて、前記ステップ（ａ）は、前記記録管理領域のサイズに比例するように、前記ジャンプブロック数を算出するステップであることを特徴としている。
【００３７】
この課題を解決するため、本発明の請求項３の検索方法は、本発明の請求項１または請求項２の特徴に加えて、前記記録管理作業領域は、前記記録管理領域のサイズを示す記録管理領域サイズ情報を含むＤＤＳを備え、前記ＤＤＳは前記記録管理作業領域の所定の位置に配置され、前記ステップ（ａ）は、（ａ１）前記ＤＤＳから前記記録管理領域サイズを取得するステップ（ａ２）前記ステップ（ａ１）で取得した前記記録管理領域サイズをもとに、ジャンプブロック数を算出するステップとを備えることを特徴としている。
【００３８】
この課題を解決するため、本発明の請求項４の情報再生装置は、追記型情報記録媒体の記録済み領域と未記録領域の境界位置を求める情報再生装置であって、前記追記型情報記録媒体は、記録再生の単位であるブロック単位に記録再生が行われ、ユーザデータを記録するユーザデータ領域と、前記ユーザデータ領域への記録状態を示す管理情報の記録を行う記録管理作業領域を少なくとも１つ割り付けることが出来る記録管理領域とを備え、前記記録管理領域は可変サイズの領域であって、前記情報再生装置は、（ａ）前記記録管理領域のサイズをもとに、ジャンプブロック数を算出する手段（ｂ）第１の振幅検査として、前記記録管理領域の先頭から前記手段（ａ）で求めたブロックおきに再生信号の振幅がなくなる位置まで検査を行う手段（ｃ）第２の振幅検査として、振幅があった位置から振幅がなかった位置の間で振幅がなくなる位置を検査する手段を備えることを特徴としている。
【００３９】
この課題を解決するため、本発明の請求項５の情報再生装置は、本発明の請求項４の特徴に加えて  前記手段（ａ）は、前記記録管理領域のサイズに比例するように、前記ジャンプブロック数を算出する手段であることを特徴としている。
【００４０】
この課題を解決するため、本発明の請求項６の情報再生装置は、本発明の請求項４または請求項５の特徴に加えて前記記録管理作業領域は、前記記録管理領域のサイズを示す記録管理領域サイズ情報を含むＤＤＳを備え、前記ＤＤＳは前記記録管理作業領域の所定の位置に配置され、前記手段（ａ）は、（ａ１）前記ＤＤＳから前記記録管理領域サイズを取得する手段（ａ２）前記手段（ａ１）で取得した前記記録管理領域サイズをもとに、ジャンプブロック数を算出する手段とを備えることを特徴としている。
【００４１】
この課題を解決するため、本発明の請求項７の追記型情報記録媒体は、記録再生の単位であるブロック単位に記録再生を行う追記型情報記録媒体であって、前記追記型情報記録媒体は、ユーザデータを記録するユーザデータ領域と、前記ユーザデータ領域への記録状態を示す管理情報の記録を行う記録管理作業領域を少なくとも１つ割り付けることが出来る記録管理領域と、前記記録管理領域の記録進行度合いを表す使用度合い情報を含む使用進捗管理領域とを備えることを特徴としている。
【００４２】
この課題を解決するため、本発明の請求項８の追記型情報記録媒体は、本発明の請求項７の特徴に加えて、前記使用進捗管理領域には、前記使用度合い情報として、前記使用進捗管理領域における記録済み領域の割合と、前記記録管理領域における記録済み領域の割合と相関が取れるように記録済み領域が存在することを特徴としている。
【００４３】
この課題を解決するため、本発明の請求項９の追記型情報記録媒体は、本発明の請求項７の特徴に加えて、前記使用度合い情報とは、前記記録管理領域の記録済み領域の割合を示す記録済み領域割合情報であることを特徴としている。
【００４４】
この課題を解決するため、本発明の請求項１０の追記型情報記録媒体は、本発明の請求項７の特徴に加えて、前記使用度合い情報とは、前記記録管理領域の最終記録位置に関する情報であることを特徴としている。
【００４５】
この課題を解決するため、本発明の請求項１１の追記型情報記録媒体は、本発明の請求項７または請求項８または請求項９または請求項１０の特徴に加えて、前記記録管理作業領域は前記記録管理領域の先頭から末尾へ向かって順に割り付けられ、前記ユーザデータ領域の記録状態を示す記録管理情報と、前記記録管理情報の位置情報である記録管理情報位置情報を含むＤＤＳとから構成され、前記記録管理作業領域の先頭から、前記記録管理情報、前記ＤＤＳの順番で配置されることを特徴としている。
【００４６】
この課題を解決するため、本発明の請求項１２の追記型情報記録媒体は、本発明の請求項７または請求項８または請求項９または請求項１０の特徴に加えて、前記記録管理作業領域は前記記録管理領域の末尾から先頭へ向かって順に割り付けられ、前記ユーザデータ領域の記録状態を示す記録管理情報と、前記記録管理情報の位置情報である記録管理情報位置情報を含むＤＤＳとから構成され、前記記録管理作業領域の先頭から、前記ＤＤＳ、前記記録管理情報の順番で配置されることを特徴としている。
【００４７】
この課題を解決するため、本発明の請求項１３の検索方法は、追記型情報記録媒体の記録済み領域と未記録領域の境界位置を求める検索方法であって、前記追記型情報記録媒体は、記録再生の単位であるブロック単位に記録再生が行われ、ユーザデータを記録するユーザデータ領域と、前記ユーザデータ領域への記録状態を示す管理情報の記録を行う記録管理作業領域を少なくとも１つ割り付けることが出来る記録管理領域と、前記記録管理領域の記録進行度合いを表す使用度合い情報を含む使用進捗管理領域とを備え、前記検索方法は、（ａ）前記使用進捗管理領域から、前記使用度合い情報を取得するステップ（ｂ）前記ステップ（ａ）で取得した前記使用度合い情報をもとに前記記録管理領域における検索開始位置を算出するステップ（ｃ）前記ステップ（ｂ）で算出した検索開始位置を基準として、記録済み領域と未記録領域の境界探索を行うステップを備えることを特徴としている。
【００４８】
この課題を解決するため、本発明の請求項１４の検索方法は、本発明の請求項１３の特徴に加えて、前記使用進捗管理領域には、前記使用度合い情報として、前記使用進捗管理領域における記録済み領域の割合と、前記記録管理領域における記録済み領域の割合と相関が取れるように記録済み領域が存在し、前記ステップ（ａ）は、（ａ１）前記使用進捗管理領域における記録済みブロック数を求めるステップ（ａ２）前記ステップ（ａ）で求めたブロック数と前記使用進捗管理領域の総ブロック数から、前記使用進捗管理領域における記録済み領域の割合を求めるステップをさらに備え、前記ステップ（ｂ）は、前記ステップ（ａ２）で求めた前記使用進捗管理領域の記録済み領域の割合から、前記記録管理領域の記録済み領域と未記録領域の境界が存在する位置を近似的に算出し、検索開始位置とするステップであることを特徴としている。
【００４９】
この課題を解決するため、本発明の請求項１５の検索方法は、本発明の請求項１３の特徴に加えて、前記使用進捗管理領域は、前記記録管理領域中の記録済み領域の割合を示す記録済み領域割合情報を含み、前記ステップ（ａ）は、（ａ１）前記使用進捗管理領域に配置される最新の前記記録済み領域割合情報を取得するステップであり、前記ステップ（ｂ）は、前記ステップ（ａ１）で取得した前記記録済み領域割合情報から、前記記録管理領域の記録済み領域と未記録領域の境界が存在する位置を近似的に算出し、検索開始位置とするステップであることを特徴としている。
【００５０】
この課題を解決するため、本発明の請求項１６の検索方法は、本発明の請求項１３の特徴に加えて、前記使用進捗管理領域は、前記記録管理領域中の記録済み領域と未記録領域の境界に関する情報である境界位置情報を含み、前記ステップ（ａ）は、前記使用進捗管理領域に配置される最新の前記境界位置情報を取得するステップであることを特徴としている。
【００５１】
この課題を解決するため、本発明の請求項１７の情報再生方法は、追記型情報記録媒体から情報を読み出す情報再生方法であって、前記追記型情報記録媒体は、記録再生の単位であるブロック単位に記録再生が行われ、ユーザデータを記録するユーザデータ領域と、前記ユーザデータ領域への記録状態を示す管理情報の記録を行う記録管理作業領域を少なくとも１つ割り付けることが出来る記録管理領域と、前記記録管理領域の記録進行度合いを表す使用度合い情報を含む使用進捗管理領域とを備え、前記情報再生方法は、（ａ）前記使用進捗管理領域から、前記使用度合い情報を取得するステップ（ｂ）前記ステップ（ａ）で取得した前記使用度合い情報をもとに前記記録管理領域における検索開始位置を算出するステップ（ｃ）前記ステップ（ｂ）で算出した検索開始位置を基準として、記録済み領域と未記録領域の境界探索を行い、記録済み境界位置情報を取得するステップ（ｄ）前記ステップ（ｃ）によって取得した前記記録済み境界位置情報の示す位置を基準に最新の前記管理情報を読み出すステップを備えることを特徴としている。
【００５２】
この課題を解決するため、本発明の請求項１８の情報再生方法は、本発明の請求項１７の特徴に加えて、前記使用進捗管理領域には、前記使用度合い情報として、前記使用進捗管理領域における記録済み領域の割合と、前記記録管理領域における記録済み領域の割合と相関が取れるように記録済み領域が存在し、前記ステップ（ａ）は、（ａ１）前記使用進捗管理領域における記録済みブロック数を求めるステップ（ａ２）前記ステップ（ａ）で求めたブロック数と前記使用進捗管理領域の総ブロック数から、前記使用進捗管理領域における記録済み領域の割合を求めるステップをさらに備え、前記ステップ（ｂ）は、前記ステップ（ａ２）で求めた前記使用進捗管理領域の記録済み領域の割合から、前記記録管理領域の記録済み領域と未記録領域の境界が存在する位置を近似的に算出し、検索開始位置とするステップであることを特徴としている。
【００５３】
この課題を解決するため、本発明の請求項１９の情報再生方法は、本発明の請求項１７の特徴に加えて、前記使用進捗管理領域は、前記記録管理領域中の記録済み領域の割合を示す記録済み領域割合情報を含み、前記ステップ（ａ）は、（ａ１）前記使用進捗管理領域に配置される最新の前記記録済み領域割合情報を取得するステップであり、前記ステップ（ｂ）は、前記ステップ（ａ１）で取得した前記記録済み領域割合情報から、前記記録管理領域の記録済み領域と未記録領域の境界が存在する位置を近似的に算出し、検索開始位置とするステップであることを特徴としている。
【００５４】
この課題を解決するため、本発明の請求項２０の情報再生方法は、本発明の請求項１７の特徴に加えて、前記使用進捗管理領域は、前記記録管理領域中の記録済み領域と未記録領域の境界に関する情報である境界位置情報を含み、前記ステップ（ａ）は、前記使用進捗管理領域に配置される最新の前記境界位置情報を取得するステップであることを特徴としている。
【００５５】
この課題を解決するため、本発明の請求項２１の情報再生方法は、本発明の請求項１７または請求項１８または請求項１９または請求項２０の特徴に加えて、前記記録管理作業領域は前記記録管理領域の先頭から末尾へ向かって順に割り付けられ、前記ユーザデータ領域における記録状態を示す記録管理情報と、前記記録管理情報の位置情報である記録管理情報位置情報を含むＤＤＳとから構成され、前記記録管理作業領域の先頭から、前記記録管理情報、前記ＤＤＳの順番で配置され、前記ステップ（ｄ）は、（ｄ１）前記ステップ（ｃ）によって取得した前記記録済み境界位置情報である記録済み終端位置情報の示す位置を基準に最新の前記ＤＤＳを読み出すステップ（ｄ２）前記ステップ（ｄ１）によって読み出した前記ＤＤＳから前記記録管理情報位置情報を取得するステップ（ｄ３）前記ステップ（ｄ２）によって取得した前記記録管理情報位置情報の示す位置から最新の前記記録管理情報を読み出すステップをさらに備えることを特徴としている。
【００５６】
この課題を解決するため、本発明の請求項２２の情報再生方法は、本発明の請求項１７または請求項１８または請求項１９または請求項２０の特徴に加えて、前記記録管理作業領域は前記記録管理領域の末尾から先頭へ向かって順に割り付けられ、前記ユーザデータ領域における記録状態を示す記録管理情報と、前記記録管理情報の位置情報である記録管理情報位置情報を含むＤＤＳとから構成され、前記記録管理作業領域の先頭から、前記ＤＤＳ、前記記録管理情報の順番で配置され、前記ステップ（ｄ）は、（ｄ１）前記ステップ（ｃ）によって取得した前記記録済み境界位置情報である記録済み先頭位置情報の示す位置を基準に最新の前記ＤＤＳを読み出すステップ（ｄ２）前記ステップ（ｄ１）によって読み出した前記ＤＤＳから前記記録管理情報位置情報を取得するステップ（ｄ３）前記ステップ（ｄ２）によって取得した前記記録管理情報位置情報の示す位置から最新の前記記録管理情報を読み出すステップをさらに備えることを特徴としている。
【００５７】
この課題を解決するため、本発明の請求項２３の情報再生装置は、追記型情報記録媒体から情報を読み出す情報再生装置であって、前記追記型情報記録媒体は、記録再生の単位であるブロック単位に記録再生が行われ、ユーザデータを記録するユーザデータ領域と、前記ユーザデータ領域への記録状態を示す管理情報の記録を行う記録管理作業領域を少なくとも１つ割り付けることが出来る記録管理領域と、前記記録管理領域の記録進行度合いを表す使用度合い情報を含む使用進捗管理領域とを備え、前記情報再生装置は、（ａ）前記使用進捗管理領域から、前記使用度合い情報を取得する手段（ｂ）前記手段（ａ）で取得した前記使用度合い情報をもとに前記記録管理領域における検索開始位置を算出する手段（ｃ）前記手段（ｂ）で算出した検索開始位置を基準として、記録済み領域と未記録領域の境界探索を行い、記録済み境界位置情報を取得する手段（ｄ）前記手段（ｃ）によって取得した前記記録済み境界位置情報の示す位置を基準に最新の前記管理情報を読み出す手段を備えることを特徴としている。
【００５８】
この課題を解決するため、本発明の請求項２４の情報再生装置は、本発明の請求項２３の特徴に加えて、前記使用進捗管理領域には、前記使用度合い情報として、前記使用進捗管理領域における記録済み領域の割合と、前記記録管理領域における記録済み領域の割合と相関が取れるように記録済み領域が存在し、前記手段（ａ）は、（ａ１）前記使用進捗管理領域における記録済みブロック数を求める手段（ａ２）前記手段（ａ）で求めたブロック数と前記使用進捗管理領域の総ブロック数から、前記使用進捗管理領域における記録済み領域の割合を求める手段をさらに備え、前記手段（ｂ）は、前記手段（ａ２）で求めた前記使用進捗管理領域の記録済み領域の割合から、前記記録管理領域の記録済み領域と未記録領域の境界が存在する位置を近似的に算出し、検索開始位置とする手段であることを特徴としている。
【００５９】
この課題を解決するため、本発明の請求項２５の情報再生装置は、本発明の請求項２３の特徴に加えて、前記使用進捗管理領域は、前記記録管理領域中の記録済み領域の割合を示す記録済み領域割合情報を含み、前記手段（ａ）は、（ａ１）前記使用進捗管理領域に配置される最新の前記記録済み領域割合情報を取得する手段であり、前記手段（ｂ）は、前記手段（ａ１）で取得した前記記録済み領域割合情報から、前記記録管理領域の記録済み領域と未記録領域の境界が存在する位置を近似的に算出し、検索開始位置とする手段であることを特徴としている。
【００６０】
この課題を解決するため、本発明の請求項２６の情報再生装置は、本発明の請求項２３の特徴に加えて、前記使用進捗管理領域は、前記記録管理領域中の記録済み領域と未記録領域の境界に関する情報である境界位置情報を含み、前記手段（ａ）は、前記使用進捗管理領域に配置される最新の前記境界位置情報を取得する手段であることを特徴としている。
【００６１】
この課題を解決するため、本発明の請求項２７の情報再生装置は、本発明の請求項２３または請求項２４または請求項２５または請求項２６の特徴に加えて、前記記録管理作業領域は前記記録管理領域の先頭から末尾へ向かって順に割り付けられ、前記ユーザデータ領域における記録状態を示す記録管理情報と、前記記録管理情報の位置情報である記録管理情報位置情報を含むＤＤＳとから構成され、前記記録管理作業領域の先頭から、前記記録管理情報、前記ＤＤＳの順番で配置され、前記手段（ｄ）は、（ｄ１）前記手段（ｃ）によって取得した前記記録済み境界位置情報である記録済み終端位置情報の示す位置を基準に最新の前記ＤＤＳを読み出す手段（ｄ２）前記手段（ｄ１）によって読み出した前記ＤＤＳから前記記録管理情報位置情報を取得する手段（ｄ３）前記手段（ｄ２）によって取得した前記記録管理情報位置情報の示す位置から最新の前記記録管理情報を読み出す手段をさらに備えることを特徴としている。
【００６２】
この課題を解決するため、本発明の請求項２８の情報再生装置は、本発明の請求項２３または請求項２４または請求項２５または請求項２６の特徴に加えて、前記記録管理作業領域は前記記録管理領域の末尾から先頭へ向かって順に割り付けられ、前記ユーザデータ領域における記録状態を示す記録管理情報と、前記記録管理情報の位置情報である記録管理情報位置情報を含むＤＤＳとから構成され、前記記録管理作業領域の先頭から、前記ＤＤＳ、前記記録管理情報の順番で配置され、前記手段（ｄ）は、（ｄ１）前記手段（ｃ）によって取得した前記記録済み境界位置情報である記録済み先頭位置情報の示す位置を基準に最新の前記ＤＤＳを読み出す手段（ｄ２）前記手段（ｄ１）によって読み出した前記ＤＤＳから前記記録管理情報位置情報を取得する手段（ｄ３）前記手段（ｄ２）によって取得した前記記録管理情報位置情報の示す位置から最新の前記記録管理情報を読み出す手段をさらに備えることを特徴としている。
【００６３】
この課題を解決するため、本発明の請求項２９の情報記録方法は、追記型情報記録媒体へ情報を書き込む情報記録方法であって、前記追記型情報記録媒体は、記録再生の単位であるブロック単位に記録再生が行われ、ユーザデータを記録するユーザデータ領域と、前記ユーザデータ領域への記録状態を示す管理情報の記録を行う記録管理作業領域を少なくとも１つ割り付けることが出来る記録管理領域と、前記記録管理領域の記録進行度合いを表す使用度合い情報を含む使用進捗管理領域とを備え、前記情報記録方法は、（ａ）前記記録管理領域の中で未記録である領域を記録管理作業領域として選択するステップ（ｂ）前記ステップ（ａ）で選択した前記記録管理作業領域へ、前記管理情報を記録するステップ（ｃ）前記記録管理領域の記録進行度合いをもとに前記使用度合い情報を算出するステップ（ｄ）前記ステップ（ｃ）で求めた前記使用度合い情報に基づいて、前記使用進捗管理領域における未記録領域の先頭から記録を行うステップを備えることを特徴としている。
【００６４】
この課題を解決するため、本発明の請求項３０の情報記録方法は、本発明の請求項２９の特徴に加えて、前記ステップ（ｃ）は、（ｃ１）前記記録管理領域における記録済み領域の割合を算出するステップ（ｃ２）前記ステップ（ｃ１）で求めた割合と前記使用管理進捗管理領域における記録済み領域の割合が相関が取れるように、前記使用進捗管理領域へ記録するブロック数を算出するステップとを備え、前記ステップ（ｄ）は、前記使用度合い情報として前記使用進捗管理領域における未記録領域の先頭から、前記ステップ（ｃ２）で求めたブロック数分の記録を行うステップであることを特徴としている。
【００６５】
この課題を解決するため、本発明の請求項３１の情報記録方法は、本発明の請求項２９前記ステップ（ｃ）は、（ｃ１）前記記録管理領域における記録済み領域の割合である記録済み領域割合情報を算出するステップであり、前記ステップ（ｄ）は、前記使用度合い情報として前記使用進捗管理領域における未記録領域の先頭から、前記ステップ（ｃ１）で求めた前記記録済み領域割合情報を記録するステップであることを特徴としている。
【００６６】
この課題を解決するため、本発明の請求項３２の情報記録方法は、本発明の請求項２９前記ステップ（ｃ）は、（ｃ１）前記記録管理領域における記録済み領域と未記録領域の境界に関する境界位置情報を算出するステップであり、前記ステップ（ｄ）は、前記使用度合い情報として前記使用進捗管理領域における未記録領域の先頭から、前記ステップ（ｃ１）で求めた前記境界位置情報を記録するステップであることを特徴としている。
【００６７】
この課題を解決するため、本発明の請求項３３の情報記録方法は、本発明の請求項２９または請求項３０または請求項３１または請求項３２の特徴に加えて、前記ステップ（ａ）は、（ａ１）前記記録管理領域の中で未記録である領域の先頭を前記記録管理作業領域として選択するステップであり、前記ステップ（ｂ）は、（ｂ１）前記ステップ（ａ）で選択した前記記録管理作業領域を基準とした位置情報を、前記ユーザデータ領域の記録状態を示す記録管理情報の位置情報である記録管理情報位置情報とするステップ（ｂ２）前記ステップ（ａ）で選択した前記記録管理作業領域の先頭側から、前記記録管理情報の次に前記記録管理情報位置情報を含むＤＤＳを配置する形で記録するステップをさらに備えることを特徴としている。
【００６８】
この課題を解決するため、本発明の請求項３４の情報記録方法は、本発明の請求項２９または請求項３０または請求項３１または請求項３２の特徴に加えて、前記ステップ（ａ）は、（ａ１）前記記録管理領域の中で未記録である領域の先頭を前記記録管理作業領域として選択するステップであり、前記ステップ（ｂ）は、（ｂ１）前記ステップ（ａ１）で選択した前記記録管理作業領域を基準とした位置情報を、前記ユーザデータ領域の記録状態を示す記録管理情報の位置情報である記録管理情報位置情報とするステップ（ｂ２）前記記録管理情報を前記記録管理情報位置情報の示す位置へ記録するステップ（ｂ３）前記ステップ（ｂ２）で正常に記録できたかどうかを判断するステップ（ｂ４）前記ステップ（ｂ３）で正常に記録できていないと判断された場合に、前記ステップ（ａ１）に戻るステップ（ｂ５）前記ステップ（ｂ３）で正常に記録できたと判断された場合に、直前に記録した領域の次の領域に、前記記録管理情報位置情報を含むＤＤＳを記録するステップ（ｂ６）前記ステップ（ｂ５）で正常に記録できたかどうかを判断するステップ（ｂ７）前記ステップ（ｂ６）で正常に記録できていないと判断された場合に、前記ステップ（ｂ５）に戻るステップをさらに備えることを特徴としている。
【００６９】
この課題を解決するため、本発明の請求項３５の情報記録方法は、本発明の請求項２９または請求項３０または請求項３１または請求項３２の特徴に加えて、前記ステップ（ａ）は、（ａ１）前記記録管理領域の中で未記録である領域の末尾を前記記録管理作業領域として選択するステップであり、前記ステップ（ｂ）は、（ｂ１）前記ステップ（ａ１）で選択した前記記録管理作業領域を基準とした位置情報を、前記ユーザデータ領域の記録状態を示す記録管理情報の位置情報である記録管理情報位置情報とするステップ（ｂ２）前記ステップ（ａ１）で選択した前記記録管理作業領域の先頭側から、前記記録管理情報位置情報を含むＤＤＳの次に前記記録管理情報を配置する形で記録するステップをさらに備えることを特徴としている。
【００７０】
この課題を解決するため、本発明の請求項３６の情報記録方法は、本発明の請求項２９または請求項３０または請求項３１または請求項３２の特徴に加えて、前記ステップ（ａ）は、（ａ１）前記記録管理領域の中で未記録である領域の末尾を前記記録管理作業領域として選択するステップであり、前記ステップ（ｂ）は、（ｂ１）前記ステップ（ａ１）で選択した前記記録管理作業領域を基準とした位置情報を、前記ユーザデータ領域の記録状態を示す記録管理情報の位置情報である記録管理情報位置情報とするステップ（ｂ２）前記記録管理情報を前記記録管理情報位置情報の示す位置へ記録するステップ（ｂ３）前記ステップ（ｂ２）で正常に記録できたかどうかを判断するステップ（ｂ４）前記ステップ（ｂ３）で正常に記録できていないと判断された場合に、前記ステップ（ａ１）に戻るステップ（ｂ５）前記ステップ（ｂ３）で正常に記録できたと判断された場合に、直前に記録した領域の前の領域に、前記記録管理情報位置情報を含むＤＤＳを記録するステップ（ｂ６）前記ステップ（ｂ５）で正常に記録できたかどうかを判断するステップ（ｂ７）前記ステップ（ｂ６）で正常に記録できていないと判断された場合に、前記ステップ（ｂ５）に戻るステップをさらに備えることを特徴としている。
【００７１】
この課題を解決するため、本発明の請求項３７の情報記録装置は、追記型情報記録媒体へ情報を書き込む情報記録装置であって、前記追記型情報記録媒体は、記録再生の単位であるブロック単位に記録再生が行われ、ユーザデータを記録するユーザデータ領域と、前記ユーザデータ領域への記録状態を示す管理情報の記録を行う記録管理作業領域を少なくとも１つ割り付けることが出来る記録管理領域と、前記記録管理領域の記録進行度合いを表す使用度合い情報を含む使用進捗管理領域とを備え、前記情報記録装置は、（ａ）前記記録管理領域の中で未記録である領域を記録管理作業領域として選択する手段（ｂ）前記手段（ａ）で選択した前記記録管理作業領域へ、前記管理情報を記録する手段（ｃ）前記記録管理領域の記録進行度合いをもとに前記使用度合い情報を算出する手段（ｄ）前記手段（ｃ）で求めた前記使用度合い情報に基づいて、前記使用進捗管理領域における未記録領域の先頭から記録を行う手段を備えることを特徴としている。
【００７２】
この課題を解決するため、本発明の請求項３８の情報記録装置は、本発明の請求項３７の特徴に加えて、前記手段（ｃ）は、（ｃ１）前記記録管理領域における記録済み領域の割合を算出する手段（ｃ２）前記手段（ｃ１）で求めた割合と前記使用管理進捗管理領域における記録済み領域の割合が相関が取れるように、前記使用進捗管理領域へ記録するブロック数を算出する手段とを備え、前記手段（ｄ）は、前記使用度合い情報として前記使用進捗管理領域における未記録領域の先頭から、前記手段（ｃ２）で求めたブロック数分の記録を行う手段であることを特徴としている。
【００７３】
この課題を解決するため、本発明の請求項３９の情報記録装置は、本発明の請求項３７の特徴に加えて、前記手段（ｃ）は、（ｃ１）前記記録管理領域における記録済み領域の割合である記録済み領域割合情報を算出する手段であり、前記手段（ｄ）は、前記使用度合い情報として前記使用進捗管理領域における未記録領域の先頭から、前記手段（ｃ１）で求めた前記記録済み領域割合情報を記録する手段であることを特徴としている。
【００７４】
この課題を解決するため、本発明の請求項４０の情報記録装置は、本発明の請求項３７の特徴に加えて、前記手段（ｃ）は、（ｃ１）前記記録管理領域における記録済み領域と未記録領域の境界に関する境界位置情報を算出する手段であり、前記手段（ｄ）は、前記使用度合い情報として前記使用進捗管理領域における未記録領域の先頭から、前記手段（ｃ１）で求めた前記境界位置情報を記録する手段であることを特徴としている。
【００７５】
この課題を解決するため、本発明の請求項４１の情報記録装置は、本発明の請求項３７または請求項３８または請求項３９または請求項４０の特徴に加えて、前記手段（ａ）は、（ａ１）前記記録管理領域の中で未記録である領域の先頭を前記記録管理作業領域として選択する手段であり、前記手段（ｂ）は、（ｂ１）前記手段（ａ）で選択した前記記録管理作業領域を基準とした位置情報を、前記ユーザデータ領域の記録状態を示す記録管理情報の位置情報である記録管理情報位置情報とする手段（ｂ２）前記手段（ａ）で選択した前記記録管理作業領域の先頭側から、前記記録管理情報の次に前記記録管理情報位置情報を含むＤＤＳを配置する形で記録する手段をさらに備えることを特徴としている。
【００７６】
この課題を解決するため、本発明の請求項４２の情報記録装置は、本発明の請求項３７または請求項３８または請求項３９または請求項４０の特徴に加えて、前記手段（ａ）は、（ａ１）前記記録管理領域の中で未記録である領域の先頭を前記記録管理作業領域として選択する手段であり、前記手段（ｂ）は、（ｂ１）前記手段（ａ１）で選択した前記記録管理作業領域を基準とした位置情報を、前記ユーザデータ領域の記録状態を示す記録管理情報の位置情報である記録管理情報位置情報とする手段（ｂ２）前記記録管理情報を前記記録管理情報位置情報の示す位置へ記録する手段（ｂ３）前記手段（ｂ２）で正常に記録できたかどうかを判断する手段（ｂ４）前記手段（ｂ３）で正常に記録できていないと判断された場合に、前記手段（ａ１）に戻る手段（ｂ５）前記手段（ｂ３）で正常に記録できたと判断された場合に、直前に記録した領域の次の領域に、前記記録管理情報位置情報を含むＤＤＳを記録する手段（ｂ６）前記手段（ｂ５）で正常に記録できたかどうかを判断する手段（ｂ７）前記手段（ｂ６）で正常に記録できていないと判断された場合に、前記手段（ｂ５）に戻る手段をさらに備えることを特徴としている。
【００７７】
この課題を解決するため、本発明の請求項４３の情報記録装置は、本発明の請求項３７または請求項３８または請求項３９または請求項４０の特徴に加えて、前記手段（ａ）は、（ａ１）前記記録管理領域の中で未記録である領域の末尾を前記記録管理作業領域として選択する手段であり、前記手段（ｂ）は、（ｂ１）前記手段（ａ１）で選択した前記記録管理作業領域を基準とした位置情報を、前記ユーザデータ領域の記録状態を示す記録管理情報の位置情報である記録管理情報位置情報とする手段（ｂ２）前記手段（ａ１）で選択した前記記録管理作業領域の先頭側から、前記記録管理情報位置情報を含むＤＤＳの次に前記記録管理情報を配置する形で記録する手段をさらに備えることを特徴としている。
【００７８】
この課題を解決するため、本発明の請求項４４の情報記録装置は、本発明の請求項３７または請求項３８または請求項３９または請求項４０の特徴に加えて、前記手段（ａ）は、（ａ１）前記記録管理領域の中で未記録である領域の末尾を前記記録管理作業領域として選択する手段であり、前記手段（ｂ）は、（ｂ１）前記手段（ａ１）で選択した前記記録管理作業領域を基準とした位置情報を、前記ユーザデータ領域の記録状態を示す記録管理情報の位置情報である記録管理情報位置情報とする手段（ｂ２）前記記録管理情報を前記記録管理情報位置情報の示す位置へ記録する手段（ｂ３）前記手段（ｂ２）で正常に記録できたかどうかを判断する手段（ｂ４）前記手段（ｂ３）で正常に記録できていないと判断された場合に、前記手段（ａ１）に戻る手段（ｂ５）前記手段（ｂ３）で正常に記録できたと判断された場合に、直前に記録した領域の前の領域に、前記記録管理情報位置情報を含むＤＤＳを記録する手段（ｂ６）前記手段（ｂ５）で正常に記録できたかどうかを判断する手段（ｂ７）前記手段（ｂ６）で正常に記録できていないと判断された場合に、前記手段（ｂ５）に戻る手段をさらに備えることを特徴としている。
【００７９】
この課題を解決するため、本発明の請求項４５の追記型情報記録媒体は、記録再生の単位であるブロック単位に記録再生を行う追記型情報記録媒体であって、前記追記型情報記録媒体は、ユーザデータを記録するユーザデータ領域と、前記ユーザデータ領域への記録状態を示す管理情報の記録を行う記録管理作業領域を少なくとも１つ割り付けることが出来る少なくとも２つのゾーンからなる記録管理領域とを備え、少なくとも２つの前記ゾーンの中には、所定の位置に配置される基準となる１つの基準ゾーンを備え、前記基準ゾーンには、１番目の前記記録管理作業領域、（Ｐ＋１）番目の前記記録管理領域、（Ｑ＋１）番目の前記記録管理領域、（Ｒ＋１）番目の前記記録管理領域・・・が配置され、２番目の前記ゾーンには、２番目の前記記録管理作業領域、・・・、Ｐ番目の前記記録管理作業領域が配置され、３番目の前記ゾーンには、（Ｐ＋２）番目の前記記録管理作業領域、・・・、Ｑ番目の前記記録管理作業領域が配置され、４番目の前記ゾーンには、（Ｑ＋２）番目の前記記録管理作業領域、・・・、Ｒ番目の前記記録管理作業領域が配置され、・・・（Ｐ、Ｑ、ＲはそれぞれＰ≦（Ｑ−２）、Ｑ≦（Ｒ−２）を満たす２以上の整数）という上記関係を満たすように前記ゾーンに前記記録管理作業領域が配置されることを特徴としている。
【００８０】
この課題を解決するため、本発明の請求項４６の追記型情報記録媒体は、本発明の請求項４５の特徴に加えて、前記記録管理領域は、次回に前記管理情報を記録する位置情報である次の記録管理情報位置を含むＤＤＳを備えることを特徴としている。
【００８１】
この課題を解決するため、本発明の請求項４７の追記型情報記録媒体は、本発明の請求項４５または請求項４６の特徴に加えて、前記ＤＤＳはさらに、前記記録管理領域における前記記録管理情報の更新回数を示す更新カウンタ情報を含み、（Ｐ−２）と（Ｑ−（Ｐ＋２））と（Ｒ−（Ｑ＋２））がそれぞれ等しいことを特徴としている。
【００８２】
この課題を解決するため、本発明の請求項４８の追記型情報記録媒体は、本発明の請求項４５または請求項４６の特徴に加えて、前記ゾーンはそれぞれ固定サイズであることを特徴としている。
【００８３】
この課題を解決するため、本発明の請求項４９の追記型情報記録媒体は、本発明の請求項４５または請求項４６または請求項４７または請求項４８の特徴に加えて、前記記録管理作業領域は前記ゾーンの先頭から末尾へ向かって順に割り付けられ、前記ユーザデータ領域の記録状態を示す記録管理情報とＤＤＳとから構成され、前記ＤＤＳは、前記記録管理情報の位置情報である記録管理情報位置情報を含み、前記記録管理作業領域の先頭から、前記記録管理情報、前記ＤＤＳの順番で配置されることを特徴としている。
【００８４】
この課題を解決するため、本発明の請求項５０の追記型情報記録媒体は、本発明の請求項４５または請求項４６または請求項４７または請求項４８の特徴に加えて、前記記録管理作業領域は  前記ゾーンの末尾から先頭へ向かって順に割り付けられ、前記ユーザデータ領域の記録状態を示す記録管理情報とＤＤＳとから構成され、前記ＤＤＳは、前記記録管理情報の位置情報である記録管理情報位置情報を含み、前記記録管理作業領域の先頭から、前記ＤＤＳ、前記記録管理情報の順番で配置されることを特徴としている。
【００８５】
この課題を解決するため、本発明の請求項５１の検索方法は、追記型情報記録媒体の記録済み領域と未記録領域の境界位置を求める検索方法であって、前記追記型情報記録媒体は、記録再生の単位であるブロック単位に記録再生が行われ、ユーザデータを記録するユーザデータ領域と、前記ユーザデータ領域への記録状態を示す管理情報の記録を行う記録管理作業領域を少なくとも１つ割り付けることが出来る少なくとも２つのゾーンからなる記録管理領域と、を備え、少なくとも２つの前記ゾーンの中には、所定の位置に配置される基準となる１つの基準ゾーンを備え、前記基準ゾーンには、１番目の前記記録管理作業領域、（Ｐ＋１）番目の前記記録管理領域、（Ｑ＋１）番目の前記記録管理領域、（Ｒ＋１）番目の前記記録管理領域・・・が配置され、２番目の前記ゾーンには、２番目の前記記録管理作業領域、・・・、Ｐ番目の前記記録管理作業領域が配置され、３番目の前記ゾーンには、（Ｐ＋２）番目の前記記録管理作業領域、・・・、Ｑ番目の前記記録管理作業領域が配置され、４番目の前記ゾーンには、（Ｑ＋２）番目の前記記録管理作業領域、・・・、Ｒ番目の前記記録管理作業領域が配置され、・・・（Ｐ、Ｑ、ＲはそれぞれＰ≦（Ｑ−２）、Ｑ≦（Ｒ−２）を満たす２以上の整数）という上記関係を満たすように前記ゾーンに前記記録管理作業領域が配置され、前記記録管理作業領域は、次に前記管理情報の記録を行う前記記録管理作業領域の位置情報である次の記録管理情報位置情報を含むＤＤＳを備え、前記ＤＤＳは前記記録管理作業領域の所定の位置に配置され、前記検索方法は、（ａ）前記基準ゾーンの記録済み領域と未記録領域の境界を検索し、その位置情報を取得するステップ（ｂ）前記ステップ（ａ）で取得した前記位置情報の示す位置を基準に前記ＤＤＳを読み出すステップ（ｃ）前記ステップ（ｂ）で読み出した前記ＤＤＳから、前記次の記録管理情報位置情報を取得するステップ（ｄ）前記ステップ（ｃ）で取得した前記次の記録管理情報位置情報をもとに、検索対象ゾーンの検索開始位置を算出するステップ（ｅ）前記ステップ（ｄ）で算出した前記検索開始位置を基準として、前記検索対象ゾーンにおける記録済み領域と未記録領域の境界探索を行うステップを備えることを特徴としている。
【００８６】
この課題を解決するため、本発明の請求項５２の情報再生方法は、追記型情報記録媒体から情報を読み出す情報再生方法であって、前記追記型情報記録媒体は、記録再生の単位であるブロック単位に記録再生が行われ、ユーザデータを記録するユーザデータ領域と、前記ユーザデータ領域への記録状態を示す管理情報の記録を行う記録管理作業領域を少なくとも１つ割り付けることが出来る少なくとも２つのゾーンからなる記録管理領域とを備え、少なくとも２つの前記ゾーンの中には、所定の位置に配置される基準となる１つの基準ゾーンを備え、前記基準ゾーンには、１番目の前記記録管理作業領域、（Ｐ＋１）番目の前記記録管理領域、（Ｑ＋１）番目の前記記録管理領域、（Ｒ＋１）番目の前記記録管理領域・・・が配置され、２番目の前記ゾーンには、２番目の前記記録管理作業領域、・・・、Ｐ番目の前記記録管理作業領域が配置され、３番目の前記ゾーンには、（Ｐ＋２）番目の前記記録管理作業領域、・・・、Ｑ番目の前記記録管理作業領域が配置され、４番目の前記ゾーンには、（Ｑ＋２）番目の前記記録管理作業領域、・・・、Ｒ番目の前記記録管理作業領域が配置され、・・・（Ｐ、Ｑ、ＲはそれぞれＰ≦（Ｑ−２）、Ｑ≦（Ｒ−２）を満たす２以上の整数）という上記関係を満たすように前記ゾーンに前記記録管理作業領域が配置され、前記記録管理作業領域は、前記ユーザデータ領域への記録状態を示す記録管理情報とＤＤＳとから構成され、前記ＤＤＳは、前記記録管理情報の位置情報である記録管理情報位置情報と、次に前記前記管理情報の記録を行う前記記録管理作業領域の位置情報である次の記録管理情報位置情報とを備え、前記ＤＤＳは前記記録管理作業領域の所定の位置に配置され、前記検索方法は、（ａ）前記基準ゾーンの記録済み領域と未記録領域の境界を検索し、その位置情報を取得するステップ（ｂ）前記ステップ（ａ）で取得した前記位置情報の示す位置を基準に前記ＤＤＳを読み出すステップ（ｃ）前記ステップ（ｂ）で読み出した前記ＤＤＳから、前記次の記録管理情報位置情報を取得するステップ（ｄ）前記ステップ（ｃ）で取得した前記次の記録管理情報位置情報をもとに、検索対象ゾーンの検索開始位置を算出するステップ（ｅ）前記ステップ（ｄ）で算出した前記検索開始位置を基準として、前記検索対象ゾーンにおける記録済み領域と未記録領域の境界探索を行い、記録済み境界位置情報を取得するステップ（ｆ）前記ステップ（ｅ）で検索した前記検索対象ゾーンが未記録状態であった場合に、前記ステップ（ａ）で求めた前記位置情報を前記記録済み境界位置情報とするステップ（ｇ）前記ステップ（ｅ）または前記ステップ（ｆ）で求めた前記記録済み境界位置情報の示す位置を基準に前記ＤＤＳを読み出すステップ（ｈ）前記ステップ（ｇ）で読み出した前記ＤＤＳから、前記記録管理情報位置情報を取得するステップ（ｉ）前記ステップ（ｈ）で取得した前記記録管理情報位置情報の示す位置から最新の前記記録管理情報を読み出すステップを備えることを特徴とする情報再生方法。
【００８７】
この課題を解決するため、本発明の請求項５３の情報再生方法は、本発明の請求項５２の特徴に加えて、前記記録管理作業領域は、前記ゾーンの先頭から末尾へ向かって順に割り付けられ、前記記録管理領域の先頭から、前記記録管理情報、前記ＤＤＳの順番で配置され、前記ステップ（ａ）は、前記基準ゾーンの記録済み領域終端位置を検索し、その位置情報を取得するステップであり、前記ステップ（ｅ）は、前記ステップ（ｄ）で算出した前記検索開始位置を基準として、前記検索対象ゾーンにおける記録済み領域終端位置を探索し、記録済み境界位置情報を取得するステップであることを特徴としている。
【００８８】
この課題を解決するため、本発明の請求項５４の情報再生方法は、本発明の請求項５２の特徴に加えて、前記記録管理作業領域は、前記ゾーンの末尾から先頭へ向かって順に割り付けられ、前記記録管理領域の先頭から、前記ＤＤＳ、前記記録管理情報の順番で配置され、前記ステップ（ａ）は、前記基準ゾーンの記録済み領域先頭位置を検索し、その位置情報を取得するステップであり、前記ステップ（ｅ）は、前記ステップ（ｄ）で算出した前記検索開始位置を基準として、前記検索対象ゾーンにおける記録済み領域先頭位置を探索し、記録済み境界位置情報を取得するステップであることを特徴としている。
【００８９】
この課題を解決するため、本発明の請求項５５の情報再生装置は、追記型情報記録媒体から情報を読み出す情報再生装置であって、前記追記型情報記録媒体は、記録再生の単位であるブロック単位に記録再生が行われ、ユーザデータを記録するユーザデータ領域と、前記ユーザデータ領域への記録状態を示す管理情報の記録を行う記録管理作業領域を少なくとも１つ割り付けることが出来る少なくとも２つのゾーンからなる記録管理領域と、を備え、少なくとも２つの前記ゾーンの中には、所定の位置に配置される基準となる１つの基準ゾーンを備え、前記基準ゾーンには、１番目の前記記録管理作業領域、（Ｐ＋１）番目の前記記録管理領域、（Ｑ＋１）番目の前記記録管理領域、（Ｒ＋１）番目の前記記録管理領域・・・が配置され、２番目の前記ゾーンには、２番目の前記記録管理作業領域、・・・、Ｐ番目の前記記録管理作業領域が配置され、３番目の前記ゾーンには、（Ｐ＋２）番目の前記記録管理作業領域、・・・、Ｑ番目の前記記録管理作業領域が配置され、４番目の前記ゾーンには、（Ｑ＋２）番目の前記記録管理作業領域、・・・、Ｒ番目の前記記録管理作業領域が配置され、・・・（Ｐ、Ｑ、ＲはそれぞれＰ≦（Ｑ−２）、Ｑ≦（Ｒ−２）を満たす２以上の整数）という上記関係を満たすように前記ゾーンに前記記録管理作業領域が配置され、前記記録管理作業領域は、前記ユーザデータ領域への記録状態を示す記録管理情報とＤＤＳとから構成され、前記ＤＤＳは、前記記録管理情報の位置情報である記録管理情報位置情報と、次に前記前記管理情報の記録を行う前記記録管理作業領域の位置情報である次の記録管理情報位置情報とを備え、前記ＤＤＳは前記記録管理作業領域の所定の位置に配置され、前記検索装置は、（ａ）前記基準ゾーンの記録済み領域と未記録領域の境界を検索し、その位置情報を取得する手段（ｂ）前記手段（ａ）で取得した前記位置情報の示す位置を基準に前記ＤＤＳを読み出す手段（ｃ）前記手段（ｂ）で読み出した前記ＤＤＳから、前記次の記録管理情報位置情報を取得する手段（ｄ）前記手段（ｃ）で取得した前記次の記録管理情報位置情報をもとに、検索対象ゾーンの検索開始位置を算出する手段（ｅ）前記手段（ｄ）で算出した前記検索開始位置を基準として、前記検索対象ゾーンにおける記録済み領域と未記録領域の境界探索を行い、記録済み境界位置情報を取得する手段（ｆ）前記手段（ｅ）で検索した前記検索対象ゾーンが未記録状態であった場合に、前記手段（ａ）で求めた前記位置情報を前記記録済み境界位置情報とする手段（ｇ）前記手段（ｅ）または前記手段（ｆ）で求めた前記記録済み境界位置情報の示す位置を基準に前記ＤＤＳを読み出す手段（ｈ）前記手段（ｇ）で読み出した前記ＤＤＳから、前記記録管理情報位置情報を取得する手段（ｉ）前記手段（ｈ）で取得した前記記録管理情報位置情報の示す位置から最新の前記記録管理情報を読み出す手段を備えることを特徴としている。
【００９０】
この課題を解決するため、本発明の請求項５６の情報再生装置は、本発明の請求項５５の特徴に加えて、前記記録管理作業領域は、前記ゾーンの先頭から末尾へ向かって順に割り付けられ、前記記録管理領域の先頭から、前記記録管理情報、前記ＤＤＳの順番で配置され、前記手段（ａ）は、前記基準ゾーンの記録済み領域終端位置を検索し、その位置情報を取得する手段であり、前記手段（ｅ）は、前記手段（ｄ）で算出した前記検索開始位置を基準として、前記検索対象ゾーンにおける記録済み領域終端位置を探索し、記録済み境界位置情報を取得する手段であることを特徴としている。
【００９１】
この課題を解決するため、本発明の請求項５７の情報再生装置は、本発明の請求項５５の特徴に加えて、前記記録管理作業領域は、前記ゾーンの末尾から先頭へ向かって順に割り付けられ、前記記録管理領域の先頭から、前記ＤＤＳ、前記記録管理情報の順番で配置され、前記手段（ａ）は、前記基準ゾーンの記録済み領域先頭位置を検索し、その位置情報を取得する手段であり、前記手段（ｅ）は、前記手段（ｄ）で算出した前記検索開始位置を基準として、前記検索対象ゾーンにおける記録済み領域先頭位置を探索し、記録済み境界位置情報を取得する手段であることを特徴としている。
【００９２】
この課題を解決するため、本発明の請求項５８の情報記録方法は、追記型情報記録媒体へ情報を書き込む情報記録方法であって、前記追記型情報記録媒体は、記録再生の単位であるブロック単位に記録再生が行われ、ユーザデータを記録するユーザデータ領域と、前記ユーザデータ領域への記録状態を示す管理情報の記録を行う記録管理作業領域を少なくとも１つ割り付けることが出来る少なくとも２つのゾーンからなる記録管理領域と、を備え、少なくとも２つの前記ゾーンの中には、所定の位置に配置される基準となる１つの基準ゾーンを備え、前記基準ゾーンには、１番目の前記記録管理作業領域、（Ｐ＋１）番目の前記記録管理領域、（Ｑ＋１）番目の前記記録管理領域、（Ｒ＋１）番目の前記記録管理領域・・・が配置され、２番目の前記ゾーンには、２番目の前記記録管理作業領域、・・・、Ｐ番目の前記記録管理作業領域が配置され、３番目の前記ゾーンには、（Ｐ＋２）番目の前記記録管理作業領域、・・・、Ｑ番目の前記記録管理作業領域が配置され、４番目の前記ゾーンには、（Ｑ＋２）番目の前記記録管理作業領域、・・・、Ｒ番目の前記記録管理作業領域が配置され、・・・（Ｐ、Ｑ、ＲはそれぞれＰ≦（Ｑ−２）、Ｑ≦（Ｒ−２）を満たす２以上の整数）という上記関係を満たすように前記ゾーンに前記記録管理作業領域が配置され、前記情報記録方法は、（ａ）前記管理情報の記録を行う記録対象ゾーンを算出するステップ（ｂ）前記記録対象ゾーンの中で、未記録である領域を記録管理作業領域として選択するステップ（ｃ）前記ステップ（ｂ）で選択した前記記録管理作業領域を基準とした位置情報を、前記ユーザデータ領域への記録状態を示す記録管理情報の位置情報である記録管理情報位置情報とするステップ（ｄ）前記ステップ（ｂ）で選択した前期記録管理作業領域の次に記録を行う前記記録管理作業領域の位置情報を次の記録管理情報位置情報とするステップ（ｅ）前記ステップ（ｂ）で選択した前記記録管理作業領域に、前記記録管理情報と、前記記録管理情報の位置情報である記録管理情報位置情報と前記次の記録管理情報位置情報とを含むＤＤＳとを、前記記録管理作業領域の所定の位置に前記ＤＤＳを配置するように記録するステップを備えることを特徴としている。
【００９３】
この課題を解決するため、本発明の請求項５９の情報記録方法は、本発明の請求項５８の特徴に加えて、前記記録管理作業領域は、前記ゾーンの先頭から末尾へ向かって順に割り付けられ、前記ステップ（ｅ）は、前記ステップ（ｂ）で選択した前記記録管理作業領域の先頭側から、前記記録管理情報の次に、前記記録管理情報の位置情報である記録管理情報位置情報と前記次の記録管理情報位置情報とを含むＤＤＳを配置するように記録するステップであることを特徴としている。
【００９４】
この課題を解決するため、本発明の請求項６０の情報記録方法は、本発明の請求項５８の特徴に加えて、前記記録管理作業領域は、前記ゾーンの末尾から先頭へ向かって順に割り付けられ、前記ステップ（ｅ）は、前記ステップ（ｂ）で選択した前記記録管理作業領域の先頭側から、前記記録管理情報の位置情報である記録管理情報位置情報と前記次の記録管理情報位置情報とを含むＤＤＳの次に、前記記録管理情報を配置するように記録するステップであることを特徴としている。
【００９５】
この課題を解決するため、本発明の請求項６１の情報記録方法は、追記型情報記録媒体へ情報を書き込む情報記録方法であって、前記追記型情報記録媒体は、記録再生の単位であるブロック単位に記録再生が行われ、ユーザデータを記録するユーザデータ領域と、前記ユーザデータ領域への記録状態を示す管理情報の記録を行う記録管理作業領域を少なくとも１つ割り付けることが出来る少なくとも２つのゾーンからなる記録管理領域と、を備え、少なくとも２つの前記ゾーンの中には、所定の位置に配置される基準となる１つの基準ゾーンを備え、前記基準ゾーンには、１番目の前記記録管理作業領域、（Ｐ＋１）番目の前記記録管理領域、（Ｑ＋１）番目の前記記録管理領域、（Ｒ＋１）番目の前記記録管理領域・・・が配置され、２番目の前記ゾーンには、２番目の前記記録管理作業領域、・・・、Ｐ番目の前記記録管理作業領域が配置され、３番目の前記ゾーンには、（Ｐ＋２）番目の前記記録管理作業領域、・・・、Ｑ番目の前記記録管理作業領域が配置され、４番目の前記ゾーンには、（Ｑ＋２）番目の前記記録管理作業領域、・・・、Ｒ番目の前記記録管理作業領域が配置され、・・・（Ｐ、Ｑ、ＲはそれぞれＰ≦（Ｑ−２）、Ｑ≦（Ｒ−２）を満たす２以上の整数）という上記関係を満たすように前記ゾーンに前記記録管理作業領域が配置され、前記情報記録方法は、（ａ）前記管理情報の記録を行う記録対象ゾーンを算出するステップ（ｂ）前記記録対象ゾーンの中で、未記録である領域を記録管理作業領域として選択するステップ（ｃ）前記ステップ（ｂ）で選択した前記記録管理作業領域を基準とした位置情報を、前記ユーザデータ領域への記録状態を示す記録管理情報の位置情報である記録管理情報位置情報とするステップ（ｄ）前記ステップ（ｂ）で選択した前期記録管理作業領域に前記記録管理情報を記録するステップ（ｅ）前記ステップ（ｄ）で正常に記録できたかどうかを判断するステップ（ｆ）前記ステップ（ｅ）で正常に記録できていないと判断された場合に、前記ステップ（ｃ）に戻るステップ（ｇ）前記ステップ（ｅ）で正常に記録できたと判断された場合に、前記ステップ（ｂ）で選択した前期記録管理作業領域の次に記録を行う記録管理作業領域の位置情報を次の記録管理情報位置情報とするステップ（ｈ）前記ステップ（ｂ）で選択した前期記録管理作業領域に、前記記録管理情報の位置情報である記録管理情報位置情報と前記次の記録管理情報位置情報とを含むＤＤＳを、前記記録管理作業領域の所定の位置に配置するように記録するステップ（ｉ）前記ステップ（ｈ）で正常に記録できたかどうかを判断するステップ（ｊ）前記ステップ（ｉ）で正常に記録できていないと判断された場合に、前記ステップ（ｇ）に戻るステップを備えることを特徴としている。
【００９６】
この課題を解決するため、本発明の請求項６２の情報記録方法は、本発明の請求項６１の特徴に加えて、前記記録管理作業領域は、前記ゾーンの先頭から末尾へ向かって順に割り付けられ、前記ステップ（ｄ）は、前記ステップ（ｂ）で選択した前期記録管理作業領域の先頭側に前記記録管理情報を配置するように記録するステップであり、前記ステップ（ｈ）は、前記ステップ（ｂ）で選択した前期記録管理作業領域に、前記記録管理情報の位置情報である記録管理情報位置情報と前記次の記録管理情報位置情報とを含むＤＤＳを、前記記録管理作業領域において前記ステップ（ｄ）で記録した前記記録管理情報よりも末尾側の所定の位置に配置するように記録するステップであることを特徴としている。
【００９７】
この課題を解決するため、本発明の請求項６３の情報記録方法は、本発明の請求項６１の特徴に加えて、前記記録管理作業領域は、前記ゾーンの末尾から先頭へ向かって順に割り付けられ、前記手段（ｄ）は、前記手段（ｂ）で選択した前期記録管理作業領域の末尾側に前記記録管理情報を配置するように記録する手段であり、前記手段（ｈ）は、前記手段（ｂ）で選択した前期記録管理作業領域に、前記記録管理情報の位置情報である記録管理情報位置情報と前記次の記録管理情報位置情報とを含むＤＤＳを、前記記録管理作業領域において前記手段（ｄ）で記録した前記記録管理情報よりも先頭側の所定の位置に配置するように記録する手段であることを特徴としている。
【００９８】
この課題を解決するため、本発明の請求項６４の情報記録装置は、追記型情報記録媒体へ情報を書き込む情報記録装置であって、前記追記型情報記録媒体は、記録再生の単位であるブロック単位に記録再生が行われ、ユーザデータを記録するユーザデータ領域と、前記ユーザデータ領域への記録状態を示す管理情報の記録を行う記録管理作業領域を少なくとも１つ割り付けることが出来る少なくとも２つのゾーンからなる記録管理領域と、を備え、少なくとも２つの前記ゾーンの中には、所定の位置に配置される基準となる１つの基準ゾーンを備え、前記基準ゾーンには、１番目の前記記録管理作業領域、（Ｐ＋１）番目の前記記録管理領域、（Ｑ＋１）番目の前記記録管理領域、（Ｒ＋１）番目の前記記録管理領域・・・が配置され、２番目の前記ゾーンには、２番目の前記記録管理作業領域、・・・、Ｐ番目の前記記録管理作業領域が配置され、３番目の前記ゾーンには、（Ｐ＋２）番目の前記記録管理作業領域、・・・、Ｑ番目の前記記録管理作業領域が配置され、４番目の前記ゾーンには、（Ｑ＋２）番目の前記記録管理作業領域、・・・、Ｒ番目の前記記録管理作業領域が配置され、・・・（Ｐ、Ｑ、ＲはそれぞれＰ≦（Ｑ−２）、Ｑ≦（Ｒ−２）を満たす２以上の整数）という上記関係を満たすように前記ゾーンに前記記録管理作業領域が配置され、前記情報記録装置は、（ａ）前記管理情報の記録を行う記録対象ゾーンを算出する手段（ｂ）前記記録対象ゾーンの中で、未記録である領域を記録管理作業領域として選択する手段（ｃ）前記手段（ｂ）で選択した前記記録管理作業領域を基準とした位置情報を、前記ユーザデータ領域への記録状態を示す記録管理情報の位置情報である記録管理情報位置情報とする手段（ｄ）前記手段（ｂ）で選択した前期記録管理作業領域の次に記録を行う前記記録管理作業領域の位置情報を次の記録管理情報位置情報とする手段（ｅ）前記手段（ｂ）で選択した前記記録管理作業領域に、前記記録管理情報と、前記記録管理情報の位置情報である記録管理情報位置情報と前記次の記録管理情報位置情報とを含むＤＤＳとを、前記記録管理作業領域の所定の位置に前記ＤＤＳを配置するように記録する手段を備えることを特徴としている。
【００９９】
この課題を解決するため、本発明の請求項６５の情報記録装置は、本発明の請求項６４の特徴に加えて、前記記録管理作業領域は、前記ゾーンの先頭から末尾へ向かって順に割り付けられ、前記手段（ｅ）は、前記手段（ｂ）で選択した前記記録管理作業領域の先頭側から、前記記録管理情報の次に、前記記録管理情報の位置情報である記録管理情報位置情報と前記次の記録管理情報位置情報とを含むＤＤＳを配置するように記録する手段であることを特徴としている。
【０１００】
この課題を解決するため、本発明の請求項６６の情報記録装置は、本発明の請求項６４の特徴に加えて、前記記録管理作業領域は、前記ゾーンの末尾から先頭へ向かって順に割り付けられ、前記手段（ｅ）は、前記手段（ｂ）で選択した前記記録管理作業領域の先頭側から、前記記録管理情報の位置情報である記録管理情報位置情報と前記次の記録管理情報位置情報とを含むＤＤＳの次に、前記記録管理情報を配置するように記録する手段であることを特徴としている。
【０１０１】
この課題を解決するため、本発明の請求項６７の情報記録装置は、追記型情報記録媒体へ情報を書き込む情報記録装置であって、前記追記型情報記録媒体は、記録再生の単位であるブロック単位に記録再生が行われ、ユーザデータを記録するユーザデータ領域と、前記ユーザデータ領域への記録状態を示す管理情報の記録を行う記録管理作業領域を少なくとも１つ割り付けることが出来る少なくとも２つのゾーンからなる記録管理領域と、を備え、少なくとも２つの前記ゾーンの中には、所定の位置に配置される基準となる１つの基準ゾーンを備え、前記基準ゾーンには、１番目の前記記録管理作業領域、（Ｐ＋１）番目の前記記録管理領域、（Ｑ＋１）番目の前記記録管理領域、（Ｒ＋１）番目の前記記録管理領域・・・が配置され、２番目の前記ゾーンには、２番目の前記記録管理作業領域、・・・、Ｐ番目の前記記録管理作業領域が配置され、３番目の前記ゾーンには、（Ｐ＋２）番目の前記記録管理作業領域、・・・、Ｑ番目の前記記録管理作業領域が配置され、４番目の前記ゾーンには、（Ｑ＋２）番目の前記記録管理作業領域、・・・、Ｒ番目の前記記録管理作業領域が配置され、・・・（Ｐ、Ｑ、ＲはそれぞれＰ≦（Ｑ−２）、Ｑ≦（Ｒ−２）を満たす２以上の整数）という上記関係を満たすように前記ゾーンに前記記録管理作業領域が配置され、前記情報記録装置は、（ａ）前記管理情報の記録を行う記録対象ゾーンを算出する手段（ｂ）前記記録対象ゾーンの中で、未記録である領域を記録管理作業領域として選択する手段（ｃ）前記手段（ｂ）で選択した前記記録管理作業領域を基準とした位置情報を、前記ユーザデータ領域への記録状態を示す記録管理情報の位置情報である記録管理情報位置情報とする手段（ｄ）前記手段（ｂ）で選択した前期記録管理作業領域に前記記録管理情報を記録する手段（ｅ）前記手段（ｄ）で正常に記録できたかどうかを判断する手段（ｆ）前記手段（ｅ）で正常に記録できていないと判断された場合に、前記手段（ｃ）に戻る手段（ｇ）前記手段（ｅ）で正常に記録できたと判断された場合に、前記手段（ｂ）で選択した前期記録管理作業領域の次に記録を行う記録管理作業領域の位置情報を次の記録管理情報位置情報とする手段（ｈ）前記手段（ｂ）で選択した前期記録管理作業領域に、前記記録管理情報の位置情報である記録管理情報位置情報と前記次の記録管理情報位置情報とを含むＤＤＳを、前記記録管理作業領域の所定の位置に配置するように記録する手段（ｉ）前記手段（ｈ）で正常に記録できたかどうかを判断する手段（ｊ）前記手段（ｉ）で正常に記録できていないと判断された場合に、前記手段（ｇ）に戻る手段を備えることを特徴としている。
【０１０２】
この課題を解決するため、本発明の請求項６８の情報記録装置は、本発明の請求項６７の特徴に加えて、前記記録管理作業領域は、前記ゾーンの先頭から末尾へ向かって順に割り付けられ、前記手段（ｄ）は、前記手段（ｂ）で選択した前期記録管理作業領域の先頭側に前記記録管理情報を配置するように記録する手段であり、前記手段（ｈ）は、前記手段（ｂ）で選択した前期記録管理作業領域に、前記記録管理情報の位置情報である記録管理情報位置情報と前記次の記録管理情報位置情報とを含むＤＤＳを、前記記録管理作業領域において前記手段（ｄ）で記録した前記記録管理情報よりも末尾側の所定の位置に配置するように記録する手段であることを特徴としている。
【０１０３】
この課題を解決するため、本発明の請求項６９の情報記録装置は、本発明の請求項６７の特徴に加えて、前記記録管理作業領域は、前記ゾーンの末尾から先頭へ向かって順に割り付けられ、前記手段（ｄ）は、前記手段（ｂ）で選択した前期記録管理作業領域の末尾側に前記記録管理情報を配置するように記録する手段であり、前記手段（ｈ）は、前記手段（ｂ）で選択した前期記録管理作業領域に、前記記録管理情報の位置情報である記録管理情報位置情報と前記次の記録管理情報位置情報とを含むＤＤＳを、前記記録管理作業領域において前記手段（ｄ）で記録した前記記録管理情報よりも先頭側の所定の位置に配置するように記録する手段であることを特徴としている。
【発明の効果】
【０１０４】
可変サイズである記録管理領域のサイズに応じて記録管理領域に対する記録済み終端位置検索の第１の振幅検査におけるブロックジャンプ数を変化させることによって、記録管理領域における最新のディスク定義構造・記録管理情報の検索を効率的に行うことが可能になる。
【０１０５】
また、記録管理領域の記録進行度合いを示す使用度合い情報を含む使用進捗管理領域を備えることで、この使用度合い情報をもとに記録管理領域における記録済み領域と未記録領域の境界探索の開始位置を実際の境界付近とすることが可能となるため、記録管理領域のサイズが大きくなった場合でも効率的に最新のディスク定義構造・記録管理情報の探索を行うことが可能になる。
【０１０６】
また、記録管理領域を複数のゾーンに分け、さらに管理情報の記録を基準ゾーンにおける記録管理作業領域へ記録した次は、別のゾーンに含まれる記録管理作業領域へ記録し、さらにそのゾーンの記録管理作業領域が無くなると再度基準ゾーンにおける記録管理作業領域に記録し、ということを繰り返す、つまり基準ゾーンの記録管理作業領域と他のゾーンとを関連付けるように配置し、さらにディスク定義構造中に次の管理情報が記録される管理情報位置情報を持つ。これにより、先頭ゾーンにおける記録済み終端位置に配置される記録管理作業領域の検索によって最新のディスク定義構造・記録管理情報が記録された記録管理作業領域が存在するゾーンを求め、そのゾーンに探索範囲を絞った上で続けてそのゾーンにおける記録済み終端位置検索を行うことができ、最新のディスク定義構造・記録管理情報が記録された記録管理作業領域の探索を効率的に行うことが可能になる。
【発明を実施するための最良の形態】
【０１０７】
以下、本発明の実施の形態について、図面を用いて説明する。
【０１０８】
なお、実施の形態の説明としては、情報記録媒体として追記型光ディスク（以下光ディスクと呼ぶ）を用いる。
【０１０９】
（実施の形態１）
（１）光ディスクデータ構造
本発明の実施の形態１における光ディスク１のデータ構造は、ディスク定義構造（ＤＤＳ）２０を除いて、図２８で示した従来例と同じである。
【０１１０】
本発明の実施の形態１における光ディスク１は、記録情報領域４と、情報領域５で構成される。
【０１１１】
記録情報領域４は、記録管理領域（ＲＭＡ：Ｒｅｃｏｒｄｉｎｇ  Ｍａｎａｇｅｍｅｎｔ  Ａｒｅａ）６を備える。ＲＭＡ６は、後述のデータ領域８の記録状態等を管理するための領域である。
【０１１２】
ここで、本実施の形態１における記録管理領域（ＲＭＡ）６のサイズは、光ディスク１によって一意に決まるものではない、つまり可変サイズである。具体的には、後述の光ディスク記録再生装置１００によって、あるいはユーザが上制御装置（図示せず）からの要求によってなど、あらかじめ記録情報領域４中に確保されている領域以外の領域も含めてＲＭＡ６として割り当てられることもありうる。
【０１１３】
情報領域５は、リードイン領域７とデータ領域８とリードアウト領域９に大別される。ユーザデータの記録再生はデータ領域８に対して行われる。リードイン領域７とリードアウト領域９は、光ヘッド（図示せず）がデータ領域５の端へアクセスする場合に、光ヘッドがオーバーランしてもトラックに追随できるようにのりしろとしての役割を果たす領域であり、データ領域８にアクセスするのに必要なパラメータが格納される制御情報領域である。
【０１１４】
またデータ領域８は、１つ以上のＲゾーン１０と呼ばれる記録区域に分割され、各Ｒゾーン１０の記録状態を示す情報はＲＭＡ６に記録される。
【０１１５】
ＲＭＡ６は、複数の記録管理作業領域（ＴＲＭＡ：Ｔｅｍｐｏｒａｌｌｙ  Ｒｅｃｏｒｄｉｎｇ  Ｍａｎａｇｅｍｅｎｔ  Ａｒｅａ）１１から構成される。
【０１１６】
ＴＲＭＡ１１は、Ｒゾーンの記録状態を示す情報である記録管理情報（ＲＭＤ：Ｒｅｃｏｒｄｉｎｇ  Ｍａｎａｇｅｍｅｎｔ  Ｄａｔａ）２１とディスク定義構造（ＤＤＳ：Ｄｉｓｃ  Ｄｉｆｉｎｉｔｉｏｎ  Ｓｔｒｕｃｔｕｒｅ）２０とから構成される。一般的に、データ領域８におけるＲゾーン１０の状態が変化した場合や、記録装置からディスクが排出される場合など任意のタイミングでＴＲＭＡ１１へＲＭＤ２１およびＤＤＳ２０が記録（更新）される。
【０１１７】
ＲＭＤ２１は可変サイズの情報であり、ＤＤＳ２０は固定サイズの情報である。つまり、ＴＲＭＡ１１は可変サイズの領域である。
【０１１８】
図２は、ディスク定義構造（ＤＤＳ）２０のデータ構造を示す説明図である。
【０１１９】
ＤＤＳ２０は、記録管理領域（ＲＭＡ）６のサイズである記録管理領域サイズ３２や、記録管理情報（ＲＭＤ）２１が配置されている先頭位置を示す記録管理情報先頭位置３３や、次にＲＭＤ２１やＤＤＳ２０の記録を行う位置に関する情報である次の記録管理情報位置３４などを含む。
【０１２０】
ここでＲＭＡ６のサイズは、後述の「（３）イニシャライズ」の際に決定され、その値が記録管理領域サイズ３２へ格納されることになる。
【０１２１】
ＤＤＳは、記録済み領域と未記録領域との境界に隣接する記録済みのＴＲＭＡ１１の、前記境界を基準に算出可能な所定の位置に配置される情報である。本実施の形態１では、ＤＤＳがＴＲＭＡの末尾に配置されるものとして説明を行う。
【０１２２】
なお、ＤＤＳは必ずしもＴＲＭＡの末尾に配置されていなくとも良く、ＴＲＭＡ終端位置から算出可能な所定の位置に配置されれば良い。
【０１２３】
なお、ＤＤＳは、固定長の情報であって、例えば１ブロックのサイズである。
【０１２４】
本実施の形態１では、ＤＤＳのサイズを記録再生の単位である１ブロックサイズとして説明を行う。
【０１２５】
なお、ＲＭＤは、登録されたＲゾーンエントリ３１の数等に応じて可変サイズである。つまりＴＲＭＡ＃１〜ＴＲＭＡ＃Ｎ（Ｎは１以上の整数）のサイズは同一とは限らない。
【０１２６】
なお、ＲＭＤおよびＤＤＳは、それぞれの情報が終端であることを示すアンカ等の情報を備えても良い。
【０１２７】
なお、記録管理作業領域１１から構成される記録管理領域６は必ずしも記録情報領域４に配置されなくとも良く、例えばリードイン領域７やリードアウト領域９、あるいはデータ領域８においてユーザから任意にアクセスを行うことの出来ないような領域へ配置されても良い。
【０１２８】
（２）光ディスク記録再生装置構成
図３は本発明の実施の形態１における光ディスク記録再生装置１００の構成図である。
【０１２９】
光ディスク記録再生装置１００は、上位制御装置（図示せず）にＩ／Ｏバス１７０を介して接続されている。上位制御装置は、典型的には、ホストコンピュータである。
【０１３０】
光ディスク記録再生装置１００は、上位制御装置からの命令を処理する命令処理部１１０と、光ディスク１への記録時の制御を行う記録制御部１２０と、光ディスク１からの再生時の制御を行う再生制御部１３０と、記録管理作業領域（ＴＲＭＡ）１１から再生したＲＭＤ２１やＤＤＳ２０の内容を格納する記録管理情報格納バッファ１４０と、記録及び再生データを一時的に格納するデータバッファ１５０と、ＲＭＤ２１やＤＤＳ２０に関する処理を行う記録管理情報処理部１６０とを機能的に備えている。
【０１３１】
記録管理情報処理部１６０は、記録済み領域と未記録領域の境界検索における検索内容・検索位置等を算出・決定する検索パターン算出部１６５と、記録管理領域６の中で最後に記録されたＴＲＭＡ１１をサーチしてからその内容を記録管理情報格納バッファ１４０に読み出す記録管理情報読み出し部１６１と、Ｒゾーン１０における最終記録位置情報などが変化した場合に記録管理情報格納バッファ１４０の内容を更新して新規にＲＭＤ１５やＤＤＳ１４を作成する記録管理情報更新部１６４と、記録管理情報処理部１６０の動作制御状態を記憶する記録管理情報制御メモリ１６３と、記録管理情報更新部１６４によって更新された情報を利用可能なＴＲＭＡ１１へ書き込む記録管理作業情報書き込み部１６２とを含む。
【０１３２】
（３）ディスクのイニシャライズ
使用者（ユーザ）が記録を開始する前に、上述したＲＭＡ６のサイズ設定等を行い、各領域の配置を決定し、光ディスク１を記録再生可能な状態にするための処理であるイニシャライズを行う必要がある。
【０１３３】
図４は、イニシャライズ処理手順の概要を示す処理フロー図である。
【０１３４】
なお、本実施の形態１において、ＲＭＡ６のサイズはユーザからの要求に従って決定される場合を例にとって説明を行う。
【０１３５】
まずユーザによって記録管理領域６のサイズ等が決定されると、それらの情報は上位制御装置（図示せず）からイニシャライズ要求とあわせて光ディスク記録再生装置１００に通知される。
【０１３６】
なお、ＲＭＡ６のサイズは、あらかじめ光ディスク記録再生装置１００が固有にデフォルトのサイズ情報を保持していても良く、必ずしもユーザから通知されるとは限らない。
【０１３７】
光ディスク記録再生装置１００がイニシャライズ要求を受け取ると、まず記録管理情報更新部１６４は、管理情報ヘッダ３０におけるＲゾーンエントリ数を１とした記録管理情報（ＲＭＤ）２１を作成し、併せて記録管理情報格納バッファ１４０に格納する（ステップ４０１）。
【０１３８】
なおＲゾーンエントリ数を１としたのは、イニシャライズの際にデータ領域８全体を１つのＲゾーン１０として扱う場合を例に取ったためであり、必ずしも１でなくても良い。
【０１３９】
なお、イニシャライズの際に記録するＲＭＤ２１のサイズは例えば１ブロックサイズと固定サイズである。本実施の形態１では、イニシャライズの際に記録するＲＭＤ２１のサイズを１ブロックサイズとして説明を行う。
【０１４０】
さらに記録管理情報更新部１６４は、ＲＭＤ２１の記録先、つまりＲＭＡ６における未記録領域の先頭位置（初期状態のディスクの場合はＲＭＡ６の先頭位置となる）を記録管理情報先頭位置３３とし、さらに上位制御装置から通知されたＲＭＡ６のサイズを記録管理領域サイズ３２としたＤＤＳ２０を作成し、記録管理情報格納バッファ１４０に格納する（ステップ４０２）。ここで、ＤＤＳ２０のサイズは１ブロックサイズと固定サイズである。なおこのとき、上位制御装置から通知されたＲＭＡ６のサイズを記録管理情報制御メモリ１６３中に記録管理領域サイズ情報４３として記憶しても良い。
【０１４１】
次に記録管理情報書き込み部１６２は、記録管理情報格納バッファ１４０に格納しているＲＭＤ２１およびＤＤＳ２０を光ディスク１におけるＲＭＡ６の未記録領域の先頭に位置するＴＲＭＡ１１（初期状態のディスクの場合はＴＲＭＡ１１＃１）に記録する（ステップ４０３）。
【０１４２】
ここでイニシャライズの際に記録するＲＭＤ２１のサイズは固定サイズであり、またＤＤＳも固定サイズであるため、いずれもＴＲＭＡ１１の先頭位置を基準に算出可能な位置に配置されることになる。
【０１４３】
なお、イニシャライズの際にはＲＭＤ２１は必ずしも記録される必要はなく、ＤＤＳ２０のみ記録されても良いし、あるいはＲＭＤ２１とＤＤＳ２０を足し合わせて１ブロックサイズとして記録しても良い。
【０１４４】
なお、ＲＭＤ２１およびＤＤＳ２０を記録するＲＭＡ６内のＴＲＭＡ１１のブロックが欠陥ブロックである場合が考えられる。しかしＲＭＡ６等、記録情報領域４やリードイン領域７およびデータアウト領域９のブロックを交替する領域は存在しない。そのため、ステップ４０３に引き続き、正常に記録できたかどうかの確認を行い、記録に失敗したと判断した場合には、欠陥ブロックとなった次のブロックに対して記録（ステップ４０３）を行うという処理を繰り返し、正常に記録が出来るまで記録を行う。
【０１４５】
（４）記録済み領域と未記録領域の境界検索
本実施の形態では、再生信号の振幅を用いて未記録領域の判定を行う方法を例にとって説明を行う。この方法は、再生信号の振幅が所定の値を超えるかどうかで判断するもので、所定の値を超えた場合（以下、振幅があると表現する）は記録済み領域であると判断し、所定の値を超えない場合（以下、振幅がないと表現する）は未記録領域であると判断する。
【０１４６】
図５は、追記型光ディスクの記録管理領域（ＲＭＡ）６における記録済み終端位置の検索処理説明図である。
【０１４７】
図５（Ａ）は光ディスク１におけるＲＭＡ６のサイズが一般的な大きさ（例えば従来のＤＶＤ−ＲにおけるＲＭＡ６のサイズ）である場合の検索処理例であり、図５（Ｂ）は光ディスク１におけるＲＭＡ６のサイズが、一般的なサイズと比べて大きい場合の例である。これらの図から分かるように、第１の振幅検査におけるブロックのジャンプ数がＲＭＡ６のサイズに応じて変わることが特徴である。
【０１４８】
なお、振幅があるとは再生信号の振幅が所定の値を超える場合、振幅がないとは再生信号の振幅が所定の値を超えない場合と同じ意味で用いる。
【０１４９】
図６は、光ディスク記録再生装置１００がＲＭＡ６における記録済み終端位置を検索する処理手順を示すフロー図である。
【０１５０】
まず記録管理情報読み出し部１６１は、記録管理領域（ＲＭＡ）６の先頭に配置されるＴＲＭＡ＃１からＤＤＳを記録管理情報格納バッファ１４０へ読み出すとともに、ＤＤＳ中の記録管理領域サイズ３２を、記録管理情報制御メモリ１６３にある記録管理領域サイズ情報４３として記憶する（ステップ６０１）。
【０１５１】
ここでＴＲＭＡ１１＃１内に備えられるＲＭＤ２１およびＤＤＳ２０は必ずしも固定位置に配置されるとは限らない。具体的には、上記（３）イニシャライズの項で説明した通り、ＴＲＭＡ１１＃１中に欠陥ブロックが存在する場合があるためである。しかしこの場合でも、ＴＲＭＡ１１＃１に記録されるＲＭＤ２１およびＤＤＳ２０のサイズは、ここでは１ブロックサイズと固定サイズであるため、ＴＲＭＡ１１＃１の先頭ブロックから読み出しを行い、正しく読み出せた２つ目のブロックがＤＤＳ２０ということになる。
【０１５２】
ここで、ＲＭＡ６が未記録状態である場合は、初期状態のディスクであると判断し、上記（３）イニシャライズが実行される。
【０１５３】
次に検索パターン算出部１６５は、記録管理領域サイズ情報４３として記憶したＲＭＡ６のサイズ情報から、第１の振幅検査におけるブロックジャンプサイズを算出する（ステップ６０２）。具体的には、光ディスク記録再生装置１００があらかじめ保持しているデフォルトとして定められたＲＭＡ６のサイズとその際のブロックジャンプサイズを用い、デフォルトとして定めた記録管理領域６のサイズと記録管理領域サイズ情報４３として記憶した現在の光ディスク１における記録管理領域６のサイズとの比を求め、この比の値をデフォルトとして定めたブロックジャンプサイズに乗算することで第１の振幅検査におけるブロックジャンプサイズを算出する。デフォルトとして定められたＲＭＡ６のサイズおよびその際のブロックジャンプサイズは、例えばＤＶＤ−ＲにおけるＲＭＡ６のサイズおよびブロックジャンプサイズである。
【０１５４】
次に記録管理情報読み出し部１６１は、第１の振幅検査としてＲＭＡ６の先頭から、ステップ６０２で求めたブロックジャンプサイズおきに再生信号の振幅がなくなるまで検査を行う（ステップ６０３）。
【０１５５】
次に第２の振幅検査として、振幅があった位置から振幅がなかった位置の間で振幅がなくなる位置を検査する（ステップ６０４）。
【０１５６】
そして検査により求まった記録済み終端のＲＭＡ６の位置を、記録済み終端位置として取得する（ステップ６０５）。
【０１５７】
一般的に光ディスク１の容量が増えれば、それに伴ってＲＭＡ６へのＤＤＳ２０およびＲＭＤ２１への記録回数も増えることから、最新のＤＤＳ２０・ＲＭＤ２１が記録されたＴＲＭＡ１１はＲＭＡ６の先頭位置から遠い位置に配置されることも増えることが予想される。
【０１５８】
そのため、ＲＭＡ６が可変長である追記型光ディスクにおいて、ＲＭＡ６のサイズに応じて記録済み終端位置検索における第１の振幅検査のブロックジャンプサイズを変えることで、記録管理領域６における記録済み終端位置検索、つまり記録済み終端位置に配置される最新のＲＭＤ２１の検索を効率的に行うことが可能となる。
【０１５９】
なお、本実施の形態１ではＲＭＡ６のサイズの比を用いてブロックジャンプサイズを算出したが、これはあくまで一例であって、ＲＭＡ６のサイズに応じてブロックジャンプサイズが求まれば良く、例えばＲＭＡ６のサイズとブロックジャンプサイズとの相関テーブルをあらかじめ保持しておいて、そのテーブルの値に応じてブロックジャンプサイズを求めたりする方法等でも同様の効果を得ることが出来る。
【０１６０】
なお、本実施の形態１ではＲＭＡ６のサイズに応じて第１の振幅検査におけるブロックジャンプサイズを変えると説明したが、例えばデータ領域８のサイズに応じてブロックジャンプサイズを変えれば、本手法をデータ領域８の記録済み終端位置検索に適用しても同様の効果を得ることが出来る。より一般的に言えば、可変サイズの領域のサイズに応じて第１の振幅検査におけるブロックジャンプサイズを変えれば、本手法をその領域もしくはその領域と関係の深い領域の記録済み終端位置検索に適用しても同様の効果を得ることが出来る。
【０１６１】
なお、本実施の形態１では、ＲＭＡ６のサイズ情報がＤＤＳ２０に含まれているものとして説明を行ったが、例えばＲＭＡ６のサイズ情報を格納する領域が光ディスク１上に存在しても良く、この場合はその領域の情報を読み出すことでＲＭＡ６のサイズ情報を得ることが可能となる。
【０１６２】
なお、本実施の形態１では、ＲＭＡ６が可変サイズであり、そのサイズ情報がＤＤＳ２０に含まれているものとして説明を行ったが、例えばＲＭＡ６が固定サイズであって、このサイズ情報をあらかじめ光ディスク記録再生装置１００が保持していても良い。この場合には、光ディスク記録再生装置１００が保持しているＲＭＡ６のサイズ情報を記録管理領域サイズ情報４３として記憶すれば、本実施の形態１で説明したものと同様の効果を得ることが出来る。
【０１６３】
なお、本実施の形態１では、初期状態の光ディスク１に対するイニシャライズの際にＲＭＡ６のサイズが決定するものとして説明を行ったが、使用中の光ディスク１に対してＲＭＡ６のサイズを増加・減少させるような場合も考えられる。しかしこの場合も、上記説明（３）と同様の処理で再イニシャライズを行えば、上記で説明したものと同様の効果を得ることが出来る。但しこの場合、増加・減少した後のＲＭＡ６のサイズは、ＲＭＡ６の先頭に位置するＤＤＳ２０から取得することは出来ないが、例えばイニシャライズの度にＲＭＡ６のサイズを記録するための領域を保持し、その領域の最新の情報を読み出すことでＲＭＡ６のサイズを取得する等の方法を用いることで、本実施の形態１と同様の効果を得ることが出来る。
【０１６４】
（実施の形態２）
（１）光ディスクデータ構造
図７は本発明の実施の形態２における光ディスク１のデータ構造を表した図である。本発明の実施の形態２における光ディスク１のデータ構造は、記録情報領域４を除いて、本発明の実施の形態１で説明したものと同じである。
【０１６５】
本発明の実施の形態２における光ディスク１は、記録情報領域４と、情報領域５で構成される。
【０１６６】
情報領域５の構成および内容については、実施の形態１で説明したものと同じであるので、ここでの説明は省略する。
【０１６７】
記録情報領域４は、記録管理領域（ＲＭＡ：Ｒｅｃｏｒｄｉｎｇ  Ｍａｎａｇｅｍｅｎｔ  Ａｒｅａ）６と使用進捗管理領域１２とを備える。
【０１６８】
ＲＭＡ６は、データ領域８の記録状態等を管理するための領域である。
【０１６９】
ＲＭＡ６の構成および内容については、実施の形態１で説明したものと同じであるので、ここでの説明は省略する。
【０１７０】
使用進捗管理領域１２は、ＲＭＡ６の使用状況、つまりＲＭＡ６におけるブロック３の使用度合いを管理するための使用度合い情報を含む領域である。進行度合いを管理するための領域であり、出来るだけ早く進行度合いが把握できる方が望ましいことから、基本的に領域サイズはそれほど大きいものではない。本実施の形態２では、使用進捗管理領域１２のサイズが１０ブロックであるとして説明を行う。
【０１７１】
なお、使用進捗管理領域２２のサイズは任意のサイズで良い。
【０１７２】
図８は、ＲＭＡ６と使用状況管理領域１２との対応関係を説明するための図である。
【０１７３】
図中の“Ｘ”とは、ＲＭＡ６における記録済み領域のブロック数、“Ｙ”とは領域内の総ブロック数を表す。また“Ｐ”とは、使用進捗管理領域１２における記録済み領域のブロック数、“Ｑ”とは領域内の総ブロック数（本実施の形態ではＱ＝１０）を表す。
【０１７４】
このとき、“Ｘ”を“Ｙ”で割った値、つまりＲＭＡ６における記録済み領域のパーセンテージは、“Ｐ”を“Ｑ”で割った値、つまり使用進捗管理領域１２における記録済み領域のパーセンテージと同一、または相関のある値となる。ここで相関があると説明したのは、使用進捗管理領域１２のサイズはＲＭＡ６のサイズと比べると一般的に小さいサイズ（ここでは１０ブロック）であり、ブロックが記録再生の最小単位であることから、使用進捗管理領域１２で表すことのできるパーセンテージは大きい（ここでは１０％）刻みの値となるのに対し、ＲＭＡ６の記録済み領域のパーセンテージは必ずしも使用進捗管理領域２２で表すことの出来るパーセンテージと同一になるとは限らないためである。例えばＲＭＡ６の記録済み領域のパーセンテージが２５％である場合、記録進行度合いを示す使用進捗管理領域１２の記録済み領域のパーセンテージは２０％、つまり１０ブロックのうち２ブロックが記録済みの状態となるようにデータが記録される。
【０１７５】
なお、ここで説明したＲＭＡ６と使用進捗管理領域１２のパーセンテージを表す数値はあくまで一例であり、ＲＭＡ６の記録進行度合いと相関が取れるように使用進捗管理領域にデータが記録されれば良い。また、使用進捗管理領域１２が表すパーセンテージは、実際のＲＭＡ６における記録済み領域のパーセンテージ以下の値となる。
【０１７６】
（２）光ディスク記録再生装置構成
本発明の実施の形態２における光ディスク記録再生装置１００の構成は、本発明の実施の形態１で説明したものと同じ構成であるので、ここでの説明は省略する。
【０１７７】
（３）最新記録管理情報の取得
光ディスク記録再生装置１００が、ＲＭＡ６において最後に記録されたＴＲＭＡ１１からその内容を取得する手順について、図９を用いて説明する。
【０１７８】
図９は、光ディスク記録再生装置１００がＲＭＡ６において最後に記録されたＴＲＭＡ１１、つまり最新のＴＲＭＡ１１から、最新のＲＭＤ２１を取得する手順を示すフロー図である。
【０１７９】
まず記録管理情報読み出し部１６１は、使用進捗管理領域１２における記録済みブロック数の検出を行い、検出された記録済みブロック数と使用進捗管理領域１２の総ブロック数とから記録済みブロックのパーセンテージを求め、記録管理情報制御メモリ１６３にある記録済みパーセンテージ情報４４に記憶する（ステップ９０１）。具体的には、使用進捗管理領域１２の総ブロック数が１０ブロックで、検出した記録済みブロック数が２ブロックの場合は、記録済みパーセンテージ情報４４は２０％となる。記録済みブロック数の検出は、使用進捗管理領域１２の先頭ブロックから、使用進捗管理領域１２のサイズ分を最大として行う。
【０１８０】
記録済み領域か未記録領域かの判定は、一般的に、再生信号の振幅が所定の値を超えるかどうかで判断し、所定の値を超えた場合は記録済み領域であると判断し、所定の値を超えない場合は未記録領域であると判断する。
【０１８１】
次に検索パターン算出部１６５は、記憶した記録済みパーセンテージ情報４４を用いて、ＲＭＡ６における記録済み終端位置の検索開始位置を算出する（ステップ９０２）。具体的には、記録済みパーセンテージ情報４４が２０％であった場合、ＲＭＡ６における記録済み領域のパーセンテージは２０％以上、３０％未満と判断できるため、ＲＭＡ６の先頭からＲＭＡ６における総ブロック数の２０％目に相当するブロックを検索開始位置として求める。
【０１８２】
次に記録管理情報読み出し部１６１は、上記ステップ９０１で求めたブロック位置を先頭に、ＲＭＡ６における記録済み終端位置の検索を行い、求まった位置を記録管理情報制御メモリ１６３にある記録済み終端位置情報４０に記憶する（ステップ９０３）。
【０１８３】
記録済み終端位置の検索方法は、従来例として図２８を用いて説明した方法と同じである。以下、振幅があるとは再生信号の振幅が所定の値を超える場合、振幅がないとは再生信号の振幅が所定の値を超えない場合と同じ意味で用いる。
【０１８４】
まず記録管理情報読み出し部１６１は、第１の振幅検査としてＲＭＡ６の先頭ブロックから所定ブロックおきに再生信号の振幅がなくなるまで検査を行う（ステップ２８０１）。
【０１８５】
次に第２の振幅検査として、振幅があった位置から振幅がなかった位置の間で振幅がなくなる位置を検査する（ステップ２８０２）。
【０１８６】
そして検査により求まった記録済み終端のＴＲＭＡ１１の位置を、記録済み終端位置として取得する（ステップ２８０３）。
【０１８７】
次に記録管理情報読み出し部１６１は、記録済み終端位置情報４０を終端として１ブロックサイズで配置されているＤＤＳ２０を記録管理情報格納バッファ１４０へ読み出すとともに、ＤＤＳ２０中の記録管理情報先頭位置３３を、記録管理情報制御メモリ１６３にあるＲＭＤ先頭位置情報４１に記憶する（ステップ９０４）。
【０１８８】
次に記録管理情報読み出し部１６１は、ＲＭＤ先頭位置情報４１として読み出した位置を先頭として配置されているＲＭＤ２１を記録管理情報格納バッファ１４０へ読み出す（ステップ９０５）。
【０１８９】
なお、読み出すＲＭＤ２１のサイズは、ＲＭＤ２１の先頭に位置する管理情報ヘッダ３０中のＲゾーンエントリ数を基に算出できる。
【０１９０】
以上の手順で光ディスク記録再生装置１００は、ＲＭＡ６の中で最後に記録されたＴＲＭＡ１１、つまり最新のＴＲＭＡ１１から、その内容を取得する。
【０１９１】
なお、上記であげた記録済み終端位置の検出方法は一例であり、必ずしも上記方法で行わなくとも、例えばＲＭＡ６の末尾から先頭に向かって振幅が生じる先頭位置を探索する方法等でも実現することが可能である。
【０１９２】
（４）記録管理情報の更新
光ディスク記録再生装置１００が、ＲＭＡ６に対して新たな管理情報をＴＲＭＡに記録（追記）する場合の手順について、図１０を用いて説明する。
【０１９３】
図１０は、光ディスク記録再生装置１００がＲＭＡ６に対して新たな管理情報を記録（追記）する手順を示すフロー図である。
【０１９４】
ここで、記録管理情報格納バッファ１４０に格納されているＲＭＤ２１は、記録管理情報更新部１６４によって、最新の内容に保たれている。
【０１９５】
まず記録管理情報更新部１６４は、記録管理情報制御メモリ１６３にある記録済み終端位置情報４０を１つ先へ進めた位置、つまりＲＭＡ６における未記録領域の先頭位置を記録管理情報先頭位置３３として記録管理情報格納バッファ１４０中のＤＤＳ２０を更新する（ステップ１００１）。
【０１９６】
次に記録管理情報書き込み部１６２は、ＲＭＡ６における未記録領域の先頭位置から記録管理情報格納バッファ１４０中に格納されている更新済みのＲＭＤ２１の記録を行い、さらにＲＭＤ２１が正常に記録できたかどうかを判断する（ステップ１００２）。
【０１９７】
ここで、記録が正常に行われたかどうかは、例えば記録したブロックに対してエラー訂正を行うことで判断する方法や、あるいは記録されたデータを読み出してそのデータが記録したデータと一致しているかを確かめることで判断する方法などで実現される。
【０１９８】
正常に記録が行われなかったと判断した場合、つまりＲＭＤ２１の記録に失敗した場合は、記録済み終端位置情報４０を、先に記録したＲＭＤ２１のサイズ分加算した値に更新し、ステップ１００１からステップ１００２を繰り返す（ステップ１００３）。
【０１９９】
正常に記録が行われたと判断した場合、つまりＲＭＤ２１の記録が正常に行われた場合は、さらに引き続いてＤＤＳ２０を記録するブロック位置を記録管理情報制御メモリ１６３にある記録完了ブロック位置情報４５として記憶するとともに、記録管理情報格納バッファ１４０中に格納されている更新済みのＤＤＳ２０の記録を行い、さらにＤＤＳ２０が正常に記録できたかどうかを判断する（ステップ１００４）。
【０２００】
正常に記録が行われなかったと判断した場合、つまりＤＤＳ２０の記録が失敗した場合は、ステップ１００４を繰り返す（ステップ１００５）。
【０２０１】
正常に記録が行われたと判断した場合、つまりＤＤＳ２０の記録が正常に完了した時点で、ＴＲＭＡ１１への記録処理は完了する。
【０２０２】
ＴＲＭＡ１１への記録処理が完了すると、検索パターン算出部１６５は、ＲＭＡ６の総ブロック数と記録完了ブロック位置情報４５から、ＲＭＡ６において記録済みブロック数が占めるパーセンテージを算出する（ステップ１００６）。
【０２０３】
次に検索パターン算出部１６５は、ステップ１００６で求めたパーセンテージに対応するように使用進捗管理領域１２へデータの記録を行う。この時記録に用いるデータはどのようなデータでも構わない。
【０２０４】
ここで、使用進捗管理領域１２の総ブロック数によって表すことの出来るパーセンテージの刻み（単位）とステップ１００６で算出したパーセンテージの刻み（単位）とに一般的に違いがあるため、ＲＭＡ６へ新たなＲＭＤの記録を行ったからと言って必ずしも使用進捗管理領域１２への記録が行われるとは限らない。具体的には、使用進捗管理領域１２の総ブロック数が１０ブロックの場合、表すことのできるパーセンテージは１０％刻みである。そのため、現在記録管理情報制御メモリ１６３にある記録済みパーセンテージ情報４４が２であり、ステップ１００６で求めたパーセンテージが２５％であった場合には、使用進捗管理領域１２への記録は行われないが、１００６で求めたパーセンテージが３２％であった場合には、使用進捗管理領域１２の未記録領域の先頭ブロックへ１ブロックの記録を行う。
【０２０５】
なお、使用進捗管理領域１２におけるブロックが欠陥ブロックであって記録に失敗するような場合も考えられるが、このような場合に、記録が成功するまで次のブロックに記録を行っても、そのまま記録を完了しても構わず、上記（３）最新記録管理情報の取得におけるステップ１００１での使用進捗管理領域１２における記録済みブロック数の検出処理が対応していれば良い。
【０２０６】
以上の手順で記録管理領域更新部１６４は、ＲＭＡ６中のＴＲＭＡ１１に新規の管理情報の記録を行う。
【０２０７】
なお、ステップ１００１とステップ１００２の順番を入れ替えた場合、つまりＲＭＤ２１の記録を行い、さらに記録が正常に行えたことを確認した後で、ＲＭＤ２１を記録したＴＲＭＡ１１の先頭位置をＤＤＳ２０に含まれる記録管理情報先頭位置３３として更新しても問題はない。
【０２０８】
なお、本実施の形態２ではＲＭＤ２１とＤＤＳ２０がそれぞれ独立したブロックとして説明を行ったが、ＲＭＤ２１とＤＤＳ２０との両方で１ブロックを形成している場合であっても、ＲＭＤ２１とＤＤＳ２０で構成されるブロックの記録後に記録が正常に行えたかどうかの確認を行い、記録に失敗していた場合には次に記録を行う位置をＤＤＳ２０の記録管理情報先頭位置３３として置き換え、再度ＲＭＤ２１とＤＤＳ２０で構成されるブロックの記録を、記録が正常に行われるまで繰り返すことで、実施の形態２と同様の効果を得ることができることは言うまでもない。
【０２０９】
図１１は、図１０の記録手順に従ってＲＭＡ６の更新を行った場合の、ＲＭＡ６の様子を示した説明図である。
【０２１０】
図１１（ａ）に示すように、記録管理作業領域１１＃１（ＴＲＭＡ＃１）に欠陥ブロックが存在していた場合、ＴＲＭＡ＃１への１回目のＲＭＤ＃１の記録は失敗することになるため、引き続きＲＭＤ＃１の記録を、記録が成功するまで行う。そしてＲＭＤ＃１の記録が成功した場合、引き続きＤＤＳ＃１の記録を行う。
【０２１１】
記録管理作業領域１１内に欠陥ブロックが存在しない場合は、図１１（ｂ）のＴＲＭＡ＃２に示すようになる。
【０２１２】
このようにＲＭＡ６の記録進捗度合いを示す情報（ここでは使用進捗管理領域１２）を備え、この情報を用いて最新のＴＲＭＡ１１の検索を行うようにすることで、ＲＭＡ６のサイズが大きい場合でも、記録済み終端位置に存在する最新のＤＤＳ２０・ＲＭＤ２１の検索を効率的に行うことが可能となる。
【０２１３】
なお、本発明の実施の形態２において、ＤＤＳ２０中の記録管理領域サイズ３２を用いて、本発明の実施の形態１で説明した記録済み終端位置の検索方法を適用すれば、本実施の形態１で説明した効果もあわせて得ることができる。
【０２１４】
なお、本実施の形態２では、ＲＭＡ６の使用度合いに応じて使用進捗管理領域１２のブロックに特に意味を持たない情報を記録するという例を用いて説明を行ったが、使用進捗管理領域１２はＲＭＡ６の使用度合いを管理できる情報が記録されていれば良く、例えば使用進捗管理領域１２はＲＭＡ６の記録済み領域の占めるパーセンテージ情報や、あるいはＲＭＡ６の記録済みブロック数情報や、あるいはＲＭＡ６における記録終端位置情報等を記録しても良い。つまり、ＴＲＭＡ１１を追記する場合には、使用度合いの変化に応じてこれらの情報を使用進捗管理領域１２へ追記し、最新のＲＭＤ２１取得の際には、使用進捗管理領域１２における記録済み終端位置に存在する最新の情報を読み出し、これをもとに記録済み終端位置を検索する等の方法でも、本実施の形態２で説明したものと同様の効果を得ることが出来る。
【０２１５】
なお、本実施の形態２ではＲＭＡ６は１つの連続した領域から構成されるものとして説明を行ったが、例えばＲＭＡ６は分散した複数の領域から構成されても良く、この場合も本実施の形態２で説明したものと同様の効果を得ることができる。また、このような場合、例えば分散したそれぞれの領域と使用進捗管理情報１２のブロックとを関連させ、１つの領域が使用済になった場合に使用進捗管理領域１２の１つのブロックを記録する等の方法を用いても、本実施の形態２で説明したものと同様の効果を得ることができる。
【０２１６】
なお、本実施の形態２では、特に使用中の光ディスク１におけるＲＭＡ６のサイズの増加・減少については触れなかったが、使用中の光ディスク１に対してＲＭＡ６のサイズを増加・減少させるような場合も考えられる。このような場合には、例えばＲＭＡ６のサイズが増加したのと同様に、使用進捗管理領域１２のサイズも増加させる等の方法を用いることで、使用進捗管理領域が保持する情報とＲＭＡ６の記録済み領域との整合を取れるようにすれば良い。
【０２１７】
（実施の形態３）
（１）光ディスクデータ構造
図１２は本発明の実施の形態３における光ディスク１のデータ構造を表した図である。本発明の実施の形態３における光ディスク１のデータ構造は、記録管理領域６を除いて、本発明の実施の形態１で説明したものと同じである。
【０２１８】
本発明の実施の形態３における光ディスク１は、記録情報領域４と、情報領域５で構成される。
【０２１９】
情報領域５の構成および内容については、実施の形態１で説明したものと同じであるので、ここでの説明は省略する。
【０２２０】
記録情報領域４は、記録管理領域（ＲＭＡ：Ｒｅｃｏｒｄｉｎｇ  Ｍａｎａｇｅｍｅｎｔ  Ａｒｅａ）６を備える。
【０２２１】
ＲＭＡ６は、Ｎ個の記録管理情報ゾーン１３から構成される（Ｎは１以上の整数）。いずれの記録管理情報ゾーン１３とも可変サイズの領域である。
【０２２２】
図１３は記録管理情報ゾーン１３のデータ構造を表す図である。Ｎ個全ての記録管理情報ゾーン１３は、Ｍ個の記録管理作業領域（ＴＲＭＡ）１１を含む（Ｍは１以上の整数）。
【０２２３】
Ｎ個の記録管理情報ゾーン１３の中には、その開始位置があらかじめ決まっている基準ゾーンが少なくとも１つ配置される。本実施の形態３では、先頭ゾーンである記録管理情報ゾーン１３＃１を基準ゾーンとして扱うが、基準ゾーンは必ずしも先頭ゾーンでなくとも良い。
【０２２４】
また、基準ゾーン以外の記録管理情報ゾーン１３は、内周側から順に使用されるものとして説明を行う。つまり、基準ゾーンにおける記録済み終端位置か、ＲＭＡ６におけるその他の記録管理情報ゾーン１３における記録済み終端位置のいずれかに最新のＲＭＤ２１を備えるＴＲＭＡ１１が配置されることになる。
【０２２５】
なお、本実施の形態３では、Ｎ個の記録管理情報ゾーン１３全てがＭ個のＴＲＭＡ１１から構成されるものとして説明を行うが、これは基準ゾーンと他のゾーンとが相関を持った構成にするためであり、基準ゾーンと他の記録管理情報ゾーン１３とが相関を持つ構成であれば、必ずしも本実施の形態３のように他の記録管理情報ゾーン１３と同じ個数のＴＲＭＡ１１を備えていなくとも良い。
【０２２６】
なお、ＲＭＡ６中に存在する記録管理情報ゾーン１３の数（ここではＮ）は、基本的に基準ゾーン、つまり先頭ゾーンである記録管理情報ゾーン１３＃１が備える記録済みのＴＲＭＡ１１の個数と相関があり、本実施の形態３では、Ｎは記録管理情報ゾーン１３＃１が備える記録済みのＴＲＭＡ６の数に１を加算した値である。
【０２２７】
ここで記録管理情報ゾーン１３とＴＲＭＡ１１の関係は、記録管理情報ゾーン１３＃１がＭ個の記録済みのＴＲＭＡを備えているとすると、ＲＭＡ６に存在する記録管理情報ゾーン１３の数はＭ＋１個、つまりＮ＝Ｍ＋１となる。具体的には、Ｍ＋１個のＴＲＭＡ１１を１グループとして扱い、そのグループの１つ目のＴＲＭＡ１１を基準ゾーンである記録管理情報ゾーン１３＃１中に配置し、それ以外のＭ個のＴＲＭＡ１１は全て１つの同じ記録管理情報ゾーン１３中に配置する構成を取る。例えば図１３で表すように、ＴＲＭＡ＃１が記録管理情報ゾーン１３＃１に配置され、続くＴＲＭＡ＃２、・・・、ＴＲＭＡ＃Ｎは記録管理情報ゾーン１３＃２中に配置される。また記録管理情報ゾーン１３がこのような構成を取ることから、少なくとも基準ゾーンである記録管理情報ゾーン１３＃１における記録済みのＴＲＭＡの個数に相当するゾーンが、基準ゾーンである記録管理情報ゾーン１３＃１の他に存在することになる。
【０２２８】
図１４は記録管理作業領域（ＴＲＭＡ）１１のデータ構造を示す説明図である。
【０２２９】
ＴＲＭＡ１１は、記録管理情報（ＲＭＤ）２１とディスク定義構造（ＤＤＳ）２０とから構成される。一般的に、データ領域８におけるＲゾーン１０の状態が変化した場合や、記録装置からディスクが排出される場合など任意のタイミングでＴＲＭＡ１１へＲＭＤ２１およびＤＤＳ２０が記録（更新）される。
【０２３０】
ＲＭＤ２１構成および内容については、実施の形態１で説明したものと同じであるので、ここでの説明は省略する。
【０２３１】
ＤＤＳ２０は、記録管理領域（ＲＭＡ）６のサイズである記録管理領域サイズ３２や、記録管理情報（ＲＭＤ）２１が配置されている先頭位置を示す記録管理情報先頭位置３３や、次にＲＭＤ２１やＤＤＳ２０の記録を行う位置、つまり次に記録を行うＴＲＭＡ１１に関する位置情報である次の記録管理情報位置３４や、ＲＭＡ６におけるＲＭＤ２１、ＤＤＳ２０の更新回数を表す更新カウンタ３６などを含む。
【０２３２】
ここで、更新カウンタ３６はＲＭＡ６におけるＲＭＤ２１、ＤＤＳ２０の更新回数を示す情報であるため、一般的にＴＲＭＡ１１＃１の場合は１、ＴＲＭＡ１１＃２の場合は２と、ＴＲＭＡの識別ＩＤ的な役割を果たす値と一致する。
【０２３３】
また、次の記録管理情報位置３４には、次に管理情報が記録されるＴＲＭＡ１１に関する位置情報が格納される。つまり本実施の形態３では、基準ゾーンである先頭ゾーンの記録管理情報ゾーン１３＃１に含まれる各ＴＲＭＡ１１中の次の記録管理情報位置３４には、対応する他の記録管理情報ゾーン１３の開始位置、つまり先頭位置に関する位置情報が格納されることになる。また、基準ゾーン以外の記録管理情報ゾーン１３の末尾に配置されるＴＲＭＡ１１中の次の記録管理情報位置３４には、基準ゾーンである記録管理情報ゾーン１３＃１において、次に管理情報が記録されるＴＲＭＡ１１に関する位置情報が格納されることになる。
【０２３４】
ＤＤＳ２０は、記録済み領域と未記録領域との境界に隣接する記録済みのＴＲＭＡ１１の、前記境界を基準に算出可能な所定の位置に配置される情報である。本実施の形態１では、ＤＤＳ２０がＴＲＭＡ１１の末尾に配置されるものとして説明を行う。
【０２３５】
なお、ＤＤＳ２０は必ずしもＴＲＭＡ１１の末尾に配置されていなくとも良く、ＴＲＭＡ１１の終端位置から算出可能な所定の位置に配置されれば良い。
【０２３６】
なお、ＤＤＳ２０は、固定長の情報であって、例えば１ブロックのサイズである。
【０２３７】
本実施の形態１では、ＤＤＳ２０のサイズを記録再生の単位である１ブロックサイズとして説明を行う。
【０２３８】
なお、ＲＭＤ２１は、登録されたＲゾーンエントリ３１の数等に応じて可変サイズである。つまりＴＲＭＡ１１＃１〜ＴＲＭＡ１１＃Ｎ（Ｎは１以上の整数）のサイズは同一とは限らない。
【０２３９】
なお、ＲＭＤ２１およびＤＤＳ２０は、それぞれの情報が終端であることを示すアンカ等の情報を備えても良い。
【０２４０】
（２）光ディスク記録再生装置構成
本発明の実施の形態３における光ディスク記録再生装置１００の構成は、本発明の実施の形態１で説明したものと同じ構成であるので、ここでの説明は省略する。
【０２４１】
（３）最新記録管理情報の取得
光ディスク記録再生装置１００が、ＲＭＡ６において最後に記録されたＴＲＭＡ１１からその内容を取得する手順について、図１４を用いて説明する。
【０２４２】
図１５は、光ディスク記録再生装置１００がＲＭＡ６において最後に記録されたＴＲＭＡ１１、つまり最新のＴＲＭＡ１１から最新のＲＭＤ２１を取得する手順を示すフロー図である。
【０２４３】
まず記録管理情報処理部１６０は、最新のＲＭＤ２１の検索を行う検索対象ゾーン位置の算出を行う（ステップ１５０１）。
【０２４４】
図１６は、検索対象ゾーン算出処理手順を表すフロー図である。
【０２４５】
まず記録管理情報読み出し部１６１は、基準ゾーンである記録管理情報ゾーン１３＃１における記録済み終端位置の検索を行い、求まった位置情報を記録管理情報制御メモリ１６３にある基準ゾーン記録済み終端位置情報４７に記憶する（ステップ１６０１）。
【０２４６】
ここで記録済み終端位置の検索方法は、従来例として図２８を用いて説明した方法と同じであり、ここでの説明は省略する。
【０２４７】
次に記録管理情報読み出し部１６１は、基準ゾーン記録済み終端位置情報４７を終端として所定ブロックサイズ（ここでは１ブロックサイズ）で配置されているＤＤＳ２０を記録管理情報格納バッファ１４０へ読み出すとともに、ＤＤＳ２０中の記録管理情報先頭位置３３を記録管理情報制御メモリ１６３にあるＲＭＤ先頭位置情報４１に、次の記録管理情報位置３４を記録管理情報制御メモリ１６３にある次の記録管理情報位置情報４６に、更新カウンタ３６を記録管理情報制御メモリ１６３にある更新カウンタ情報４２に記憶する（ステップ１６０２）。
【０２４８】
以上の手順で、検索対象のゾーン位置を求める。
【０２４９】
次に記録管理情報読み出し部１６１は、ステップ１５０１で求めた検索対象ゾーンの位置、つまりステップ１６０２で記録管理情報制御メモリ１６３に次の記録管理情報位置情報４６として記憶した位置から、記録済み終端位置の検索を行う（ステップ１５０２）。
【０２５０】
ここで基準ゾーンである記録管理情報ゾーン１３＃１の先頭位置は所定の位置である。
【０２５１】
ここで記録済み終端位置の検索方法は、従来例として図２８を用いて説明した方法と同じであり、ここでの説明は省略する。
【０２５２】
検索対象ゾーンが完全に未記録状態の場合には、ステップ１４０１の検索対象ゾーン位置算出の際に取得した記録管理情報ゾーン１３＃１の記録済み終端位置に存在するＴＲＭＡ１１が最新のＲＭＤ２１を備えたＴＲＭＡ１１であると判断し、検索開始位置とした記録管理情報制御メモリ１６３にある次の記録管理情報位置情報４６の値を記録済み終端位置情報４０として格納し、後述のステップ１５０５へ進む（ステップ１５０３）。
【０２５３】
検索対象ゾーンに記録済みのＴＲＭＡ１１が存在する場合には、ステップ１５０２で求めた記録済み終端位置を記録管理情報制御メモリ１６３にある記録済み終端位置情報４０に記憶する。
【０２５４】
このように、記録済み終端位置情報４０には、基準ゾーン以外の記録管理情報ゾーン１３における記録済み終端位置が格納される。
【０２５５】
次に記録管理情報読み出し部１６１は、記録済み終端位置情報４０を終端として所定ブロックサイズ（ここでは１ブロックサイズ）で配置されているＤＤＳ２０を記録管理情報格納バッファ１４０へ読み出すとともに、ＤＤＳ２０中の記録管理情報先頭位置３３を記録管理情報制御メモリ１６３にあるＲＭＤ先頭位置情報４１に、次の記録管理情報位置３４を記録管理情報制御メモリ１６３にある次の記録管理情報位置情報４６に、更新カウンタ３６を記録管理情報制御メモリ１６３にある更新カウンタ情報４２に記憶する（ステップ１５０４）。
【０２５６】
次に記録管理情報読み出し部１６１は、ＲＭＤ先頭位置情報４１として読み出した位置を先頭として配置されている最新のＲＭＤ２１を記録管理情報格納バッファ１４０へ読み出す（ステップ１５０５）。
【０２５７】
なお、読み出すＲＭＤ２１のサイズは、ＲＭＤ２１先頭に位置する管理情報ヘッダ３０中のＲゾーンエントリ数を基に算出できる。
【０２５８】
以上の手順で光ディスク記録再生装置１００は、ＲＭＤ６の中で最後に記録されたＴＲＭＡ１１、つまり最新のＲＭＤ２１を含むＴＲＭＡ１１から、その内容を取得する。
【０２５９】
なお、上記であげた記録済み終端位置の検出方法は一例であり、必ずしも上記方法で行わなくとも、例えばＲＭＡ６の末尾から先頭に向かって振幅が生じる先頭位置を探索する方法等でも実現することが可能である。
【０２６０】
（４）記録管理情報の更新
光ディスク記録再生装置１００が、ＲＭＡ６に対して新たなＲＭＤ２１をＴＲＭＡに記録（追記）する場合の手順について、図１７を用いて説明する。
【０２６１】
図１７は、光ディスク記録再生装置１００がＲＭＡ６に対して新たなＲＭＤ２１・ＤＤＳ２０を記録（追記）する手順を示すフロー図である。
【０２６２】
ここで、記録管理情報格納バッファ１４０に格納されているＲＭＤ２１は、記録管理情報更新部１６４によって、最新の内容に保たれている。
【０２６３】
まず検索パターン算出部１６５は、新たなＲＭＤ２１の記録を行う記録対象ゾーンおよびその位置を算出する（ステップ１７０１）。具体的には、１ゾーン内のＴＲＭＡ１１の個数がＭ個（Ｍは１以上の整数）の場合、（Ｍ＋１）個のＴＲＭＡ１１を１グループとして扱うため、記録管理情報制御メモリ１６３にある更新カウンタ情報４２の値を、１ゾーン内のＴＲＭＡ個数に１を加算した値、すなわち（Ｍ＋１）で除算し、その剰余（余り）が０の場合、すなわち新たなＲＭＤ２１の記録前の時点で最新のＲＭＤ２１を含むＴＲＭＡ１１が存在する記録管理情報ゾーン１３に含まれるＭ個のＴＲＭＡ１１が全て記録済み状態となった場合は、基準ゾーンである記録管理情報ゾーン１３＃１の未記録領域の先頭、つまり基準ゾーン記録済み終端位置情報４７として保持している位置を１つ先に進めた位置、それ以外の場合は、その商に２加算した番号に相当する記録管理情報ゾーン１３の未記録領域の先頭、つまり記録済み終端位置情報４０として保持している位置を１つ先に進めた位置が記録対象ゾーンおよび位置となる。例えば、更新カウンタ情報４２の値が６で、１ゾーン内のＴＲＭＡ個数が４個の場合、６を（４＋１）で割った商が１、剰余が１であるので、記録対象ゾーン番号は商である１に２を加算した番号、つまり記録管理情報ゾーン１３＃３となる。
【０２６４】
次に記録管理情報更新部１６４は、記録管理情報制御メモリ１６３にある更新カウンタ情報４２に１を加算したものを更新カウンタ３６として記録管理情報格納バッファ１４０中のＤＤＳ２０を更新する（ステップ１７０２）。さらにこの時、記録管理情報制御メモリ１６３にある更新カウンタ情報４２の値を更新しても良い。
【０２６５】
次に記録管理情報更新部１６４は、ステップ１７０１で求めた記録対象ゾーンの未記録領域先頭位置を記録管理情報先頭位置３３として記録管理情報格納バッファ１４０中のＤＤＳ２０を更新する（ステップ１７０３）。具体的には、ステップ１７０１において求めた記録対象ゾーンが記録管理情報ゾーン１３＃１の場合は記録管理情報制御メモリ１６３にある基準ゾーン記録済み終端位置情報４７を１つ先に進めた位置、それ以外の場合は記録管理情報制御メモリ１６３にある記録済み終端位置情報４０を１つ先に進めた位置が記録対象ゾーンの未記録領域先頭位置となる。
【０２６６】
ここで記録対象ゾーンが基準ゾーンである記録管理情報ゾーン１３＃１の場合、記録する管理情報（つまりＲＭＤ２１とＤＤＳ２０）のサイズが記録管理情報ゾーン１３＃１における未記録領域のサイズをオーバーしてしまうような場合には、記録管理情報制御メモリ１６３にある記録済み終端位置情報４０が示す位置に存在するゾーンに空きがあればそこを記録対象ゾーンとしても良い。また、逆の場合も同様である。
【０２６７】
次に記録管理情報書き込み部１６２は、ステップ１７０１において求めた記録対象ゾーンにおける未記録領域の先頭位置から記録管理情報格納バッファ１４０中の更新済みＲＭＤ２１の記録を行い、さらにＲＭＤ２１が正常に記録できたかどうかを判断する（ステップ１７０４）。
【０２６８】
ここで、記録が正常に行われたかどうかは、例えば記録したブロックに対してエラー訂正を行うことで判断する方法や、あるいは記録されたデータを読み出してそのデータが記録したデータと一致しているかを確かめることで判断する方法などで実現される。
【０２６９】
正常に記録が行われなかったと判断した場合、つまりＲＭＤ２１の記録に失敗した場合は、基準ゾーンへ記録中の場合には記録管理情報制御メモリ１６３にある基準ゾーン記録済み終端位置情報４７を、それ以外の場合には記録管理情報制御メモリ１６３にある記録済み終端位置情報４０を、先に記録したＲＭＤ２１のサイズ分加算した値に更新し、ステップ１７０３からステップ１７０４を繰り返す（ステップ１７０５）。
【０２７０】
正常に記録が行われたと判断した場合、つまりＲＭＤ２１の記録が正常に行われた場合、記録管理情報更新部１６４は、記録管理情報格納バッファ１４０中のＤＤＳ２０における次の記録管理情報位置３４を更新する（ステップ１７０６）。具体的には、１ゾーン内のＴＲＭＡ１１の個数がＭ個（Ｍは１以上の整数）の場合、（Ｍ＋１）個のＴＲＭＡ１１を１グループとして扱うため、ステップ１７０２において更新した記録管理情報制御メモリ１６３にある更新カウンタ情報４２の値を、１ゾーン内のＴＲＭＡ個数に１を加算した値、すなわち（Ｍ＋１）で除算し、その剰余（余り）が０の場合、すなわちステップ１７０４で最新のＲＭＤ２１を記録したＴＲＭＡ１１が存在する記録管理情報ゾーン１３に含まれるＭ個のＴＲＭＡ１１が全て記録済み状態となる場合は、基準ゾーンである記録管理情報ゾーン１３＃１の未記録領域の先頭、つまり基準ゾーン記録済み終端位置情報４７として保持している位置を１つ先に進めた位置、それ以外の場合は、その商に２加算した番号に相当する記録管理情報ゾーン１３の未記録領域の先頭、つまりこれからＤＤＳ２０を記録しようとしている記録管理情報ゾーン１３においてＤＤＳ２０記録後の記録済み終端位置を１つ先に勧めた位置が次の記録管理情報位置３４となる。例えば、更新カウンタ情報４２の値が５で、１ゾーン内のＴＲＭＡ個数が４個の場合、５を（４＋１）で割った商が１、剰余が０であるので、記録対象ゾーン番号は基準ゾーンである記録管理情報ゾーン１３＃１の未記録領域先頭位置となる。
【０２７１】
次に記録管理情報書き込み部１６２は更新済みのＤＤＳ２０の記録を行い、さらにＤＤＳ２０が正常に記録できたかどうかを判断する（ステップ１７０７）。
【０２７２】
正常に記録が行われなかったと判断した場合、つまりＤＤＳ２０の記録が失敗した場合は、ステップ１７０６からステップ１７０７を繰り返す（ステップ１７０８）。
【０２７３】
正常に記録が行われたと判断した場合、つまりＤＤＳ２０の記録が正常に完了した時点で、新たなＲＭＤ２１の記録処理が完了する。
【０２７４】
なお、ステップ１７０１で算出した記録対象ゾーンが傷等の欠陥に侵され、上記ステップ１７０３からステップ１７０８の実行中に、記録管理情報ゾーン１３内の記録可能な未記録領域のサイズが足りなくなる場合も考えられるが、このような場合には、例えば基準ゾーンである記録管理情報ゾーン１３＃１へ記録を行っていた場合には、基準ゾーンへ記録中の場合には記録管理情報制御メモリ１６３にある基準ゾーン記録済み終端位置情報４７が示す位置に、それ以外の場合は記録管理情報制御メモリ１６３にある記録済み終端位置情報４０が示す位置に存在する記録管理情報ゾーン１３に空きがあれば、そこを記録対象ゾーンとして算出しなおし、上記ステップ１７０３から１７０８を繰り返せば良い。
【０２７５】
このようにＲＭＡ６を複数の記録管理情報ゾーン１３に分割し、複数のＴＲＭＡ１１を１グループとして捉え、そのグループの１つ目のＴＲＭＡ１１を基準ゾーンである記録管理情報ゾーン１３中に配置し、それ以外のＴＲＭＡを同一の記録管理情報ゾーン１３中に配置する構成を取ることで、基準ゾーン内における最新のＲＭＤ２１・ＤＤＳ２０の検索によってある程度最新のＲＭＤ２１を含むＴＲＭＡが配置される場所の目処をつけ、目処をつけた位置から最新のＲＭＤ２１の検索を行うことで、ＲＭＡ６のサイズが大きい場合でも最新のＲＭＤ２１の検索を効率的に行うことが可能となる。
【０２７６】
なお、本発明の実施の形態３において、ＤＤＳ２０中の記録管理領域サイズ３２を用いて、本発明の実施の形態１で説明した記録済み終端位置の検索方法を適用すれば、本実施の形態１で説明した効果もあわせて得ることができる。
【０２７７】
（実施の形態４）
（１）光ディスクデータ構造
本発明の実施の形態４における光ディスク１のデータ構造は、記録管理領域６を除いて、本発明の実施の形態３で説明したものと同じである。
【０２７８】
本発明の実施の形態４における光ディスク１は、記録情報領域４と、情報領域５で構成される。
【０２７９】
情報領域５の構成および内容については、実施の形態１で説明したものと同じであるので、ここでの説明は省略する。
【０２８０】
記録情報領域４は、記録管理領域（ＲＭＡ：Ｒｅｃｏｒｄｉｎｇ  Ｍａｎａｇｅｍｅｎｔ  Ａｒｅａ）６を備える。
【０２８１】
ＲＭＡ６は、Ｎ個の記録管理情報ゾーン１３から構成される（Ｎは１以上の整数）。いずれの記録管理情報ゾーン１３とも固定サイズの領域である。
【０２８２】
図１８は本発明の実施の形態４における記録管理情報ゾーン１３のデータ構造を表す図である。Ｎ個全ての記録管理情報ゾーン１３は、１つ以上の記録管理作業領域（ＴＲＭＡ）１１を備える。各ゾーンの開始位置はあらかじめ決まった固定位置である。つまり、いずれの記録管理情報ゾーン１３も、所定のブロック数（ここではＸブロック：Ｘは１以上の整数）からなる固定サイズの領域である。ＴＲＭＡ１１のサイズが可変長であるため、各々の記録管理情報ゾーン１３が備えるＴＲＭＡ１１の個数は不定となる。
【０２８３】
なお１つのＴＲＭＡ１１が複数の記録管理情報ゾーン１３に跨って配置されることもありうる。これは、１つの記録管理情報ゾーン１３が固定サイズであるのに対してＴＲＭＡ１１が可変サイズであるため、必ずしも各記録管理情報ゾーン１３における領域全てをＴＲＭＡ１１として割り当てることが出来ない場合も想定され、その場合に割り当てられなかった領域が無駄になってしまうことを防ぐためである。
【０２８４】
なお、本実施の形態４では、図１８に示すようにＮ個の記録管理情報ゾーン１３全てが同じサイズであるものとして説明を行うが、各記録管理情報ゾーン１３の開始位置があらかじめ決まった固定位置であれば、全ての記録管理情報ゾーン１３のサイズは同じサイズで無くとも良い。
【０２８５】
なお、ＲＭＡ６中に存在する記録管理情報ゾーン１３の数（ここではＮ）は、基本的に基準ゾーン、つまり先頭ゾーンである記録管理情報ゾーン１３＃１が備える記録済みのＴＤＭＡの個数と相関があり、本実施の形態では、Ｎは記録管理情報ゾーン１３＃１が備える記録済みのＴＲＭＡ１１の数に１を加算した値である。
【０２８６】
ここで記録管理情報ゾーン１３とＴＲＭＡ１１の関係は、複数のＴＲＭＡ１１を１グループとして扱い、そのグループの１つ目のＴＲＭＡ１１を基準ゾーンである記録管理情報ゾーン１３＃１中に配置し、それ以外のＴＲＭＡ１１は全て１つの同じ記録管理情報ゾーン１３中に配置する構成を取る。例えばＰ個（Ｐは２以上の整数）のＴＲＭＡ１１を１グループとして扱う場合、図１８で表すように、ＴＲＭＡ１１＃１が記録管理情報ゾーン１３＃１に配置され、残りのＴＲＭＡ１１＃２、・・・、ＴＲＭＡ１１＃Ｐは記録管理情報ゾーン１３＃２中に配置される。また記録管理情報ゾーン１３がこのような構成を取ることから、少なくとも記録管理情報ゾーン１３＃１における記録済みのＴＲＭＡの個数に相当するゾーンが、記録管理情報ゾーン１３＃１に引き続いて存在することになる。
【０２８７】
なお、１グループとして扱うＴＲＭＡ１１の個数は、各グループで同一の値とは限らない。
【０２８８】
また、基準ゾーン以外の記録管理情報ゾーン１３は、内周側から順に使用されるものとして説明を行う。つまり、基準ゾーンにおける記録済み終端位置か、ＲＭＡ６におけるその他の記録管理情報ゾーン１３における記録済み終端位置のいずれかに最新のＲＭＤ２１を備えるＴＲＭＡ１１が配置されることになる。
【０２８９】
記録管理情報ゾーン１３のデータ構造は、本発明の実施の形態３で説明したものと同じものであるため、ここでの説明は省略する。
【０２９０】
（２）光ディスク記録再生装置構成
本発明の実施の形態４における光ディスク記録再生装置１００の構成は、本発明の実施の形態１で説明したものと同じ構成であるので、ここでの説明は省略する。
【０２９１】
（３）最新記録管理情報の取得
光ディスク記録再生装置１００が、ＲＭＡ６において最後に記録されたＴＲＭＡ１１からその内容を取得する手順について、図１９を用いて説明する。
【０２９２】
図１９は、光ディスク記録再生装置１００がＲＭＡ６において最後に記録されたＴＲＭＡ１１、つまり最新のＲＭＤ２１を備えるＴＲＭＡ１１から、最新のＲＭＤ２１を取得する手順を示すフロー図である。
【０２９３】
まず記録管理情報処理部１６０は、最新の記録管理情報の検索を行う検索対象ゾーンの算出を行う（ステップ１９０１）。
【０２９４】
図２０は、検索対象ゾーン算出処理手順を表すフロー図である。
【０２９５】
まず記録管理情報読み出し部１６１は、基準ゾーンである記録管理情報ゾーン１３＃１における記録済み終端位置の検索を行い、求まった位置情報を記録管理情報制御メモリ１６３にある基準ゾーン記録済み終端位置情報４７に記憶する（ステップ２００１）。
【０２９６】
ここで記録済み終端位置の検索方法は、従来例として図２８を用いて説明した方法と同じであり、ここでの説明は省略する。
【０２９７】
次に記録管理情報読み出し部１６１は、基準ゾーン記録済み終端位置情報４７を終端として所定ブロックサイズ（ここでは１ブロックサイズ）で配置されているＤＤＳ２０を記録管理情報格納バッファ１４０へ読み出すとともに、ＤＤＳ２０中の記録管理情報先頭位置３３を記録管理情報制御メモリ１６３にあるＲＭＤ先頭位置情報４１に、更新カウンタ３６を記録管理情報制御メモリ１６３にある更新カウンタ情報４２に、次の記録管理情報位置３４を次の記録管理情報位置情報４６に記憶する（ステップ２００２）。
【０２９８】
次に検索パターン算出部１６５は、検索対象となるゾーン番号を算出し、記録管理情報制御メモリ１６３にある検索対象ゾーン番号４８に記憶する（ステップ２００３）。具体的には、次の記録管理情報位置情報４６に記憶した位置情報とあらかじめ保持している各記録管理情報ゾーン１３の先頭位置情報等を用いて、検索対象ゾーンを算出する。
【０２９９】
以上の手順で、検索対象のゾーン番号を求める。
【０３００】
次に記録管理情報読み出し部１６１は、ステップ１９０１で求めた検索対象ゾーンの先頭位置から、記録済み終端位置の検索を行う（ステップ１９０２）。
【０３０１】
ここで各ゾーンの開始位置は所定の位置であり、各ゾーンの開始位置に関する情報は光ディスク記録再生装置１００があらかじめ保持している。
【０３０２】
ここで記録済み終端位置の検索方法は、従来例として図２８を用いて説明した方法と同じであり、ここでの説明は省略する。
【０３０３】
検索対象ゾーンが完全に未記録状態の場合には、ステップ１９０１の検索対象ゾーン位置算出の際に取得した記録管理情報ゾーン１３＃１の記録済み終端位置に存在するＴＲＭＡ１１が最新のＲＭＤ２１を備えたＴＲＭＡ１１であると判断し、検索開始位置とした記録管理情報ゾーン１３の先頭位置を記録管理情報制御メモリ１６３にある記録済み終端位置情報４０に記憶して、後述のステップ１９０７へ進む（ステップ１９０３）。
【０３０４】
検索対象ゾーンに記録済みのＴＲＭＡ１１が存在する場合には、ステップ１９０２で求めた記録済み終端位置を記録管理情報制御メモリ１６３にある記録済み終端位置情報４０に記憶する。
【０３０５】
このように、記録済み終端位置情報４０には、基準ゾーン以外の記録管理情報ゾーン１３における記録済み終端位置が格納される。
【０３０６】
次に記録管理情報読み出し部１６１は、記録済み終端位置情報４０を終端として所定ブロックサイズ（ここでは１ブロックサイズ）で配置されているＤＤＳ２０を記録管理情報格納バッファ１４０へ読み出す（ステップ１９０４）。
【０３０７】
次に記録管理情報処理部１６０は、ステップ１９０４で記録管理情報格納バッファへ読み出したＤＤＳ２０中の更新カウンタ３６を取得し、記録管理情報制御メモリ１６３にある更新カウンタ情報４２と比較を行う（ステップ１９０５）。
【０３０８】
記録管理情報格納バッファへ読み出したＤＤＳ２０中の更新カウンタ３６の値が記録管理情報制御メモリ１６３にある更新カウンタ情報４２よりも小さい場合は、そのまま後述のステップ１９０７へ進む。ここで記録管理情報格納バッファへ読み出したＤＤＳ２０中の更新カウンタ３６の値が記録管理情報制御メモリ１６３にある更新カウンタ情報４２よりも小さくなるのは、ＴＲＭＡ１１が２つの記録管理情報ゾーン１３に跨って配置されている場合である。この場合、基準ゾーンの記録済み終端位置に配置されるＴＲＭＡ１１の方が、２つの記録管理情報ゾーン１３に跨って配置されているＴＲＭＡ１１よりも新しいＲＭＤ２１、ＤＤＳ２０を備えている、つまり更新カウンタ３６が大きい場合がありうる。
【０３０９】
記録管理情報格納バッファへ読み出したＤＤＳ２０中の更新カウンタ３６の値が記録管理情報制御メモリ１６３にある更新カウンタ情報４２よりも大きい場合は、ステップ１９０４で記録管理情報格納バッファ１４０へ読み出したＤＤＳ２０中の記録管理情報先頭位置３３を記録管理情報制御メモリ１６３にあるＲＭＤ先頭位置情報４１に、次の記録管理情報位置３４を記録管理情報制御メモリ１６３にある次の記録管理情報位置情報４６に、更新カウンタ３６を記録管理情報制御メモリ１６３にある更新カウンタ情報４２に記憶する（ステップ１９０６）。
【０３１０】
次に記録管理情報読み出し部１６１は、ＲＭＤ先頭位置情報４１として記憶した位置を先頭として配置されている最新のＲＭＤ２１を記録管理情報格納バッファ１４０へ読み出す（ステップ１９０７）。
【０３１１】
なお、読み出すＲＭＤ２１のサイズは、ＲＭＤ２１先頭に位置する管理情報ヘッダ３０中のＲゾーンエントリ数を基に算出できる。
【０３１２】
以上の手順で光ディスク記録再生装置１００は、ＲＭＡ６の中で最後に記録されたＴＲＭＡ１１、つまり最新のＲＭＤ２１・ＤＤＳ２０を含むＴＲＭＡ１１から、その内容を取得する。
【０３１３】
なお、本実施の形態４におけるステップ２００３の検索対象ゾーン番号算出処理は無くとも良い。具体的には、本実施の形態３で説明したものと同様に、次の記録管理情報位置情報４６として記憶した位置を開始位置として、後述のステップ１９０２における記録済み終端位置の検索を行うことでも同様の効果を得ることが出来る。この場合、ＤＤＳ２０中の更新カウンタ３６は無くとも良く、さらに後述の１９０５における更新カウンタ３６の比較処理も無くとも良い。
【０３１４】
なお、上記であげた記録済み終端位置の検出方法は一例であり、必ずしも上記方法で行わなくとも、例えばＲＭＡ６の末尾から先頭に向かって振幅が生じる先頭位置を探索する方法等でも実現することが可能である。
【０３１５】
（４）記録管理情報の更新
光ディスク記録再生装置１００が、ＲＭＡ６に対して新たなＲＭＤ２１をＴＲＭＡ１１に記録（追記）する場合の手順について、図２１を用いて説明する。
【０３１６】
図２１は、光ディスク記録再生装置１００がＲＭＡ６に対して新たなＲＭＡ２１・ＤＤＳ２０を記録（追記）する手順を示すフロー図である。
【０３１７】
ここで、記録管理情報格納バッファ１４０に格納されているＲＭＤ２１は、記録管理情報更新部１６４によって、最新の内容に保たれている。
【０３１８】
まず検索パターン算出部１６５は、新たなＲＭＤ２１の記録を行う記録対象ゾーンおよびその位置を算出する（ステップ２１０１）。具体的には、検索対象ゾーン番号４８の示す記録管理情報ゾーン１３の終端位置が記録済み終端位置情報４０の示す位置よりも小さい場合、つまり検索対象ゾーン番号４８で示される使用中の記録管理情報ゾーン１３に未記録領域がある場合は、その記録管理情報ゾーン１３の、記録済み終端位置情報４０として保持している位置を１つ先に進めた位置を記録先として算出する。逆に、検索対象ゾーン番号４８の示す記録管理情報ゾーン１３の終端位置が記録済み終端位置情報４０の示す位置よりも大きい、あるいは等しい場合、つまり検索対象ゾーン番号４８で示される使用中の記録管理情報ゾーン１３に未記録領域が存在しない場合は、基準ゾーンである記録管理情報ゾーン１３＃１の未記録領域の先頭、つまり基準ゾーン記録済み終端位置情報４７として保持している位置を１つ先に進めた位置を記録先位置として算出する。
【０３１９】
ここで、記録先ゾーンが基準ゾーンである記録管理情報ゾーン１３＃１である場合で、基準ゾーン内の未記録領域のサイズが新規にＲＭＤ２１・ＤＤＳ２０を記録するに足りない場合、ＲＭＤ２１・ＤＤＳ２０を記録するに足りる未記録領域を含む記録管理情報ゾーン１３が存在すれば、記録済み終端位置情報４０として保持している位置を１つ先に進めた位置を記録先とし、その記録管理情報ゾーン１３を記録対象ゾーンとして算出する。
【０３２０】
次に記録管理情報更新部１６４は、記録管理情報格納バッファ１４０中のＤＤＳ２０における更新カウンタ情報４２を更新する（ステップ２１０２）。具体的には、記録管理情報制御メモリ１６３にある更新カウンタ情報４２の値に１を加算したものを更新カウンタ３６として、記録管理情報格納バッファ１４０中のＤＤＳ２０を更新する。
【０３２１】
次に記録管理情報更新部１６４は、記録対象ゾーンの未記録領域先頭位置を記録管理情報先頭位置３３として記録管理情報格納バッファ１４０中のＤＤＳ２０を更新する（ステップ２１０３）。具体的には、ステップ２１０１において求めた記録対象ゾーンが基準ゾーンである記録管理情報ゾーン１３＃１の場合は記録管理情報制御メモリ１６３にある基準ゾーン記録済み終端位置情報４７を１つ先に進めた位置、それ以外の場合は記録管理情報制御メモリ１６３にある記録済み終端位置情報４０を１つ先に進めた位置が記録対象ゾーンの未記録領域先頭位置となる。
【０３２２】
ここで記録対象ゾーンが基準ゾーンである記録管理情報ゾーン１３＃１の場合、記録するＲＭＤ２１とＤＤＳ２０のサイズが記録管理情報ゾーン１３＃１における未記録領域のサイズをオーバーしてしまうような場合には、記録管理情報制御メモリ１６３にある記録済み終端位置情報４０が示す位置に存在する記録管理情報ゾーン１３に空きがあればそこを記録対象ゾーンとしても良い。また、逆の場合も同様である。
【０３２３】
次に記録管理情報書き込み部１６２は、ステップ２１０１において求めた記録対象ゾーンにおける未記録領域の先頭位置から記録管理情報格納バッファ１４０中の更新済みＲＭＤ２１の記録を行い、さらにＲＭＤ２１が正常に記録できたかどうかを判断する（ステップ２１０４）。
【０３２４】
ここで、記録が正常に行われたかどうかは、例えば記録したブロックに対してエラー訂正を行うことで判断する方法や、あるいは記録されたデータを読み出してそのデータが記録したデータと一致しているかを確かめることで判断する方法などで実現される。
【０３２５】
正常に記録が行われなかったと判断した場合、つまりＲＭＤ２１の記録に失敗した場合は、基準ゾーンへ記録中の場合には記録管理情報制御メモリ１６３にある基準ゾーン記録済み終端位置情報４７を、それ以外の場合には記録管理情報制御メモリ１６３にある記録済み終端位置情報４０を、先に記録したＲＭＤ２１のサイズ分加算した値に更新し、ステップ２１０３からステップ２１０４を繰り返す（ステップ２１０５）。
【０３２６】
正常に記録が行われたと判断した場合、つまりＲＭＤ２１の記録が正常に行われた場合は、次に記録管理情報更新部１６４は、記録管理情報格納バッファ１４０中のＤＤＳ２０における次の記録管理情報位置３４を更新する（ステップ２１０６）。具体的には、基準ゾーンである記録管理情報ゾーン１３＃１へ記録中の場合には、次の記録管理情報位置３４を記録管理情報制御メモリ１６３中にある記録済み終端位置情報４０を１つ先に進めた値する。基準ゾーン以外の記録管理情報ゾーン１３へ記録中の場合は、現在記録中の記録管理情報ゾーン１３においてＲＭＤ２１・ＤＤＳ２０を記録した後の未記録領域が存在する場合、つまり現在記録中のＴＲＭＡ１１が２つの記録管理情報ゾーン１３に跨らない場合には、次の記録管理情報位置３４を記録管理情報制御メモリ１６３中にある記録済み終端位置情報４０を１つ先に進めた値にし、未記録領域が存在しない、つまり現在記録中のＴＲＭＡ１１で記録中の記録管理情報ゾーン１３の末尾まで使い果たしたか、あるいは現在記録中のＴＲＭＡ１１が２つの記録管理情報ゾーン１３に跨いで存在する場合には、次の記録管理情報位置３４を記録管理情報制御メモリ１６３中にある基準ゾーン記録済み終端位置４７とする。
【０３２７】
次に記録管理情報書き込み部１６２は、記録管理情報格納バッファ１４０中にある更新済みのＤＤＳ２０の記録を行い、さらにＤＤＳ２０が正常に記録できたかどうかを判断する（ステップ２１０７）。
【０３２８】
正常に記録が行われなかったと判断した場合、つまりＤＤＳ２０の記録が失敗した場合は、ステップ２１０７を繰り返す（ステップ２１０８）。
【０３２９】
正常に記録が行われたと判断した場合、つまりＤＤＳ２０の記録が正常に完了した場合、新たなＲＭＤ２１の記録処理が完了する。なおこの時、記録管理情報制御メモリ１６３にある基準ゾーン記録済み終端位置情報４７、または記録済み終端位置情報４０の更新を行っても良い。
【０３３０】
なお、ステップ２１０１で算出した記録対象ゾーンが傷等の欠陥に侵され、上記ステップ２１０３からステップ２１０８の実行中に、記録対象の記録管理情報ゾーン１３内の記録可能な未記録領域のサイズが足りなくなる場合も考えられるが、このような場合には、例えば基準ゾーンである記録管理情報ゾーン１３＃１へ記録を行っていた場合には、記録管理情報制御メモリ１６３にある記録済み終端位置情報４０が示す位置に存在する記録管理情報ゾーン１３に空きがあれば、そこを記録対象ゾーンとして算出しなおし、上記ステップ２１０３から２１０８を繰り返せば良い。逆の場合も同様である。
【０３３１】
このようにＲＭＡ６を複数のゾーンに分割し、複数のＴＲＭＡ１１を１グループとして捉え、そのグループの１つ目のＴＲＭＡ１１を基準ゾーン中に配置し、それ以外のＴＲＭＡ１１を他の同一の記録管理情報ゾーン１３中に配置する構成を取ることで、先頭ゾーン内における最新のＲＭＤ２１・ＤＤＳ２０の検索によってある程度最新のＲＭＤ２１を含むＴＲＭＡ１１が配置される場所の目処をつけ、目処をつけた位置から最新のＲＭＤ２１・ＤＤＳ２０の検索を行うことで、ＲＭＡ６のサイズが大きい場合でも最新のＲＭＤ２１・ＤＤＳ２０の検索を効率的に行うことが可能となる。
【０３３２】
なお、本発明の実施の形態４において、ＤＤＳ２０中の記録管理領域サイズ３２を用いて、本発明の実施の形態１で説明した記録済み終端位置の検索方法を適用すれば、本実施の形態１で説明した効果もあわせて得ることができる。
【０３３３】
なお、本実施の形態４では次の記録管理情報位置３４が次にＲＭＤ２１、ＤＤＳ２０を記録可能な位置情報として説明を行ったが、次の記録管理情報位置３４が次に記録を行うＴＲＭＡ１１を備えている記録管理情報ゾーン１３に関する情報（例えばゾーン番号）や、あるいは各ゾーンの先頭位置に関する情報を保持しても、本発明の実施の形態４で説明したのと同様の効果を得ることが出来る。但しこの場合、記録管理情報の更新（記録）の際には、次の記録管理情報位置情報の示す記録管理情報ゾーンにおける未記録領域先頭位置の検索を行うことで記録先ＴＲＭＡの位置を別途算出するなどすれば良い。
【０３３４】
なお、追記型光ディスクには一般的に“Ｓｅｑｕｅｎｔｉａｌ  Ｒｅｃｏｒｄｉｎｇ  Ｍｏｄｅ（ＳＲＭ）”と“Ｒａｎｄｏｍ  Ｒｅｃｏｒｄｉｎｇ  Ｍｏｄｅ（ＲＲＭ）”の２つの記録方法があり、ＲＭＡ６には、ＳＲＭの場合にはＲＭＤ２１としてＳＲＲＩ（Ｓｅｑｕｅｎｔｉａｌ  Ｒｅｃｏｒｄｉｎｇ  Ｒａｎｇｅ  Ｉｎｆｏｒｍａｔｉｏｎ）が、ＲＲＭの場合にはＲＭＤ２１としてＳＢＭ（Ｓｐａｃｅ  Ｂｉｔ  Ｍａｐ）という情報がそれぞれ記録される。ここで、いずれの情報もデータ領域８における記録状態の管理情報である。
【０３３５】
なお、記録管理領域６が、物理的に連続していない複数の領域から構成される場合が考えられるが、この場合には、各領域の先頭が未記録状態かどうかの確認を行い、最新のＲＭＤ２１、ＤＤＳ２０が存在する領域を限定した後、その領域に対して本発明の実施の形態で説明した方法を用いれば、より効率的に最新のＲＭＤ２１、ＤＤＳ２０の検索を行うことが可能となる。
【０３３６】
（実施の形態５）
（１）データ構造
図２２は、本発明の実施の形態５における光ディスク１のデータ構造を示した図である。本発明の実施の形態５では、実施の形態１から実施の形態４における記録管理情報を欠陥管理情報に置き換えて説明を行う。
【０３３７】
光ディスク１の領域は、リードイン領域７、データ領域８、リードアウト領域９に大別される。
【０３３８】
データ領域８はスペア領域１４とＲゾーン１０から構成される。
【０３３９】
Ｒゾーン１０とは、音楽やビデオなどのリアルタイムデータや文章やデータベースなどのコンピュータデータなど、ユーザによって任意の情報が記録可能な領域である。
【０３４０】
スペア領域１４とは、Ｒゾーン１０において傷や埃等の原因による欠陥ブロックが検出された場合に、その欠陥ブロックの代わりにデータを記録する、あるいは上書き不可能な追記型光ディスクに対してあたかも上書きしたかのように見せるために、上書きしたいデータをスペア領域に記録し、もとのデータを欠陥と同様に扱うという  “Ｌｏｇｉｃａｌ  Ｏｖｅｒｗｒｉｔｅ”を行う場合に用いる交替領域のことである。なお、スペア領域１４は、データ領域の内周側（つまりリードイン領域７側）と外周側（つまりリードアウト領域９側）に１つずつ存在すると図示したが、スペア領域１４の個数や配置は自由であって、必ずしも図示した通りでなくとも良い。
【０３４１】
なおスペア領域１４のサイズは、最大・最小サイズは決まっているが、その範囲内で使用者が任意に選択できる。つまりスペア領域１４は、可変サイズの領域である。
【０３４２】
リードアウト領域９は、第３の欠陥管理領域１７（以下ＤＭＡ３と呼ぶ）と第４の欠陥管理領域１７（以下ＤＭＡ４と呼ぶ）を備えている。
【０３４３】
ＤＭＡ３とＤＭＡ４は共に光ディスク１における欠陥ブロックやＬｏｇｉｃａｌ  Ｏｖｅｒｗｒｉｔｅ対象となったブロックに関する情報を管理するための領域である。
【０３４４】
リードイン領域７は、第１の欠陥管理領域１７（以下ＤＭＡ１と呼ぶ）と第２の欠陥管理領域１７（以下ＤＭＡ２と呼ぶ）と欠陥管理作業領域群１５を備えている。
【０３４５】
ＤＭＡ１とＤＭＡ２は共に光ディスク１における欠陥ブロックやＬｏｇｉｃａｌ  Ｏｖｅｒｗｒｉｔｅ対象となったブロックに関する情報を管理するための領域である。
【０３４６】
ここでＤＭＡ１〜ＤＭＡ４はそれぞれ所定の位置に配置される領域であり、サイズは欠陥ブロックやＬｏｇｉｃａｌ  Ｏｖｅｒｗｒｉｔｅ対象となったブロックの個数に応じて可変長である。
【０３４７】
ＤＭＡ１〜ＤＭＡ４はそれぞれＤＤＳ２０と欠陥リスト（ＤＦＬ：Ｄｅｆｅｃｔ  Ｌｉｓｔ）２２とから構成され、ＤＤＳ２０の次にＤＦＬ２２が配置される。
【０３４８】
欠陥管理作業領域群１５は、Ｎ個（Ｎは１以上の正数）の欠陥管理作業領域（ＴＤＭＡ：Ｔｅｍｐｏｒａｌｌｙ  Ｄｅｆｅｃｔ  Ｍａｎａｇｅｍｅｎｔ  Ａｒｅａ）１６から構成される。
【０３４９】
ＴＤＭＡ１６は、追記型の光ディスク１に対してファイナライズを実施する以前において更新された欠陥管理情報を一時的に記録するための領域であり、ＤＦＬ２２とＤＤＳ２０から構成され、ＤＦＬ２２の次にＤＤＳ２０が配置される。
【０３５０】
ここでファイナライズとは、追記型の光ディスク１を書換え型の光ディスクと互換のあるデータ構造にするもので、最新のＴＤＭＡ１６の内容をＤＭＡ１〜４に記録することである。
【０３５１】
図２３は、ＤＤＳ２０とＤＦＬ２２のデータ構造を示す図である。
【０３５２】
ＤＦＬ２２は、欠陥リストヘッダ５０と０個以上の欠陥エントリ５１から構成される。
【０３５３】
欠陥リストヘッダ５０は、ＤＦＬ２２中に含まれる欠陥エントリ５１の個数である欠陥エントリ数などを含む。
【０３５４】
欠陥エントリ５１はデータ領域８で検出された欠陥ブロックやＬｏｇｉｃａｌ  Ｏｖｅｒｗｒｉｔｅ対象となったブロックの位置情報と、そのブロックの交替先であるスペア領域１４の交替ブロック位置情報などを含む。
【０３５５】
ＤＤＳ２０は、欠陥管理作業領域群１５のサイズである欠陥管理作業領域群サイズ５２や、次の欠陥管理情報が記録されている位置である次の欠陥リスト位置５４や、ＤＦＬ２２およびＤＤＳ２０の更新回数である更新カウンタ５５などを備える。
【０３５６】
ＤＤＳ２０は、記録済み領域と未記録領域との境界に隣接する記録済みのＴＤＭＡ内の、前記境界を基準に算出可能な所定の位置に配置される情報である。本実施の形態５では、ＤＤＳ２０がＴＤＭＡ１６の末尾に配置されるものとする。
【０３５７】
なお、ＤＤＳ２０は必ずしもＴＤＭＡ１６の末尾に配置されていなくとも良く、ＴＤＭＡ１６終端位置から算出可能な所定の位置に配置されれば良い。
【０３５８】
なお、ＤＤＳ２０は、固定長の情報であって、例えば１ブロックのサイズである。本実施の形態５では、ＤＤＳのサイズを記録再生の単位である１ブロックサイズとする。
【０３５９】
なお、ＤＦＬ２２は、可変長の情報であって、登録された欠陥エントリ５１の数に応じたサイズである。つまりＴＤＭＡ１６＃１〜ＴＤＭＡ１６＃Ｎのサイズは同一とは限らない。
【０３６０】
なお、ＤＦＬ２２は、欠陥リストヘッダ５０と欠陥エントリ５１に加えて、ＤＦＬの終端を示すアンカ等の情報を備えても良い。
【０３６１】
なお、欠陥管理作業領域１６から構成される欠陥管理作業領域群１５はリードイン領域７になくともよく、Ｒゾーン１０を除く領域、例えばリードアウト領域９或いはスペア領域１４の中に配置されても良い。
【０３６２】
このような場合でも、本発明の実施の形態１から本実施の形態４で記録管理情報を例として説明した方法と同様の方法を用いることで、最新の欠陥管理情報の検索を効率的に行うことが出来ることは明白であり、ここでのこれ以上の説明は省略する。
【０３６３】
なお、本発明における全ての実施の形態５において、欠陥管理情報、欠陥管理作業領域等という言葉を用いたが、上記実施の形態で説明した通り、これらはあくまでスペア領域への交替処理に関する情報であって、欠陥のみを対象としたものではないことに留意されたい。
【０３６４】
なお、本発明における全ての実施の形態において、未記録領域の検索方法として再生信号の振幅を用いて、再生信号の振幅が所定の値を超えるかどうかで判断を行うが、欠陥ブロックも再生信号品質が悪い領域、すなわち再生信号の振幅が小さくなるため、欠陥領域を誤って追記可能な未記録領域と判断してしまう可能性がある。これを防ぐため、例えば、再生信号の振幅が所定の値を超えないブロックが複数ブロック連続して続いた場合に未記録領域であると判定したりする。
【０３６５】
なお、本発明における全ての実施の形態において、記録再生の最小単位をエラー訂正の単位であるブロック単位として説明を行ったが、アクセスの最小単位であるセクタ（２ＫＢｙｔｅ）としても、同様の効果を得ることが出来る。
【産業上の利用可能性】
【０３６６】
本発明にかかる記録済み領域と未記録領域の境界検索方法、および情報再生方法は、最新の情報を効率的に取得できるという効果が必要な光ディスクドライブ装置等の用途に適用できる。
【０３６７】
本発明にかかる追記型情報記録媒体は、最新の情報を効率的に取得できるという効果が必要な光ディスク等の用途に適用できる。
【図面の簡単な説明】
【０３６８】
【図１】光ディスクの領域構成図
【図２】本発明の実施の形態１における、ディスク定義構造のデータ構造説明図
【図３】本発明の実施の形態における、光ディスク記録再生装置構成図
【図４】本発明の実施の形態１における、イニシャライズ処理手順説明図
【図５】本発明の実施の形態１における、記録済み終端位置検索方法説明図
【図６】本発明の実施の形態１における、記録済み終端位置検索手順説明図
【図７】本発明の実施の形態２における、追記型光ディスクのデータ構造説明図
【図８】本発明の実施の形態２における、記録管理領域および使用進捗管理領域説明図
【図９】本発明の実施の形態２における、最新記録管理情報取得処理説明図
【図１０】本発明の実施の形態２における、記録管理作業情報領域の更新手順説明図
【図１１】本発明の実施の形態２における、記録管理作業情報領域の更新方法説明図
【図１２】本発明の実施の形態３における、追記型光ディスクのデータ構造説明図
【図１３】本発明の実施の形態３における、記録管理情報ゾーンのデータ構造説明図
【図１４】本発明の実施の形態３における、記録管理作業領域のデータ構造説明図
【図１５】本発明の実施の形態３における、最新記録管理情報取得処理説明図
【図１６】本発明の実施の形態３における、検索対象ゾーン位置算出処理手順説明図
【図１７】本発明の実施の形態３における、記録管理作業情報領域の更新手順説明図
【図１８】本発明の実施の形態４における、記録管理情報ゾーンのデータ構造説明図
【図１９】本発明の実施の形態４における、最新記録管理情報取得処理説明図
【図２０】本発明の実施の形態４における、検索対象ゾーン位置算出処理手順説明図
【図２１】本発明の実施の形態４における、記録管理作業情報領域の更新手順説明図
【図２２】本発明の実施の形態５における、追記型光ディスクのデータ構造説明図
【図２３】本発明の実施の形態５における、欠陥リストおよびディスク定義構造のデータ構造説明図
【図２４】従来例における、追記型光ディスクのデータ構造説明図
【図２５】従来例および本発明の実施の形態における、記録管理作業情報領域の更新方法説明図
【図２６】従来例および本発明の実施の形態における、記録管理情報のデータ構造説明図
【図２７】従来例における、光ディスク記録再生装置構成図
【図２８】従来例における、記録済み終端位置検索手順説明図
【図２９】従来例における、記録済み終端位置検索方法説明図
【符号の説明】
【０３６９】
１    追記型光ディスク
２    トラック
３    ブロック
４    記録情報領域
５    情報領域
６    記録管理領域
７    リードイン領域
８    データ領域
９    リードアウト領域
１０    Ｒゾーン
１１    記録管理作業領域
１２    使用進捗管理領域
１３    記録管理情報ゾーン
１４    スペア領域
１５    欠陥管理作業領域群
１６    欠陥管理作業領域
１７    欠陥管理領域
２０    ディスク定義構造
２１    記録管理情報
２２    欠陥リスト
３０    管理情報ヘッダ
３１    Ｒゾーンエントリ
３２    記録管理領域サイズ
３３    記録管理情報先頭位置
３４    次の記録管理情報位置
３５    その他の情報
３６    更新カウンタ
３７    Ｒゾーン開始位置
３８    Ｒゾーン最終記録位置
４０    記録済み終端位置情報
４１    ＲＭＤ先頭位置情報
４２    更新カウンタ情報
４３    記録管理領域サイズ情報
４４    記録済みパーセンテージ情報
４５    記録完了ブロック位置情報
４６    次の記録管理情報位置情報
４７    基準ゾーン記録済み終端位置情報
４８    検索対象ゾーン番号
１００    光ディスク記録再生装置
１１０    命令処理部
１２０    記録制御部
１３０    再生制御部
１４０    記録管理情報格納バッファ
１５０    データバッファ
１６０    記録管理情報処理部
１６１    記録管理情報読み出し部
１６２    記録管理情報書き込み部
１６３    記録管理情報制御メモリ
１６４    記録管理情報更新部
１６５    検索パターン算出部
【図１】
2005129116.tif 000003
【図２】
2005129116.tif 000004
【図３】
2005129116.tif 000005
【図４】
2005129116.tif 000006
【図５】
2005129116.tif 000007
【図６】
2005129116.tif 000008
【図７】
2005129116.tif 000009
【図８】
2005129116.tif 000010
【図９】
2005129116.tif 000011
【図１０】
2005129116.tif 000012
【図１１】
2005129116.tif 000013
【図１２】
2005129116.tif 000014
【図１３】
2005129116.tif 000015
【図１４】
2005129116.tif 000016
【図１５】
2005129116.tif 000017
【図１６】
2005129116.tif 000018
【図１７】
2005129116.tif 000019
【図１８】
2005129116.tif 000020
【図１９】
2005129116.tif 000021
【図２０】
2005129116.tif 000022
【図２１】
2005129116.tif 000023
【図２２】
2005129116.tif 000024
【図２３】
2005129116.tif 000025
【図２４】
2005129116.tif 000026
【図２５】
2005129116.tif 000027
【図２６】
2005129116.tif 000028
【図２７】
2005129116.tif 000029
【図２８】
2005129116.tif 000030
【図２９】
2005129116.tif 000031